(57)【要約】【課題】操作が容易で、コストも低く、安全性が高い撮像機器の使用制限機能を実現すること。【解決手段】撮像機器としてのカメラ本体１２と、該カメラ本体１２とは別体に構成され、該カメラ本体１２に対して該カメラ本体１２を制御するための指令を送信することにより上記カメラ本体１２が上記指令に対応した動作を行えるように構成された指令機器と、を含む撮像システムにおいて、カメラ本体１２より上記指令機器に対して当該カメラ本体１２が当該指令機器の識別を行なうための識別情報を送信し、上記指令機器は、その送信された識別情報を受信し、その受信した上記識別情報あるいは上記識別情報由来の情報を含む、上記カメラ本体１２が当該指令機器の認証を行なうための認証情報を含む認証情報付き指令を送信する。【選択図】      図１
2008219168.tif 000002
【特許請求の範囲】
【請求項１】
撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器と、を含む撮像システムにおいて、
上記撮像機器は、上記指令機器に対して当該撮像機器が当該指令機器の識別を行なうための識別情報を送信する識別情報送信手段を具備し、
上記指令機器は、
上記撮像機器より送信された上記識別情報を受信する識別情報受信手段と、
上記撮像機器を制御するための指令を、上記識別情報受信手段で受信した上記識別情報あるいは上記識別情報由来の情報を含む、上記撮像機器が当該指令機器の認証を行なうための認証情報を含む認証情報付き指令である認証指令として送信する指令送信手段と、
を具備することを特徴とする撮像システム。
【請求項２】
上記撮像機器は、
上記指令機器の上記指令送信手段から送信された指令を受信する指令受信手段と、
上記指令受信手段で受信された上記認証指令に含まれる、上記識別情報あるいは上記識別情報由来の情報を含む認証情報を認識する認証情報認識手段と、
上記認証情報認識手段で認識された上記認証情報に基づいて当該撮像機器の所定の機能の制限を行なう機能制限手段と、
を具備することを特徴とする請求項１に記載の撮像システム。
【請求項３】
上記撮像機器は、上記撮像手段で撮像された画像を出力する画像出力手段を更に具備し、
上記撮像機器の上記機能制限手段は、上記画像出力手段に係る機能を制限することを特徴とする請求項２に記載の撮像システム。
【請求項４】
上記撮像機器の上記識別情報送信手段が送信する上記識別情報は、変化することを特徴とする請求項１に記載の撮像システム。
【請求項５】
上記撮像機器の上記識別情報送信手段が送信する上記識別情報は、暗号化されていることを特徴とする請求項１に記載の撮像システム。
【請求項６】
上記撮像機器の上記識別情報送信手段が送信する上記識別情報は、上記撮像機器で撮影した画像または該画像由来の情報であることを特徴とする請求項１に記載の撮像システム。
【請求項７】
上記撮像機器の上記識別情報送信手段が送信する上記識別情報は、各撮像機器に固有の撮像機器固有情報を含むことを特徴とする請求項１に記載の撮像システム。
【請求項８】
上記指令機器は、
上記撮像機器の上記撮像機器固有情報と同じ情報を記憶する記憶手段と、
上記識別情報受信手段で受信した上記識別情報が含む上記撮像機器固有情報と上記記憶手段に記憶してある情報とを比較する比較手段と、
を更に具備することを特徴とする請求項７に記載の撮像システム。
【請求項９】
上記指令機器の上記指令送信手段が送信する上記認証指令が含む認証情報に含まれる上記識別情報由来の情報は、上記識別情報受信手段で受信した上記識別情報を所定のルールで変換したものであることを特徴とする請求項１に記載の撮像システム。
【請求項１０】
上記指令機器の上記指令送信手段は、当該指令機器に固有の指令機器固有情報を上記認証指令に含めて送信し、
上記撮像機器は、
上記指令機器の上記指令機器固有情報と同じ情報を記憶する記憶手段と、
上記指令機器の上記指令送信手段から送信された上記認証指令を受信する指令受信手段と、
上記指令受信手段で受信した上記認証指令に含まれる上記指令機器固有情報と上記記憶手段に記憶してある情報とを比較する比較手段と、
を更に具備有することを特徴とする請求項１に記載の撮像システム。
【請求項１１】
上記撮像機器の上記識別情報送信手段が送信する上記識別情報は、上記撮像機器に固有の撮像機器固有情報と可変情報とを含むことを特徴とする請求項１に記載の撮像システム。
【請求項１２】
上記指令機器の上記指令送信手段は、上記識別情報受信手段で受信した上記識別情報に含まれる上記可変情報と、当該指令機器に固有の指令機器固有情報とを、上記認証情報が含む上記識別情報由来の情報とすることを特徴とする請求項１１に記載の撮像システム。
【請求項１３】
上記撮像機器は、
乱数を生成する乱数生成手段と、
上記識別情報送信手段が送信する上記識別情報として、上記乱数発生手段により生成した乱数を含む識別情報を生成する識別情報生成手段と、
を更に具備することを特徴とする請求項１または４に記載の撮像システム。
【請求項１４】
上記撮像機器は、上記指令機器に送信する上記識別情報として、予め記憶した表の中から選んだデータを含む識別情報を生成する識別情報生成手段を更に具備することを特徴とする請求項１または４に記載の撮像システム。
【請求項１５】
上記指令機器は、上記識別情報受信手段での上記識別情報受信時から計数を開始する指令機器側計数手段を更に具備し、
上記指令機器の上記指令送信手段は、上記識別情報受信後に上記認証指令を送信する際には、上記指令機器側計数手段の計数値を上記認証指令に含めて送信し、
上記撮像機器は、
上記識別情報送信手段による上記識別情報の送信時を起点として計数を開始する撮像機器側計数手段と、
上記指令受信手段で上記認証指令を受信した際には、その受信した認証指令に含まれる上記指令機器側計数手段の計数値を、上記撮像機器側計数手段の計数値と比較する比較手段と、
を更に具備し、
上記撮像機器の上記機能制限手段は、上記比較手段の比較結果に基づいて上記機能の制限を設定することを特徴とする請求項２に記載の撮像システム。
【請求項１６】
上記撮像機器は、上記識別情報の送信指示を行う識別情報送信指示手段を更に具備し、
上記撮像機器の上記識別情報送信手段は、上記識別情報送信指示手段の送信指示により上記識別情報を送信することを特徴とする請求項１に記載の撮像システム。
【請求項１７】
上記指令機器の上記指令送信手段は、上記識別情報の送信を上記撮像機器に指示する識別情報送信指令を送信する識別情報送信指令送信手段を更に具備し、
上記撮像機器の上記識別情報送信手段は、上記指令機器の上記識別情報送信指令送信手段から送信された上記識別情報送信指令の受信に応じて、上記識別情報を送信することを特徴とする請求項１に記載の撮像システム。
【請求項１８】
上記撮像機器は、上記指令機器以外での当該撮像機器の機能の実行を不可とする禁止モードを含む複数のモードで動作し、
上記撮像機器の識別情報送信手段は、上記指令機器の上記指令送信手段からの上記禁止モードに切り替えるための禁止モード切替指令に応じて上記禁止モードに切り替える時に、上記識別情報を送信することを特徴とする請求項１に記載の撮像システム。
【請求項１９】
上記撮像機器の識別情報送信手段は、当該撮像機器の電源オン時に上記識別情報を送信することを特徴とする請求項１に記載の撮像システム。
【請求項２０】
上記指令機器は、上記識別情報受信手段で上記撮像機器よりの上記識別情報を受信した際に、そのことを告知する確認手段を更に具備することを特徴とする請求項１に記載の撮像システム。
【請求項２１】
上記指令機器は、上記識別情報受信手段で上記撮像機器よりの上記識別情報を受信した際に、その受信した識別情報を上記撮像機器に返信する識別情報返信手段を更に具備し、
上記撮像機器は、上記指令機器の上記識別情報返信手段によって返信されてきた識別情報と上記識別情報送信手段で送信した識別情報とを比較し、比較結果を出力する確認手段を更に具備することを特徴とする請求項１に記載の撮像システム。
【請求項２２】
上記指令機器の上記指令送信手段は、上記撮像機器に対して、上記撮像機器を制御するための指令を、上記認証指令として又は上記認証情報を含まない認証情報無し指令である一般指令として送信することを特徴とする請求項２に記載の撮像システム。
【請求項２３】
上記指令機器は、上記撮像機器の上記機能制限手段による上記機能の制限に関わる認証モード切替指令及び上記撮像機器の撮像動作に関わる撮影指令を、上記認証指令として送信することを特徴とする請求項２に記載の撮像システム。
【請求項２４】
上記指令機器は、上記一般指令と上記認証指令との何れを上記指令送信手段によって送信するかを切り替える切り替え手段を更に具備することを特徴とする請求項２２に記載の撮像システム。
【請求項２５】
上記指令機器の上記指令送信手段は、上記撮像機器の撮像動作に関わる撮影指令を上記一般指令として送信し、上記撮像機器の上記機能制限手段による上記機能の制限に関わる認証モード切替指令を上記認証指令として送信することを特徴とする請求項２２に記載の撮像システム。
【請求項２６】
上記指令機器は、上記一般指令と上記認証モード切替指令との何れを上記指令送信手段によって送信するかを切り替える切替手段を更に具備することを特徴とする請求項２５に記載の撮像システム。
【請求項２７】
上記撮像機器は、上記指令受信手段で受信された上記認証指令の内容を判別する指令判別手段を更に具備することを特徴とする請求項２に記載の撮像システム。
【請求項２８】
上記撮像機器の上記機能制限手段は、上記指令判別手段で判別した上記認証指令の内容に応じて、当該撮像機器の機能の制限を行なうことを特徴とする請求項２７に記載の撮像機器。
【請求項２９】
上記撮像機器は、上記指令判別手段で判別した上記認証指令の内容が当該撮像機器の認証モードの切り替えを指示する認証モード切替指令であったとき、その認証モード切替指令に応じて、当該撮像機器の認証モードを設定するモード設定手段を更に具備し、
上記撮像機器の上記機能制限手段は、上記モード設定手段によって設定された認証モードに応じて当該撮像機器の機能の制限を行なうことを特徴とする請求項２７に記載の撮像機器。
【請求項３０】
上記撮像機器の上記モード設定手段は、更に、当該撮像機器の電源投入時には、上記認証モードとして、禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項２９に記載の撮像システム。
【請求項３１】
上記撮像機器の上記モード設定手段は、当該撮像機器の電源断時に、現在設定されている認証モードを記憶しておくメモリを有することを特徴とする請求項２９に記載の撮像システム。
【請求項３２】
上記撮像機器の上記モード設定手段の上記メモリは、電源オフでも記憶内容を保持できる不揮発性メモリであることを特徴とする請求項３１に記載の撮像システム。
【請求項３３】
上記撮像機器の上記モード設定手段は、更に、当該撮像機器の電源投入時には、上記メモリに記憶されている認証モードを読み出して、その認証モードに設定することを特徴とする請求項３１に記載の撮像システム。
【請求項３４】
上記撮像機器の上記モード設定手段は、上記指令機器からの上記認証モード切替指令に応じてのみ、上記認証モードの設定を行うことを特徴とする請求項２９に記載の撮像システム。
【請求項３５】
上記撮像機器は、時間を計測する時間計測手段を更に具備し、
上記撮像機器の上記モード設定手段は、更に、上記時間計測手段によって計測された時間に基づいて、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項２９に記載の撮像システム。
【請求項３６】
上記撮像機器の上記時間計測手段は、当該撮像機器の電源オフ後でも時間を計測し続け、
上記撮像機器の上記モード設定手段は、上記時間計測手段が所定の時間を計測したときに、上記禁止モードを設定することを特徴とする請求項３５に記載の撮像システム。
【請求項３７】
上記撮像機器の上記モード設定手段は、電池が消耗あるいは取り外された場合、直ちにあるいは予め設定された時間後、あるいは電圧監視の結果により、上記認証モードとして、禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項２９又は３６に記載の撮像システム。
【請求項３８】
上記認証指令は、光又は電波で送信されることを特徴とする請求項１に記載の撮像システム。
【請求項３９】
上記認証指令を送信する上記指令送信手段を有する指令機器に加えて、上記指令送信手段を有さず、上記認証情報を含まない認証情報無し指令である一般指令を送信する一般指令送信手段を具備する指令機器を含み、
上記撮像機器の上記機能制限手段は、上記一般指令に関して予め許可された範囲にのみ、当該撮像機器の所定の機能の制限を行なうことを特徴とする請求項２に記載の撮像システム。
【請求項４０】
上記撮像機器は、内蔵メモリを更に具備し、
上記撮像機器の上記機能制限手段は、上記モード設定手段によって認証モードとして上記指令機器以外での当該撮像機器の機能の実行を不可とする禁止モードが設定されている場合、上記指令判別手段で判別した上記指令機器からの認証指令に基づいて上記撮像手段で撮像を行なった時、その撮像された画像の保存先を上記内蔵メモリのみに制限することを特徴とする請求項２９に記載の撮像システム。
【請求項４１】
上記撮像機器は、内蔵メモリを更に具備し、
上記撮像機器の上記機能制限手段は、上記内蔵メモリに記憶された画像を読み出して、表示、コピー、移動、及び印刷の何れかを行う場合は、上記認証情報認識手段で認識された上記認証情報により認証された上記指令機器からの上記認証指令によってのみ行なうよう制限することを特徴とする請求項２９に記載の撮像システム。
【請求項４２】
上記撮像機器は、更に、着脱可能なメモリを装着可能に構成され、
上記内蔵メモリに記憶された画像を上記着脱可能なメモリにコピー又は移動する場合は、暗号化して上記着脱可能なメモリに記憶することを特徴とする請求項４０又は４１に記載の撮像システム。
【請求項４３】
上記指令機器は、上記撮像手段で撮像された画像を上記内蔵メモリに記録するか、上記着脱可能なメモリに記録するかを選択する選択手段を更に具備することを特徴とする請求項４２に記載の撮像システム。
【請求項４４】
上記撮像機器の上記機能制限手段は、上記撮像手段での撮像に関する機能については、上記認証情報認識手段での上記認証情報の認識結果にかかわらず制限を行わず、それ以外の機能については、上記指令受信手段で受信し上記認証情報認識手段で認識した上記認証指令に付加された認証情報に基づいて機能の制限を行うことを特徴とする請求項２７に記載の撮像システム。
【請求項４５】
上記指令機器の上記指令送信手段は、上記認証指令に更に、上記制限する機能の範囲を指定する機能範囲情報を付加して送信し、
上記撮像機器の上記機能制限手段は、上記指令受信手段で受信した上記認証指令に付加された上記機能範囲情報に従って機能の制限を行なうことを特徴とする請求項４４に記載の撮像システム。
【請求項４６】
撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器との間で行われる上記撮像機器の認証方法であって、
上記撮像機器は、上記指令機器に対して当該撮像機器が当該指令機器の識別を行なうための識別情報を送信し、
上記指令機器は、
上記撮像機器より送信された上記識別情報を受信し、
その受信した上記識別情報あるいは上記識別情報由来の情報を含む、上記撮像機器が当該指令機器の認証を行なうための認証情報を含む認証情報付き指令を送信することを特徴とする撮像機器の認証方法。
【発明の詳細な説明】
【技術分野】
【０００１】
本発明は、撮像機器と該撮像機器の本体とは別体に構成された指令機器とを含む撮像システム、及び、そのような撮像システムにおける撮像機器の認証方法に関する。
【背景技術】
【０００２】
近年、個人情報の保護や情報セキュリティへの関心が高まり、自分で撮影した画像であっても画像の内容により、また他人が映っている場合には特に、個人情報の保護やプライバシ保護の観点から撮影済み画像の慎重な取り扱いが求められる場合が増加している。
【０００３】
従来の３５ｍｍフィルムカメラの場合、撮影枚数は２４枚から３６枚であり、仮に３６枚撮影済みフィルムを装填したままカメラを紛失あるいは盗まれても失う画像は高々３６枚であり、もちろん内容によっては大きな損失につながったり、情報流出によるリスクが無いわけではなかったが、失う画像の数としてはデジタルカメラに比べると相対的に少なかった。
【０００４】
一方、デジタルカメラの時代となり、撮影した画像はデジタル情報としてカメラ内のメモリに記録されており、簡単にコピーができると共に、所有者の許可なしにコピーされても元の画像はそのまま残っているため気がつかないことも起こり得る。
【０００５】
近年、デジタルカメラ用の記憶媒体の記憶容量は増加の一途をたどっている。メモリカードでは４ギガバイトの製品も発売されている。半導体の世界では、ムーアの法則が知られており、デザインルールは９０ｎｍから６５ｎｍへ、更には４５ｎｍへと細密化されつつあり、今後も半導体メモリの記憶容量は増加してゆく趨勢にある。また、小型ハードディスクの容量も増加しており、コンパクトフラッシュ（登録商標）カードサイズのハードディスクでも数ギガバイトになってきており、今後も記憶容量は増加してゆく趨勢にある。
【０００６】
例えば画像一枚あたりの記憶容量が平均１メガバイトの場合、２ギガバイトのメモリカードには２０００枚、６ギガバイトのハードディスクには６０００枚の画像が記録でき、フィルムカメラの時代とは比べ物にならないほど大量の個人情報をカメラと一緒に携帯している状況である。
【０００７】
デジタルカメラの画像には撮影日などが一緒に記録されており、またＧＰＳによる位置情報が記録できる製品もある。つまり、個人の行動記録や交友関係などのプライバシ情報が画像やデータとして大量に保管されている。もしカメラを紛失した場合、カメラは数万円から数十万円で買いなおせるが、失った画像や情報は時としてもっと大きな損失を招くリスクもある。
【０００８】
デジタルカメラでの画像記録フォーマットは標準化されており、カメラから着脱可能なメモリカードあるいはカード型ハードディスクを取り出してカード読取装置やパーソナルコンピュータ（以下、パソコンと略記する）のメモリスロットに差し込めば容易に画像や付帯情報を見たりコピーできる。
【０００９】
メモリの大容量化と低価格化を背景に、カメラに着脱できない１６メガバイト程度の内蔵メモリを持ち、万一着脱メモリが一杯になったり、忘れてきた場合でも画像の記録ができるカメラも出現してきた。そこで、内蔵メモリの容量を大きくして、内蔵メモリに画像を記録して、特定の条件でなければ内蔵メモリの画像は再生等ができないようにして安全性を高めると共に、従来の着脱式メモリは他との互換性を持たせるという使い方も実現出来る様になってきた。
【００１０】
従前よりカメラに所有者以外の使用を制限したり禁止することで情報漏洩や不正使用の防止を図りセキュリティを高める方法がいくつも提案されている。
【００１１】
例えば、特許文献１では、使用者のＩＤ情報を登録しておき、使用に先立ちＩＤ情報を読み取り照合し、一致した時のみ使用を許可するようにしている。具体的には、網膜パターン、指紋、声紋の照合機能を持たせることが提案されている。また、メモリカードにＩＤ情報を入れておき、読み取らせることも提案されている。また、ＩＤ入力部としてキーボードを設け、暗証番号を入力する方法も提案されている。
【００１２】
また、特許文献２では、ユーザが所持しているユーザの個人情報を記憶した電子機器と電子装置とが無線交信を行い、ユーザの個人情報を電子装置が自動的に読み取り、ユーザに応じて電子装置をカスタマイズすることが提案されている。
【００１３】
また、特許文献３では、リモートコントローラ（以下、リモコンと略記する）に識別データを記憶し、車庫のシャッタを開閉するシステムが提案されている。認証情報として秘密鍵を用いることや、情報暗号化が提案されている。また音声、虹彩、指紋の認証も提案されている。
【００１４】
また、情報や機器並びにシステムのセキュリティを確保するための方式として、安全性の高い公開鍵基盤による電子証明書の利用や、認証サーバとネットワークを利用したワンタイムパスワードの利用、が実用に供されている。
【特許文献１】特開２０００−１４７６２３号公報
【特許文献２】特開２００３−１６９２４７号公報
【特許文献３】特開２００５−４２３９８号公報
【発明の開示】
【発明が解決しようとする課題】
【００１５】
上記特許文献１では、網膜パターン、指紋、声紋の照合機能を持たせることが提案されているが、現在の技術レベルでは、他人受入れ率を厳しくすれば本人拒否率が上がってしまうことが知られており、１００％の認証は難しく、また認証機構が複雑なためコストがかかる。また、メモリカードにＩＤ情報を入れておき読み取らせることも提案されているが、デジタルカメラの画像記憶用メモリカードを兼用する場合はそのカメラ専用になってしまい、互換性を必要とする情報システムでは使い勝手が悪くなる。あるいは、画像記憶用メモリとは別にＩＤ用のカードを使用する場合は、画像記憶用メモリカードと区別して厳密に管理する必要があり、煩雑である。また、ＩＤ入力部としてキーボードを設け、暗証番号を入力する方法も提案されているが、暗証番号は盗み見や類推され易いという問題があることは周知のとおりである。
【００１６】
また、上記特許文献２では、利用者識別による使い勝手の向上を目的としており、利用者が見つからなかった場合にはデフォルト値でのカメラ使用を許可しているので、セキュリティ上の効果はない。
【００１７】
また、上記特許文献３では、認証情報として秘密鍵を用いることや情報暗号化が提案されており、車のドアの開閉やエンジンスタートの解除という鍵としての機能は満たされているが、単機能であり、ユーザの状況に応じた使用制限については開示されていない。更に、音声、虹彩、指紋の認証も提案されているが、携帯可能なカメラ等で認識率１００％の確保は難しく、１００回に一回でも認識できない場合があるとかえって不便をかけることになり、コストが掛かる割にはメリットが少ない。
【００１８】
また、情報や機器並びにシステムのセキュリティを確保するための方式として、安全性の高い公開鍵基盤による電子証明書の利用や、認証サーバとネットワークを利用したワンタイムパスワードの利用、が実用に供されているが、いずれも大掛かりなネットワークシステムが必要で、その運用費用は膨大であり、携帯情報機器であるカメラ等には不向きである。
【００１９】
本発明は、上記の点に鑑みてなされたもので、操作が容易で、コストも低く、安全性が高い撮像機器の使用制限機能を実現することが可能な撮像システム及び撮像機器の認証方法を提供することを目的とする。
【課題を解決するための手段】
【００２０】
本発明の撮像システムの一態様は、撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器と、を含む撮像システムにおいて、
上記撮像機器は、上記指令機器に対して当該撮像機器が当該指令機器の識別を行なうための識別情報を送信する識別情報送信手段を具備し、
上記指令機器は、
上記撮像機器より送信された上記識別情報を受信する識別情報受信手段と、
上記撮像機器を制御するための指令を、上記識別情報受信手段で受信した上記識別情報あるいは上記識別情報由来の情報を含む、上記撮像機器が当該指令機器の認証を行なうための認証情報を含む認証情報付き指令である認証指令として送信する指令送信手段と、
を具備することを特徴とする。
【００２１】
また、本発明の撮像機器の認証方法の一態様は、撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器との間で行われる上記撮像機器の認証方法であって、
上記撮像機器は、上記指令機器に対して当該撮像機器が当該指令機器の識別を行なうための識別情報を送信し、
上記指令機器は、
上記撮像機器より送信された上記識別情報を受信し、
その受信した上記識別情報あるいは上記識別情報由来の情報を含む、上記撮像機器が当該指令機器の認証を行なうための認証情報を含む認証情報付き指令を送信することを特徴とする。
【発明の効果】
【００２２】
本発明によれば、撮像機器本体の識別情報を指令機器に送信し、指令機器より送信する指令に上記識別情報を含めて送信することで、撮像機器と指令機器の対応を確実に行うことができる。万一、指令機器から撮像機器に送信された指令が盗聴されて複製されてしまった場合であっても、撮像機器の識別情報を適時変更して指令機器に送信してその識別情報を指令機器からの指令に付加して送り撮像機器で確認することにより正当な指令機器からの指令であることの確認の信頼性を向上することができる。
【００２３】
従って、操作が容易で、コストも低く、安全性が高い撮像機器の使用制限機能を実現することが可能な撮像システム及び撮像機器の認証方法を提供することができる。
【発明を実施するための最良の形態】
【００２４】
以下、本発明を実施するための最良の形態を図面を参照して説明する。
【００２５】
［第１実施形態］
本発明の第１実施形態に係る撮像システムは、撮像機器と、該撮像機器の本体とは別体に構成され、該撮像機器本体に対して指令を送信することにより上記撮像機器が該指令に対応した動作を行えるように構成された指令機器と、を含む。
【００２６】
図１（Ａ）及び（Ｂ）は、上記撮像機器の一例としてのデジタルカメラ１０の外観構成を示す斜視図である。
【００２７】
即ち、図１（Ａ）に示すように、該デジタルカメラ１０のカメラ本体１２の前面には、撮影用のレンズ部１４、撮影補助光発光用のフラッシュ１６、指令機器、例えば光学式のリモコンよりの信号受光用の受光素子１８、タイマ撮影時の予告表示やリモコンよりの指令確認用の発光素子２０、識別情報発信用の発光素子２２、撮影状態での録音や撮影後の音声メッセージ付加に用いるマイクロフォン２４が配置されている。なお、上記識別情報発信用の発光素子２２は、可視光を発する上記発光素子２０とは別に赤外線ＬＥＤ等を用いて独立して設けても良いし、あるいは上記発光素子２０を兼用しても良い。
【００２８】
また、カメラ本体１２の上面には、シャッタスイッチ２６が設けられている。このシャッタスイッチ２６は、静止画撮影状態では、２段モーションスイッチとなり、その半押しでピント合わせ、全押しでシャッタを切ることが出来る。これに対して、動画撮影状態では、１回押すと撮影を開始し、２回目を押すと撮影を停止する。また、カメラ本体１２の上面には更に、電源のオン、オフのスイッチであるパワースイッチ２８、該カメラ本体１２から指令機器へ識別情報の送信を指示をするための送信ボタン３０、電源オン時に点灯するパワーランプ３２、３位置切り替えのスライドスイッチであって、静止画撮影状態、動画撮影状態、画像再生状態が選択できるセレクトスイッチ３４、等が配置されている。
【００２９】
一方、カメラ本体１２の背面には、図１（Ｂ）に示すように、モニタ３６が設けられている。このモニタ３６は、１．８乃至は３インチ超で１１万画素乃至は２３万画素超の液晶等の表示器が用いられ、撮影時の画像確認、撮影後の画像の表示、撮影シーン選択用の撮影例画像表示、撮影条件等の設定メニュー、撮影枚数や電池残量の表示などを行なう。
【００３０】
更に、カメラ本体１２の背面には、十字スイッチ３８、ＯＫボタン４０、メニューボタン４２、ズームスイッチ４４、消去ボタン４６、プリントボタン４８、等が配置されている。ここで、十字スイッチ３８は、上下左右に押すことが出来る４箇所シーソスイッチであり、モニタ３６上に表示された複数項目の選択時に上下、左右に選択項目を移動する場合や、再生画像の前後の駒送りなどに用いる。ＯＫボタン４０は、条件設定時にモニタ３６上の選択項目を決定するスイッチであり、メニューボタン４２は、条件設定用の各種メニューを表示させるためのスイッチである。ズームスイッチ４４は、左右２箇所のシーソスイッチであり、撮影状態においては、Ｔ側を押すとレンズ部１４のズームレンズを望遠側に動かし、Ｗ側を押すと広角側にズームレンズを駆動する。また、このズームスイッチ４４は、再生状態では、画像の拡大や縮小、あるいはマルチ画面表示の制御にも使われる。再生状態で、消去ボタン４６を押すと、モニタ３６に消去の実行確認の表示が現れて、十字スイッチ３８により消去を選択してＯＫボタン４０を押すと、表示されている画像が消去される。また、再生状態で、プリントボタン４８を押すと、モニタ３６にプリントメニューを表示し、該デジタルカメラ１０とプリンタ（図示せず）が接続されていれば、当該デジタルカメラ１０内の画像を印刷することが出来る。
【００３１】
さらに、指令機器、例えば光学式のリモコンよりの信号受光用の受光素子１８を、カメラ本体１２の前面だけでなく、図１（Ｂ）に示すようなカメラ本体１２の背面に設けて、或いは更に側面にも設けて、指令機器からの指令光を多方向から受け取り易くしても良い。
【００３２】
また、カメラ本体１２の側面には、警告音や確認音の発生や、再生状態で録音されている音を再生するスピーカ５０が設けられている。
【００３３】
図２は、撮像機器の別の例としてのデジタルムービカメラ５２の外観構成を示す斜視図である。ここで、上記デジタルカメラ１０と同様の機能部材については、同一の参照番号を付す。即ち、このデジタルムービカメラ５２においては、そのカメラ本体１２の前面には、撮影用のレンズ部１４、撮影補助光発光用のフラッシュ１６、指令機器よりの信号受光用の受光素子１８、タイマ撮影時の予告表示や指令機器よりの指令確認用の発光素子２０、識別情報発信用の発光素子２２、撮影状態での録音や撮影後の音声メッセージ付加に用いるマイクロフォン２４が配置されている。なお、上記識別情報発信用の発光素子２２は、可視光を発する上記発光素子２０とは別に赤外線ＬＥＤ等を用いて独立して設けても良いし、あるいは上記発光素子２０を兼用しても良い。
【００３４】
また、カメラ本体１２の側面には、モニタ３６が回動自在に取り付けられており、撮影中の画像や撮影後の再生画像が表示でき、使わない時にはカメラ本体１２に密着収納できる。更に、カメラ本体１２の側面には、電源のオン、オフと、撮影や再生のモード切り替えが出来る電源モードスイッチ５４が配置されている。
【００３５】
カメラ本体１２の上面には、ズームスイッチ４４が設けられている。このズームスイッチ４４は、左右２箇所のシーソスイッチであり、撮影状態でＴ側を押すとズームレンズを望遠側に動かし、Ｗ側を押すと広角側にレンズを駆動する。また、再生状態では、モニタ３６における画像の拡大や縮小、あるいはマルチ画面表示の制御にも使われる。また、このカメラ本体１２の上面には、更に、該デジタルムービカメラ５２のカメラ本体１２から指令機器への識別情報を送信する指示をする送信ボタン３０が設けられている。
【００３６】
この他に、特に図示はしていないが、カメラ本体１２の側面や背面などに、各種接続コネクタ、メニューボタン、シャッタスイッチなどがある。さらに、指令機器、例えば光学式のリモコンよりの信号受光用の受光素子１８を、前面だけでなく背面あるいは側面にも設けて、指令機器からの指令光を多方向から受け取り易くしても良い。
【００３７】
図３は、指令機器としてのリモコンの種類を示す図である。リモコンには、上記カメラ本体１２がリモコンの認証を行うための認証情報を含む認証情報付き指令（以下、認証指令と記す）を送信する認証情報付きリモコンと、認証情報無し指令（一般指令）を送信する認証情報無しリモコン（以下、普通リモコンと記す）と、の２種類がある。認証指令には、認証情報付きの撮影指令（撮影や再生など）と、認証モード切替指令とがある。一般指令は、認証情報を含まない撮像や再生などの撮影指令である。一般指令機器からの一般指令では、後述するような許可モードにおいては全ての機能について、また後述するような制限モードでは制限されていない機能についての指令が行える。認証情報の詳細については、後述する。
【００３８】
上記普通リモコンは、認証情報を持たず、認証モード切り替え機能は無く、指令には認証情報を含まないもので、許可モードあるいは制限モードで使用する。この普通リモコンは、自宅や限られた場所などで、カメラ本体１２の盗難や置忘れの恐れが少ない場合の使用に向いている。
【００３９】
一方、上記認証情報付きリモコンには、更に、認証モード切替リモコンと認証指令リモコンとの２種類が存在する。
【００４０】
上記認証モード切替リモコンは、認証モード切替指令の発信の場合は認証情報を付け、それ以外の撮影指令等には認証情報を付けないリモコンである。この認証モード切替リモコンは、撮影等は許可モードや制限モードでは認証情報の付かない一般指令で使用し、撮影をしない間は認証モードを後述するような禁止モードに切り替え、盗難や置忘れに備えておき、撮影等したくなったらまた許可モードあるいは制限モードに切り替えるような使い方に向いている。
【００４１】
上記認証指令リモコンは、撮影指令を含め全ての指令の発信に認証情報を付けるリモコンである。この認証指令リモコンは、旅行先や混雑している場所などで撮像機器の盗難や置忘れの恐れが大きい場合の使用に向いている。即ち、カメラ本体１２を禁止モードに設定しておき、全ての指令を認証指令として送信することにより、禁止モードでもカメラ本体１２の操作がリモコン指令により行なうことが出来るとともに、万一カメラ本体１２を紛失しても禁止モードに設定されているのでカメラ単体では操作ができいため、撮影済みの画像等の情報の不正視聴などのリスクを軽減することができる。
【００４２】
図４（Ａ）は、認証モード切替リモコンの一例としてのカメラ用の光学式リモコン５６の外観構成を示す斜視図である。
【００４３】
即ち、この光学式リモコン５６の端面には、認証指令発信用の発光部５８が構成されており、該発光部５８より指令として撮影などの一般指令や認証モード切替指令を撮像機器であるデジタルカメラ１０やデジタルムービカメラ５２に発信する。さらに、この端面には識別情報受信用の受光部６０が構成されており、該受光部６０で撮像機器であるデジタルカメラ１０やデジタルムービカメラ５２のカメラ本体１２に設けられた上記識別情報発信用の発光素子２２から送信された上記識別情報を受信する。
【００４４】
また、この光学式リモコン５６の上面には、撮影指令ボタン６２、認証設定スイッチ６４、テレボタン６６、ワイドボタン６８、プラスボタン７０、マイナスボタン７２、等が配置されている。該光学式リモコン５６は、撮影指令ボタン６２が押された時に撮影指令として撮影実行指令を一般指令の形態でカメラ本体１２に発信する。上記認証設定スイッチ６４は、その操作部６４Ａの位置により通常位置と認証位置を切り替えるためのものであり、その位置により他のスイッチ６６〜７２の機能が切り替わるようになっている。
【００４５】
図４（Ｂ）及び（Ｃ）は、上記認証設定スイッチ６４の拡大図である。この認証設定スイッチ６４は、２位置切り替えスイッチであり、操作部６４Ａが図４（Ｂ）のように上方の通常位置６４Ｂにある時は通常位置、図４（Ｃ）のように下方の認証位置６４Ｃにある時は認証位置となる。
【００４６】
即ち、テレボタン６６が押された時、操作部６４Ａが通常位置６４Ｂとなっていれば、撮影指令としてカメラ本体１２にレンズ部１４を望遠側に駆動するＴボタン指令を一般指令の形態で発信し、操作部６４Ａが認証位置６４Ｃとなっていれば、認証モード切替指令としてカメラ本体１２を制限モードに切り替える指令（制限指令）を認証指令の形態で発信する。
【００４７】
ワイドボタン６８が押された時には、操作部６４Ａが通常位置６４Ｂでは、撮影指令としてカメラ本体１２にレンズ部１４を広角側に駆動するＷボタン指令を一般指令の形態で発信し、操作部６４Ａが認証位置６４Ｃでは、認証モード切替指令としてカメラ本体１２を設定モードに切り替える指令（設定指令）を認証指令の形態で発信する。
【００４８】
プラスボタン７０が押された時は、操作部６４Ａが通常位置６４Ｂでは、撮影指令として再生時の駒送りやメニュー選択時の選択項目移動の指令を一般指令の形態で発信し、操作部６４Ａが認証位置６４Ｃでは、認証モード切替指令としてカメラ本体１２を禁止モードに切り替える指令（禁止指令）を認証指令の形態で発信する。
【００４９】
マイナスボタン７２が押された時は、操作部６４Ａが通常位置６４Ｂでは、撮影指令として再生時の駒送りやメニュー選択時の選択項目移動の指令を一般指令の形態で発信し、操作部６４Ａが認証位置６４Ｃでは、認証モード切替指令としてカメラ本体１２を許可モードに切り替える指令（許可指令）を認証指令の形態で発信する。
【００５０】
なお、カメラ本体１２における各モードの詳細については後で説明する。
【００５１】
図５は、認証モード切替リモコンの他の例として、カメラ用の光学式リモコン７４の外観構成を示す斜視図である。ここで、上記光学式リモコン５６と同様の機能部材については、同一の参照番号を付す。即ち、この光学式リモコン７４においても、その端面に、指令発信用の発光部５８があり、該発光部５８より指令としての一般指令や認証モード切替指令を撮像機器に発信する。さらに、この端面には識別情報受信用の受光部６０が構成されており、該受光部６０で撮像機器であるデジタルカメラ１０やデジタルムービカメラ５２のカメラ本体１２に設けられた上記識別情報発信用の発光素子２２から送信された上記識別情報を受信する。そして、上面には、撮影指令ボタン６２、認証設定スイッチ６４、テレボタン６６、ワイドボタン６８、十字スイッチ７６、ＯＫボタン７８、メニューボタン８０、プリントボタン８２、情報ボタン８４、消去ボタン８６、回転ボタン８８、保護ボタン９０、等が配置されている。
【００５２】
該光学式リモコン７４は、撮影指令ボタン６２が押された時に、撮影指令として撮影実行指令を一般指令の形態でカメラ本体１２に発信する。また、テレボタン６６とワイドボタン６８はシーソスイッチとなっており、テレボタン６６が押された時は撮影指令としてＴボタン指令を一般指令の形態で発信し、それを受信したカメラ本体１２においては、撮影状態であればレンズ部１４を望遠側に駆動し、再生状態であればモニタ３６における画像の拡大やマルチ画面の表示制御を行うようになっている。同様に、ワイドボタン６８が押された時は撮影指令としてＷボタン指令を一般指令の形態で発信し、それを受信したカメラ本体１２において、撮影状態ではレンズ部１４を広角側に駆動し、再生状態ではモニタ３６における画像の縮小やマルチ画面の表示の制御を行う。
【００５３】
また、十字スイッチ７６は、上下左右に押すことが出来る４箇所シーソスイッチであり、その押された方向に応じた操作指令を撮影指令として一般指令の形態で発信する。これは、カメラ本体１２におけるモニタ３６上に表示された複数項目の選択時に上下、左右に選択項目を指示する場合や、再生画像の前後の駒送りなどに用いられる。ＯＫボタン７８は、条件設定時にモニタ３６上の選択項目を決定するスイッチであり、それが押された時にＯＫ指令を撮影指令として一般指令の形態で発信する。メニューボタン８０は、条件設定用の各種メニューをモニタ３６に表示させるためのスイッチであり、それが押された時に撮影指令としてメニュー指令を一般指令の形態で発信する。
【００５４】
また、消去ボタン８６が押されると撮影指令として消去指令を一般指令の形態で発信し、カメラ本体１２においては、それを受信した時に再生状態で消去が機能制限されていなければ、モニタ３６に消去の実行確認の表示を行う。そして、十字スイッチ７６により消去を選択した上で、ＯＫボタン７８が押されると、表示されている画像が消去されるものである。
【００５５】
認証設定スイッチ６４は、図４（Ｂ）及び（Ｃ）と同様に、その操作部６４Ａの位置により通常位置６４Ｂと認証位置６４Ｃを切り替えるためのものであり、その位置により他のボタン８２，８４，８８，９０の機能が切り替わるようになっている。
【００５６】
即ち、操作部６４Ａが通常位置６４Ｂでプリントボタン８２が押された時には、撮影指令として印刷指令を一般指令の形態で発信し、それを受信したカメラ本体１２においては、モニタ３６にプリントメニューを表示し、当該カメラ本体１２とプリンタが接続されていればカメラ本体１２内の画像を印刷することが出来る。これに対して、操作部６４Ａが認証位置６４Ｃでプリントボタン８２が押されると、認証モード切替指令として設定指令を認証指令の形態で発信し、その受信に応じてカメラ本体１２が設定モードに切り替わる。
【００５７】
また、操作部６４Ａが通常位置６４Ｂで情報ボタン８４が押された時には、撮影指令として情報表示指令を一般指令の形態で発信し、それを受信したカメラ本体１２においては、モニタ３６に表示画像の情報を表示する。これに対して、操作部６４Ａが認証位置６４Ｃで情報ボタン８４が押された場合には、認証モード切替指令として制限指令を認証指令の形態で発信し、その受信に応じてカメラ本体１２器が制限モードに切り替わる。
【００５８】
また、操作部６４Ａが通常位置６４Ｂで回転ボタン８８が押された時には、撮影指令として回転指令を一般指令の形態で発信し、それを受信したカメラ本体１２においては、モニタ３６の表示画像が９０度回転する。これに対して、操作部６４Ａが認証位置６４Ｃで回転ボタン８８が押された場合には、認証モード切替指令として許可指令を一般指令の形態で発信し、その受信に応じてカメラ本体１２が許可モードに切り替わる。
【００５９】
そして、操作部６４Ａが通常位置６４Ｂで保護ボタン９０が押されると、撮影指令として保護指令を一般指令の形態で発信し、それを受信したカメラ本体１２においては、モニタ３６の表示画像に保護フラグをつけ、消去できないように保護する。なお、この保護フラグは、上記メニューボタン８０の操作によるメニューで解除することが出来る。これに対して、操作部６４Ａが認証位置６４Ｃで保護ボタン９０が押された時には、認証モード切替指令として禁止指令を認証指令の形態で発信し、その受信に応じてカメラ本体１２が禁止モードに切り替わる。
【００６０】
図６（Ａ）は、認証情報無しリモコンである普通リモコンの一例としてのカメラ用の光学式リモコン９２の外観構成を示す斜視図である。この認証情報無しの光学式リモコン９２の場合は、一般指令のみを送信可能であり、認証設定スイッチ６４を持たず、認証に関する機能は無い。また、識別情報の受光部は無く、指令機器固有の情報も持たない。後述するように、撮像機器が許可モードあるいは制限モードで許可されている機能に対する指令を発信することができる。
【００６１】
即ち、この光学式リモコン９２の端面には、一般指令発信用の発光部５８が構成されており、該発光部５８より一般指令を撮像機器であるデジタルカメラ１０やデジタルムービカメラ５２に発信する。
【００６２】
また、上面には、撮影指令ボタン６２、テレボタン６６、ワイドボタン６８、プラスボタン７０、マイナスボタン７２、等が配置されている。該光学式リモコン５６は、撮影指令ボタン６２が押された時に撮影指令として撮影実行指令をカメラ本体１２に発信する。テレボタン６６が押された時には、撮影指令としてカメラ本体１２にレンズ部１４を望遠側に駆動するＴボタン指令を発信する。ワイドボタン６８が押された時には、撮影指令としてカメラ本体１２にレンズ部１４を広角側に駆動するＷボタン指令を発信する。プラスボタン７０が押された時は、撮影指令として再生時の駒送りやメニュー選択時の選択項目移動の指令を発信する。マイナスボタン７２が押された時は、撮影指令として再生時の駒送りやメニュー選択時の選択項目移動の指令を発信する。
【００６３】
図６（Ｂ）は、普通リモコンの他の例としての別のカメラ用の光学式リモコン９４の外観構成を示す斜視図である。この認証情報無しリモコンである光学式リモコン９４の場合は、一般指令のみを送信可能であり、認証設定スイッチ６４を持たず、認証に関する機能は無い。また識別情報の受光部は無く、指令機器固有の情報も持たない。後述するように、撮像機器が許可モードあるいは制限モードで許可されている機能に対する指令を発信することができる。
【００６４】
即ち、この光学式リモコン９４においても、その端面に、指令発信用の発光部５８があり、該発光部５８より一般指令を撮像機器に発信する。そして、上面には、撮影指令ボタン６２、テレボタン６６、ワイドボタン６８、十字スイッチ７６、ＯＫボタン７８、メニューボタン８０、プリントボタン８２、情報ボタン８４、消去ボタン８６、回転ボタン８８、保護ボタン９０、等が配置されている。
【００６５】
該光学式リモコン９４は、撮影指令ボタン６２が押された時に、撮影指令として撮影実行指令を撮像機器に発信する。また、テレボタン６６が押された時は撮影指令としてＴボタン指令を発信し、ワイドボタン６８が押された時は撮影指令としてＷボタン指令を発信する。十字スイッチ７６は、上下左右に押すことが出来る４箇所シーソスイッチであり、その押された方向に応じた操作指令を撮影指令として発信する。ＯＫボタン７８が押された時には、撮影指令としてＯＫ指令を発信する。
【００６６】
また、メニューボタン８０が押された時には撮影指令としてメニュー指令を発信する。消去ボタン８６が押されると、撮影指令として消去指令を発信する。また、プリントボタン８２が押された時には、撮影指令として印刷指令を発信する。情報ボタン８４が押された時には、撮影指令として情報表示指令を発信する。回転ボタン８８が押された時には、撮影指令として回転指令を発信する。保護ボタン９０が押されると、撮影指令として保護指令を発信する。
【００６７】
図６（Ｃ）は、認証指令リモコンの一例としてのカメラ用の光学式リモコン９６の外観構成を示す斜視図である。ここで、上記光学式リモコン７４，９４と同様の機能部材については、同一の参照番号を付す。
【００６８】
即ち、この光学式リモコン９６においては、その端面に指令発信用の発光部５８があり、該発光部５８より指令としての認証指令を撮像機器に発信する。さらに、この端面には識別情報受信用の受光部６０が構成されており、該受光部６０で撮像機器であるデジタルカメラ１０やデジタルムービカメラ５２のカメラ本体１２に設けられた上記識別情報発信用の発光素子２２から送信された上記識別情報を受信する。
【００６９】
さらに、この光学式リモコン９６の上面には、撮影指令ボタン６２、テレボタン６６、ワイドボタン６８、十字スイッチ７６、ＯＫボタン７８、メニューボタン８０、プリントボタン８２、情報ボタン８４、消去ボタン８６、回転ボタン８８、保護ボタン９０、制限ボタン９８、設定ボタン１００、禁止ボタン１０２、許可ボタン１０４、等が配置されている。該光学式リモコン９６より発信される指令は全て認証指令即ち認証情報付きの指令である。
【００７０】
該光学式リモコン９６は、撮影指令ボタン６２が押された時に、撮影指令として撮影実行指令をカメラ本体１２に発信する。また、テレボタン６６が押された時は、撮影指令としてＴボタン指令を発信し、それを受信したカメラ本体１２においては、撮影状態であればレンズ部１４を望遠側に駆動し、再生状態であればモニタ３６における画像の拡大やマルチ画面の表示制御を行うようになっている。同様に、ワイドボタン６８が押された時は、撮影指令としてＷボタン指令を発信し、それを受信したカメラ本体１２において、撮影状態ではレンズ部１４を広角側に駆動し、再生状態ではモニタ３６における画像の縮小やマルチ画面の表示の制御を行う。
【００７１】
また、十字スイッチ７６は、上下左右に押すことが出来る４箇所シーソスイッチであり、その押された方向に応じた操作指令を撮影指令として発信する。これは、カメラ本体１２におけるモニタ３６上に表示された複数項目の選択時に上下、左右に選択項目を指示する場合や、再生画像の前後の駒送りなどに用いられる。ＯＫボタン７８は、条件設定時にモニタ３６上の選択項目を決定するスイッチであり、それが押された時に撮影指令としてＯＫ指令を発信する。メニューボタン８０は、条件設定用の各種メニューをモニタ３６に表示させるためのスイッチであり、それが押された時に撮影指令としてメニュー指令を発信する。また、消去ボタン８６が押されると撮影指令として消去指令を発信し、カメラ本体１２においては、それを受信した時に再生状態で消去が機能制限されていなければ、モニタ３６に消去の実行確認の表示を行う。そして、十字スイッチ７６により消去を選択した上で、ＯＫボタン７８が押されると、表示されている画像が消去されるものである。プリントボタン８２が押された時には、撮影指令として印刷指令を発信し、それを受信したカメラ本体１２においては、モニタ３６にプリントメニューを表示し、当該カメラ本体１２とプリンタが接続されていればカメラ本体１２内の画像を印刷することが出来る。また、情報ボタン８４が押された時には、撮影指令として情報表示指令を発信し、それを受信したカメラ本体１２においては、モニタ３６に表示画像の情報を表示する。また、回転ボタン８８が押された時には、撮影指令として回転指令を発信し、それを受信したカメラ本体１２においては、モニタ３６の表示画像が９０度回転する。そして、保護ボタン９０が押されると、撮影指令として保護指令を発信し、それを受信したカメラ本体１２においては、モニタ３６の表示画像に保護フラグをつけ、消去できないように保護する。なお、この保護フラグは、上記メニューボタン８０の操作によるメニューで解除することが出来る。
【００７２】
また、制限ボタン９８が押された時は、認証モード切替指令として制限指令を発信し、その受信に応じてカメラ本体１２が制限モードへ切り替わる。設定ボタン１００が押された時には、認証モード切替指令として設定指令を発信し、その受信に応じてカメラ本体１２が設定モードに切り替わる。禁止ボタン１０２が押された時には、認証モード切替指令として禁止指令を発信し、その受信に応じてカメラ本体１２が禁止モードに切り替わる。許可ボタン１０４が押された時には、認証モード切替指令として許可指令を発信し、その受信に応じてカメラ本体１２が許可モードに切り替わる。
【００７３】
このように、この光学式リモコン９６では、認証設定スイッチは無く、撮影等の指令と認証モード切り替えのボタンは独立している。認証モードの切り替えは重要なので、ミスタッチなどによる誤操作を防止するために、ボタン９８，１００，１０２，１０４の何れかと撮影指令ボタン６２とを同時に押した時に、対応する認証モードへの切替指令を発信するようにしても良い。
【００７４】
なお、上記リモコン５６，７４，９２，９４，９６はそれぞれ指令機器の例であり、上記構成に限定されるものではないことは勿論である。例えば、更にスイッチ、ボタンを追加しても構わない。
【００７５】
図７は、上記デジタルカメラ１０の電気的な構成を示すブロック図である。上記レンズ部１４は、被写体の像を撮像素子１０６上に結像させる。撮像機器の種類によって一眼レフタイプやレンズシャッタタイプ、あるいはズーム機能、オートフォーカス機能、明るさ絞り機能などを含む。撮像素子１０６は、被写体の像を電気信号に変換するもので、ＣＣＤタイプやＣＭＯＳタイプの撮像素子が用いられ、画素数は１００万画素クラスから１０００万画素超クラスが用いられる。撮像処理回路１０８は、撮像素子１０６からの信号を処理しＡ／Ｄ変換して、メニュー等で設定されている所定のフォーマットで内蔵メモリ１１０あるいは着脱メモリ１１２に記録する。そのフォーマットとしては、画像圧縮しないＲＡＷデータ形式や標準圧縮方式によるＪＰＥＧ形式あるいは動画の場合はモーションＪＰＥＧ形式やＭＰＥＧ２、ＭＰＥＧ４形式などが用いられる。
【００７６】
識別情報発光部１１４は、識別情報受信機能付きの光学式リモコン５６，７４あるいは９６に、識別情報を発光素子２２より送信する。これは、図９で説明するように、識別情報生成部１１６Ａの情報に基づき主制御部１１６が発信部１１４Ｂの搬送波を変調部１１４Ａで変調してトランジスタ１１４Ｃを駆動し発光素子２２より識別情報等を光学式リモコン５６，７４，９６に送信する。また、受光部１１８は、上記光学式リモコン５６，７４，９２，９４あるいは９６よりの指令光を受光素子１８で電気信号に変換し、増幅、復調し、主制御部１１６と協調してデコードして指令データに変換する。
【００７７】
ズーム制御部１２０は、静止画あるいは動画撮影が可能な場合に、カメラ本体１２のズームスイッチ４４あるいはリモコン５６，７４，９２，９４又は９６のテレボタン６６もしくはワイドボタン６８が操作されたとき、レンズ部１４を駆動する。露光制御部１２２は、デジタルカメラ１０に設定されている撮影条件にしたがって被写体の明るさに応じて絞りの制御や撮像素子１０６の制御を行なう。測距制御部１２４は、撮像素子１０６からの信号を用いてレンズ部１４の駆動及び合焦検出制御を行なう。
【００７８】
画像処理回路１２６は、主制御部１１６のＣＰＵ及びプログラムと協調して、画像の拡大縮小、圧縮伸長、歪補正、色補正、ノイズ除去、合成、回転などの処理を行なう。着脱メモリ１１２は、画像記録用のメモリであり、半導体メモリカードやハードディスクドライブで構成され、カメラ本体１２のコネクタ（図示せず）に着脱できる。この着脱メモリ１１２としては、数十メガバイトから数ギガバイトのものが用いられ、画像やその属性情報が記録される。暗号化・復号化回路１２８は、着脱メモリ１１２に画像を記録する際に暗号化して記録する場合及び暗号化された画像を復号化する場合、あるいは認証情報等の暗号化と復号化に用いる。ただし、処理を主制御部１１６のＣＰＵでプログラムで行なう場合は省略することができる。外部インターフェイス１３０は、デジタルカメラ１０とプリンタやパソコンあるいはハードディスクなどの外部記憶装置やテレビジョン受像機（以下、テレビと略記する）などとの接続のための信号変換機能とコネクタを含む。プリンタとの接続にはピクトブリッジ、パソコンや外部記憶装置とはＵＳＢ、テレビとはビデオケーブル等で接続することが出来る。バス１３２は、各部を結ぶ共通信号線群であり、データバス、アドレスバス、コントロールバスなどである。
【００７９】
主制御部１１６は、特に図示はしていないが、ＣＰＵ、ＲＯＭ、ＲＡＭ、レジスタ、カウンタ、タイマ、書き換え可能な不揮発性メモリなどを含むマイクロコンピュータシステムであり、当該デジタルカメラ１０全体の制御や表示、データ処理を司る。また、この主制御部１１６は、該デジタルカメラ１０が、認証情報付きリモコン（認証モード切替リモコンである光学式リモコン５６，７４及び認証指令リモコンである光学式リモコン９６）の識別を行なうために該デジタルカメラ１０の識別情報を予め該デジタルカメラ１０から上記認証情報付きリモコンに送っておき、その認証情報付きリモコンからの認証指令にその識別情報を含めて送らせることにより、該デジタルカメラ１０と対応するリモコンであるかどうかを確実に識別することが出来るようにするため、上記識別情報を生成する識別情報生成部１１６Ａを有する。この識別情報は、上記識別情報発光部１１４より認証情報付きリモコンに送信される。識別情報は後で説明するように、固定の識別情報や可変の識別情報がある。また、この主制御部１１６に、デジタルカメラ１０の固有の情報を記憶しておく固有情報記憶部１１６Ｂを設けて、識別情報の一部として認証情報付きリモコンに送信することにより、該デジタルカメラ１０と認証情報付きリモコンとの対応をより確実に行なうようにしても良い。これらの識別情報は不揮発性メモリに記録しておき、固定の識別情報並びに固有の識別情報の記録は当該デジタルカメラ１０の工場出荷前あるいは販売前に行なっておくことが望ましい。更に、この識別情報は、不正利用を防止する観点から、暗号化されていることが望ましい。
【００８０】
内蔵メモリ１１０は、撮影した画像を当該内蔵メモリ１１０のみに記録することが選択されている場合の画像等の記録、あるいは禁止モードにおける撮影画像等の記録、あるいは制限モード及び許可モードにおいて着脱メモリ１１２が一杯あるいは無い場合にも画像の記録が出来る、当該デジタルカメラ１０から取り出し出来ないメモリである。この内蔵メモリ１１０としては、数十メガバイトから数ギガバイトの半導体メモリあるいは数百メガバイトから十ギガバイトクラスの超小型ハードディスクが好適である。
【００８１】
モードメモリ１３４は、不揮発性メモリで構成され、認証モードの記憶、保持をすることができる。電源がオフでも記憶は保持されており、これにより、禁止モード等が設定されていて故意あるいは過失で電池が抜かれたまま放置された場合であっても禁止モード等は保持され、次の電源オン時には禁止モード等になる。
【００８２】
フラッシュ１６は、静止画撮影時に、メニューで設定されたフラッシュモード、例えば暗い時や逆光で自動発光するモード、弱く発光するソフト発光モード、本発光前に数回の予備発光をする赤目軽減モード、必ず発光する強制発光モード、発光しない発光禁止モード、にしたがってフラッシュ発光を行なう。発光部１３６は、発光素子２０の点灯を制御する。表示制御部１３８は、モニタ３６に撮影画像や再生画像、メニューや情報及び警報用の文字や記号の表示制御を行なう。音声処理部１４０は、撮影時にマイクロフォン２４で拾った音を処理して記録させることや、再生時に記録されている音を再生処理してスピーカ５０に供給したり、警報音等をスピーカ５０に供給する。
【００８３】
電源回路１４２は、電池１４４あるいは外部の電源（図示せず）からの電力を、各部に必要な電圧に変換して供給する。電池１４４は交換可能で、リチュームイオン充電電池や乾電池が用いられる。
【００８４】
禁止タイマ１４６は、タイマスタート後、予め設定された時間が経過した時、時間切れとなり、モードメモリ１３４の認証モードを禁止モードに設定する。電池１４４及び電源回路１４２と協働してカメラ本体１２の電源がオフの状態であっても禁止タイマ１４６には電源が供給されており、カウントを続け予め設定された時間が経過した時、時間切れとなりモードメモリ１３４の認証モードを禁止モードにする。この際、短時間、主制御部１１６とモードメモリ１３４に電源を供給して禁止モードをプログラムで設定する様に構成することもできる。あるいは、主制御部１１６は介さずに禁止タイマ１４６自身でモードメモリ１３４の禁止設定が行なえるよう、禁止モード設定アドレスの発生と、禁止モードデータの発生及び制御バスの短時間駆動によって、モードメモリ１３４に禁止モードの設定を行なっても良い。また、電源回路１４２に電圧監視機能を持たせて、回路動作にとって電圧が不十分なレベルになる前に禁止モードを設定するようにしても良い。電池１４４が抜き取られた場合に、バックアップ電池あるいはキャパシタの有無等を考慮して予め設定された時間後に禁止モードに強制移行しても良い。
【００８５】
このような方式を採用することにより、故意あるいは過失により電池１４４が抜き取られたまま、あるいは消耗したまま放置されてバックアップ用の電池あるいはキャパシタの電気も消耗してしまい禁止タイマ１４６がカウントできなくなって、予め設定した時間が経過しても禁止モードを設定することができなくなってしまい、当該デジタルカメラ１０が使用できてしまうことを防止できる。
【００８６】
パワースイッチ２８でカメラ本体１２の電源のオン、オフを行い、オンのときはパワーランプ３２が点灯している。シャッタスイッチ２６、送信ボタン３０、セレクトスイッチ３４、十字スイッチ３８、ＯＫボタン４０、メニューボタン４２、ズームスイッチ４４、消去ボタン４６、プリントボタン４８は、図１（Ａ）及び（Ｂ）を参照して説明した通りである。各スイッチ及びボタンは、主制御部１１６のＣＰＵの割り込みライン及び／又は入出力ポートに接続されている。
【００８７】
デジタルムービカメラ５２の場合、外観等は長時間の動画撮影時の操作性等を考慮した形状になっているが、基本的な機能構成は、図７に示したデジタルカメラ１０のそれと同様である。
【００８８】
図８は、デジタルカメラ１０における上記受光部１１８の構成を示すブロック図である。受光素子１８は、光学式リモコン５６，７４，９２，９４又は９６よりの光を電流に変換する。なお、受光素子１８の前面には、使用波長に合わせた光を通す光学フィルタ（図示せず）を設けて外乱光の影響を除去することが望ましい。上記受光素子１８で変換された電流は、増幅部１１８Ａで増幅され、フィルタ部１１８Ｂで搬送波周波数に合わせた帯域を通過された後、検波部１１８Ｃで検波され、積分部１１８Ｄで搬送波周波数成分が除去されて信号成分が再生され、波形整形部１１８Ｅで整形されて、デコーダ部１１８Ｆに入力され、該デコーダ部１１８Ｆで一般指令あるいは認証指令がデコードされ、バス１３２を介して主制御部１１６に通知される。
【００８９】
図９は、デジタルカメラ１０における上記識別情報発光部１１４の構成を示す図である。変調部１１４Ａは、主制御部１１６よりの信号で、発振部１１４Ｂが発生する搬送波を変調してトランジスタ１１４Ｃを駆動し、発光素子２２を点滅させる。抵抗１１４Ｄは、電流制限用である。発光素子２２には、赤外線発光ダイオードで波長が９００〜９５０ｎｍのものが用いられることが多いが、他の波長あるいは可視光でも良い。
【００９０】
図１０は、認証情報付きリモコン（認証モード切替リモコン）の一例としての上記光学式リモコン５６の電気的な構成を示すブロック図である。制御部１４８は、特に図示はしていないが、ＣＰＵやメモリなどを含み、当該光学式リモコン５６全体の制御や表示、データ処理を司る。制御部１４８は、ボタン６２，６６〜７２の何れかがオンになった時、認証設定スイッチ６４の状態を読み取り、その状態に対応した指令信号を発生する。また、この制御部１４８には、撮像機器であるデジタルカメラ１０又はデジタルムービカメラ５２が認証情報付きリモコンの認証を行なうために、リモコンより送信する認証情報を発生する認証情報生成部１４８Ａを有している。認証情報としては、後で説明するように、撮像機器から送信された撮像機器の識別情報あるいはその由来の情報、撮像機器の固有情報がある。また、この制御部１４８には、リモコンと対応する撮像機器を認証するための当該光学式リモコン５６の固有の情報を記憶しておく、固有情報記憶部１４８Ｂがある。この固有の情報は、上記認証情報の一部として撮像機器に送信される。これらの認証情報は、不揮発性メモリに記録しておき、固有の識別情報の記録は当該光学式リモコン５６の工場出荷前あるいは販売前に行なっておくことが望ましい。更に、この識別情報は、不正利用を防止する観点から、暗号化されていることが望ましい。
【００９１】
制御部１４８は、ボタンが押し続けられている間は、予め設定された時間、信号を発生する。変調部１５０は、制御部１４８よりの信号で、発振部１５２が発生する搬送波を変調してトランジスタ１５４を駆動し、発光部５８の発光素子５８Ａを点滅させる。抵抗１５６は、電流制限用である。発光素子５８Ａには、赤外線発光ダイオードで波長が９００〜９５０ｎｍのものが用いられることが多いが、他の波長あるいは可視光でも良い。
【００９２】
また、制御部１４８には、受光処理部１４８Ｃがあり、受光部６０の受光素子６０Ａで受信した撮像機器からの識別情報を図１１で説明するように処理する。
【００９３】
なお、認証情報無しの普通リモコンである上記光学式リモコン９２の電気的な構成は、図１０に示した認証情報付きの上記光学式リモコン５６のそれと同様であるので、その図示及び説明は省略する。但し、認証情報無しの光学式リモコン９２においては、受光部６０の受光素子６０Ａ、制御部１４８の認証情報生成部１４８Ａ、固有情報記憶部１４８Ｂ及び受光処理部１４８Ｃは備えられていない。
【００９４】
図１１は、認証情報付きの上記光学式リモコン５６の制御部１４８内の上記受光処理部１４８Ｃの構成を示す図である。受光部６０の受光素子６０Ａは、デジタルカメラ１０あるいはデジタルムービカメラ５２よりの識別情報光を電流に変換する。なお、受光部６０の受光素子６０Ａの前面には、使用波長に合せた光を通す光学フィルタ（図示せず）を設けて外乱光の影響を除去することが望ましい。上記受光部６０の受光素子６０Ａで変換された電流は、増幅部１４８Ｃ１で増幅され、フィルタ部１４８Ｃ２で搬送波周波数に合わせた帯域を通過された後、検波部１４８Ｃ３で検波され、積分部１４８Ｃ４で搬送波周波数成分が除去されて信号成分が再生され、波形整形部１４８Ｃ５で整形されて、デコーダ部１４８Ｃ６に入力され、該デコーダ部１４８Ｃ６で識別情報がデコードされる。
【００９５】
図１２は、認証情報付きリモコン（認証モード切替リモコン）の一例としての上記光学式リモコン７４の電気的な構成を示すブロック図である。制御部１４８は、ボタン及びスイッチ６２，６６，６８，７６〜９０の何れかがオンになった時、認証設定スイッチ６４の状態を読み取り、その状態に対応した指令信号を発生する。また、制御部１４８には、撮像機器であるデジタルカメラ１０又はデジタルムービカメラ５２が認証情報付きリモコンの認証を行なうために、リモコンより送信する認証情報を発生する認証情報生成部１４８Ａを有している。認証情報としては、後で説明するように、撮像機器から送信された撮像機器の識別情報あるいはその由来の情報、撮像機器の固有情報がある。また、この制御部１４８には、リモコンと対応する撮像機器を認証するための該光学式リモコン７４の固有の情報を記憶しておく、固有情報記憶部１４８Ｂがあり、認証情報の一部として撮像機器に送信される。これらの認証情報は不揮発性メモリに記録しておき、固有の識別情報の記録は当該リモコン７４の工場出荷前あるいは販売前に行なっておくことが望ましい。更に、この識別情報は、不正利用を防止する観点から、暗号化されていることが望ましい。
【００９６】
制御部１４８は、ボタン又はスイッチが押し続けられている間は、予め設定された時間、信号を発生する。搬送波周波数として４０ＫＨｚを用いる場合、該制御部１４８として、ワンチップマイコンで直接、発光部５８の発光素子５８Ａを駆動できるものを用いれば、プログラムで高周波変調信号を発生させ、上記変調部１５０と発振部１５２とトランジスタ１５４を省略する構成をとることが出来る。したがって、電流制限用の抵抗１５６を介して電源に接続されている発光部５８は、直接、制御部１４８に接続される。
【００９７】
また、制御部１４８には、受光処理部１４８Ｃがあり、受光部６０の受光素子６０Ａで受信した撮像機器からの識別情報を図１１で説明したように処理する。
【００９８】
なお、認証情報無しの普通リモコンである上記光学式リモコン９４の電気的な構成は、図１２に示した認証情報付きの上記光学式リモコン７４のそれと同様であるので、その図示及び説明は省略する。但し、認証情報無しの上記光学式リモコン９４においては、受光部６０の受光素子６０Ａ、受光処理部１４８Ｃ、制御部１４８の認証情報生成部１４８Ａ及び固有情報記憶部１４８Ｂは備えられていない。
【００９９】
図１３は、認証情報付きリモコン（認証指令リモコン）の一例としての上記光学式リモコン９６の電気的な構成を示すブロック図である。制御部１４８は、ボタン及びスイッチ６２，６６，６８，７６〜９０，９８〜１０４の何れかがオンになった時、指令信号を発生する。また、制御部１４８には、撮像機器であるデジタルカメラ１０又はデジタルムービカメラ５２が認証情報付きリモコンの認証を行なうために、リモコンより送信する認証情報を発生する認証情報生成部１４８Ａを有している。認証情報としては、後で説明するように、撮像機器から送信された撮像機器の識別情報あるいはその由来の情報、撮像機器の固有情報がある。また、この制御部１４８には、リモコンと対応する撮像機器を認証するためのリモコンの固有の情報を記憶しておく、固有情報記憶部１４８Ｂがあり、認証情報の一部として撮像機器に送信される。これらの認証情報は不揮発性メモリに記録しておき、固有の識別情報の記録は当該光学式リモコン９６のの工場出荷前あるいは販売前に行なっておくことが望ましい。更に、この識別情報は、不正利用を防止する観点から、暗号化されていることが望ましい。
【０１００】
制御部１４８は、ボタン又はスイッチが押し続けられている間は、予め設定された時間、信号を発生する。搬送波周波数として４０ＫＨｚを用いる場合、該制御部１４８として、ワンチップマイコンで直接、発光部５８の発光素子５８Ａを駆動できるものを用いれば、プログラムで高周波変調信号を発生させ、変調部，発振部，トランジスタを省略する構成をとることが出来る。したがって、電流制限用の抵抗１５６を介して電源に接続されている発光部５８は、直接、制御部１４８に接続される。
【０１０１】
また、制御部１４８には、受光部１３８Ａがあり、受光部６０の受光素子６０Ａで受信した撮像機器からの識別情報を図１１で説明したように処理する。
【０１０２】
上記撮像機器であるデジタルカメラ１０又はデジタルムービカメラ５２、上記指令機器である光学式リモコン５６，７４，９２，９４又は９６の発生する信号を、図１４（Ａ）乃至図１４（Ｄ）を参照して説明する。
【０１０３】
ここで、図１４（Ａ）は、送信データ信号の基本を示す図である。８ビットの１バイトデータを送信する場合、送信データ信号は、リーダコードと、８ビットデータ部と、スットプコードと、から構成される。図１４（Ｂ）は、データ信号１ビットの構成を示す図である。論理「０」の場合、信号単位時間Ｔ＝５００マイクロ秒（以下μＳ）のオンとオフの計１ミリ秒（以下ｍＳ）で表し、論理「１」の場合、１Ｔのオンと３Ｔのオフの計２ｍＳで表す。図１４（Ａ）のデータ信号の場合は、リーダコードが８Ｔのオンと４Ｔのオフで計１２Ｔ＝６ｍＳであり、データ８ビット（「０１０１００１１」）は論理「０」が４個で４ｍＳ、論理「１」が４個で８ｍＳの合計１２ｍＳ、ストップコードは６０Ｔで３０ｍＳであり、合計４８ｍＳとなる。
【０１０４】
図１４（Ｃ）は、データｎバイトを送る場合を示す図であり、リーダコードに続きｎバイトのデータ、最後にストップコードとなる。
【０１０５】
図１４（Ｄ）は、図１０に示した光学式リモコン５６又は９２の変調部１５０の出力波形を示す図である。制御部１４８よりのデータ信号により発振部１５２から供給される搬送波を変調し、トランジスタ１５４を駆動する論理「０」の波形を示している。搬送周波数４０ｋＨｚの場合、１Ｔ＝５００μＳには搬送波２０パルスが入り、発光部５８の発光素子５８Ａを点滅する。
【０１０６】
図１２に示した光学式リモコン７４（及び９４）及び図１３に示した光学式リモコン９６の制御部１４８から発光部５８への出力波形においても同様である。
【０１０７】
また、図９に示した撮像機器のカメラ本体１２側における識別情報発光部１１４においても同様である。
【０１０８】
発光部５８よりの光は、カメラ本体１２側において、受光素子１８で略図１４（Ｄ）の変調波形に近い形の信号に様々なノイズや直流成分が乗った形で再生される。そして、増幅部１１８Ａで増幅され、搬送波周波数４０ｋＨｚの帯域通過フィルタ部１１８Ｂで雑音等を除去した後、検波部１１８Ｃと積分部１１８Ｄ及び波形整形部１１８Ｅで図１４（Ｃ）の信号波形が再生され、デコーダ部１１８Ｆでデータに変換される。
【０１０９】
光学式リモコン５６，７４，９６側の受光処理部１４８Ｃにおいても同様に、カメラ本体１２の発光素子２２よりの光は、受光部６０の受光素子６０Ａで略図１４（Ｄ）の変調波形に近い形の信号に様々なノイズや直流成分が乗った形で再生される。そして、増幅部１４８Ｃ１で増幅され、搬送波周波数４０ｋＨｚの帯域通過フィルタ部１４８Ｃ２で雑音等を除去した後、検波部１４８Ｃ３と積分部１４８Ｃ４及び波形整形部１４８Ｃ５で図１４（Ｃ）の信号波形が再生され、デコーダ部１４８Ｃ６でデータに変換される。
【０１１０】
図１５は、カメラ本体１２から認証情報付きリモコン（認証モード切替リモコンである光学式５６，７４及び認証指令リモコンである光学式リモコン９６）への識別情報送受信手順を説明する図である。カメラ本体１２においては、識別情報の送信原因の発生に応じて（ステップＳＴ１０）、発光素子２２により識別情報が送信される（ステップＳＴ１２）。この識別情報の送信は、所定時間又は所定回の送信が行われた後に停止される（ステップＳＴ１４）。
【０１１１】
識別情報の送信原因としては、カメラ本体１２の送信ボタン３０が押されたことがある（原因Ａ）。また、そのような送信ボタン３０のオン以外にも送信の原因として、光学式リモコン５６，７４又は９６より識別情報送信指令を送信し（ステップＳＴ１６）、その識別情報送信指令を受信したこと（原因Ｂ）、光学式リモコン５６，７４又は９６より禁止モード指令を送信し（ステップＳＴ１８）、その禁止モード指令の受信による禁止モードへの切り替え（原因Ｃ）、電源オン（原因Ｄ）がある。これらの詳細については、後で説明する。なお、カメラ本体１２の送信ボタン３０のオンに代えて、あるいは並行して、メニューの一つとして識別情報の送信指示メニューを設けても良い。
【０１１２】
また、光学式リモコン５６，７４又は９６側においては、上記識別情報を受信すると制御部１４８への割り込みが発生し（ステップＳＴ２０）、その受信した識別情報を、当該制御部１４８内に設けた対応するメモリ（図示せず）に書き込む（ステップＳＴ２２）。ここで、既に書き込まれた識別情報が存在する場合は、上書きされる。そして、識別情報の受信を告知する（ステップＳＴ２４）。この告知の詳細については、後述する第１３実施形態で説明する。
【０１１３】
図１６（Ａ）乃至（Ｆ）は、上記識別情報のデータフォーマットの例を示す図である。ここで、図１６（Ａ）は、識別情報１５８のみを送信する場合の例で、識別情報１５８をリーダコード１６０とストップコード１６２で挟んだで送信する。図１６（Ｂ）は、識別情報１５８の他にヘッダ１６４を付加して、受信側の情報解読を容易にする場合の例である。図１６（Ｃ）は、更にエラー訂正用の情報としてＰバイトのＥＣＣ１６６を付加して、送受信の信頼性を向上させる場合の例である。識別情報１５８としては、撮像機器の機種ごとに固定の情報を用いること、撮像機器一台ごとに固有の情報を用いること、後述するような可変の情報を用いること、あるいはそれらの組み合わせが利用できる。
【０１１４】
図１６（Ｄ）乃至図１６（Ｆ）は、図１６（Ａ）乃至（Ｃ）にそれぞれ、撮像機器固有の情報１６８を付加した場合の例である。識別情報として、撮像機器固有の情報１６８と識別情報１５８を送る場合に、可変の情報として後で説明する、図２９の乱数、あるいはデータ表の値、あるいは図３０の計数値を組合わせて送ることができ、識別情報の安全性を高めることが出来る。
【０１１５】
識別情報は重要な情報なので、図７の暗号化・復号化回路１２８で暗号化してから送信することが望ましい。あるいは、主制御部１１６のプログラムとＣＰＵで暗号化しても良い。こうして暗号化された識別情報は、指令機器である光学式リモコン５６，７４又は９６で受信された後、一旦、該光学式リモコン５６，７４又は９６の制御部１４８のプログラムとＣＰＵで復号化されてから、再び暗号化して認証指令に付加して送信される。あるいは、暗号化されたまま保持され、認証指令に付加して送信されることでも良い。
【０１１６】
図１７（Ａ）乃至（Ｉ）は、光学式リモコンの指令のデータフォーマットを示す図である。ここで、図１７（Ａ）乃至図１７（Ｃ）は認証情報無しリモコン（普通リモコン）である光学式リモコン９２又は９４からの一般指令を、図１７（Ｄ）乃至図１７（Ｉ）は認証情報付きの光学式リモコン５６，７４又は９６からの認証指令を示している。
【０１１７】
図１７（Ａ）は、図１４（Ｃ）に相当するものであり、基本的には、リーダコード１７０とストップコード１７２で指令の内容を示すデータ部１７４を挟む形で、固定長でも可変長でも良い。また、図１７（Ｂ）に示すように、データ部１７４の前にヘッダ１７６を付けて、データ形式やリモコンの種類などを固定フォームで追加しても良い。更に、図１７（Ｃ）に示すように、データ部１７４の後ろに、エラー検出のためのデータやエラー訂正用のデータ（ＥＣＣ１７８）を添付しても良い。あるいは、市販の家電製品用のリモコンで行なわれているようなデータビットパターンを直後に反転して送り、両者の一致を取ってエラーの有無を検出するようにしても良い。
【０１１８】
更に、認証指令の場合で、カメラ本体１２から受信した識別情報１５８を付加する際は、図１７（Ｄ）乃至図１７（Ｆ）に示すように、その受信した識別情報１５８を付加して送信する。或いは、識別情報１５８をデータ部１７４又はヘッダ１７６の一部に含めて送信することもできる（この場合、デーフォーマットは図１７（Ａ）乃至図１７（Ｃ）に示すものとなる）。
【０１１９】
この識別情報１５８は、図１５及び図１６（Ａ）乃至（Ｆ）で説明したように、撮像機器のカメラ本体１２側の主制御部１１６の識別情報生成部１１６Ａにより生成され、識別情報発光部１１４により発光素子２２を用いて送信され、光学式リモコン５６，７４又は９６側の受光部６０を用いて制御部１４８内の受光処理部１４８Ｃで受信された識別情報１５８と同じものであり、カメラ本体１２側でリモコンよりの指令が正しいリモコンから送信されたものか否かを判別するために用いる。識別情報１５８は、認証指令を受信したカメラ本体１２側の主制御部１１６が、当該カメラ本体１２が送信した識別情報と同一の情報否かを比較して、認証情報付きリモコンである光学式リモコン５６，７４又は９６が当該カメラ本体１２の保有者が意図したリモコンであるか否かを判定できる。これにより、カメラ本体１２より送信した識別情報１５８を受信していないリモコンによる当該カメラ本体１２の不正利用を防止できる。
【０１２０】
図１７（Ｇ）乃至（Ｉ）は、認証情報付きリモコンである光学式リモコン５６，７４及び９６の認証指令としての認証モード切替指令のデータフォーマットを示す図である。認証モード切替リモコンとしての光学式リモコン５６又は７４では、認証設定スイッチ６４の操作部６４Ａが認証位置６４Ｃに設定されていて、禁止または制限または設定または許可に割り当てられたボタンが押された場合に、当該光学式リモコン５６又は７４より、例えば、図１７（Ｇ）に示すように、その押されたボタンに応じた認証モード切替指令データ１８０が、リーダコード１７０とストップコード１７２で挟まれて、また、識別情報１５８が付加されて発信される。あるいは、図１７（Ｈ）に示すようにヘッダ１７６、更には図１７（Ｉ）に示すようにＥＣＣ１７８を付加して発信される。このようなフォーマットの信号は、カメラ本体１２において、受光素子１８で受光され、デコーダ部１１８Ｆで認証モード切替指令に変換される。
【０１２１】
認証モード切替指令データ１８０は、一般データと区別できるように、普通は現れない文字列を用いるもので、例えば、図１８に示すように、「ＺＺＡＡ」、「ＺＺＢＢ」、「ＺＺＣＣ」、「ＺＺＤＤ」のように４文字で表す。ここで、文字数は任意であるが、認証モード切替指令が明確に区別できる文字の組み合わせと長さが必要である。
【０１２２】
また、図１７（Ｄ）乃至図１７（Ｆ）に示したフォーマットを用いて、そのｎバイトのデータ部１７４に認証モード切替指令用の文字列を入れて発信するようにしても良い。例えば、禁止モードへの切り替えは「ＺＺＮＩＮＳＨＯ＝ＡＡ」、制限モードへの切り替えは「ＺＺＮＩＮＳＨＯ＝ＢＢ」、設定モードへの切り替えは「ＺＺＮＩＮＳＨＯ＝ＣＣ」許可モードへの切り替えは「ＺＺＮＩＮＳＨＯ＝ＤＤ」のように用いても良い。
【０１２３】
また、認証指令リモコンである光学式リモコン９６の場合は、認証設定スイッチ６４は無く、認証モード切り替え用のボタンが独立して設けてある。禁止ボタン１０２または制限ボタン９８または設定ボタン１００または許可ボタン１０４が押された場合に、例えば、図１７（Ｇ）に示すように、その押されたボタンに応じた認証モード切替指令データ１８０が、リーダコード１７０とストップコード１７２で挟まれて、また、識別情報１５８が付加されて発信される。あるいは、図１７（Ｈ）に示すようにヘッダ１７６、更には図１７（Ｉ）に示すようにＥＣＣ１７８を付加して発信される。
【０１２４】
図１９は、カメラ本体１２の認証モードを示す図である。同図に示すように、認証モードには、「禁止モード」、「制限モード」、「設定モード」、及び「許可モード」の４種類がある。
【０１２５】
「禁止モード」は、認証情報付きリモコン以外での使用を不可とするモードである。認証情報付きリモコンからの認証情報付きの指令が来ないとカメラ本体１２の操作は出来ないので、認証情報付きリモコンである光学式リモコン５６，７４又は９６をカメラ本体１２とは別に携帯あるいは保管しておき、カメラ本体１２を禁止モードにしておくことにより、万一カメラ本体１２単体を紛失してしまい、そのカメラ本体１２を第三者が入手したとしても、第三者がそのカメラ本体１２を使用することは出来ない。保管時や携帯時に紛失してもカメラ本体１２が使用できないと共に、カメラ本体１２内の画像の漏洩が防止できる。なお、この禁止モードでも、認証情報付きリモコン保有者は認証情報付きリモコン（光学式リモコン５６，７４又は９６）を使ってカメラ本体１２を操作することができる。
【０１２６】
「制限モード」は、認証情報付きリモコン、認証情報無しリモコン（普通リモコン）の何れにおいても、図２１を参照して後述するような許可されている機能のみが使用できるモードである。この制限モードは、一時的にカメラ本体１２を貸す場合や、本人が使用して撮影のみ行なう場合で、消去や転送を禁止する場合に便利である。
【０１２７】
「設定モード」は、上記制限モードにおける制限機能の設定・変更を、認証情報付きリモコンを用いて行なうことが出来るモードである。
【０１２８】
「許可モード」は、カメラ本体１２を自由に使えるモードであり、本人や家族が盗難等のリスクが少ない自宅など限定された場所で使用する場合や、カメラ本体１２内の画像を消去した状態で他人に貸与する場合に好適な、いわばカメラ本体１２に鍵が掛かっていない状態である。この許可モードでは、認証情報無しリモコン（普通リモコン）で操作できる。また、認証モード切り替え機能付きリモコンであっても認証の切り替え以外の全ての機能が実行可能である。更に、認証指令リモコンでも操作できる。
【０１２９】
図２０は、カメラ本体１２の電源の投入時の認証モード設定指定に関する選択を説明する図である。この設定は、メニューを使って、電源投入時にモードメモリ１３４の記憶モードに関係なく強制的に禁止モードとなる設定（「禁止モード」）と、電源投入時にモードメモリ１３４に記憶されている認証モード（「モードメモリ記憶モード」）になる設定との何れかかが指定できる。これは、メニューで電源投入時の認証モード設定の画面を表示し、認証情報付きリモコンである上記光学式リモコン５６のプラスボタン７０とマイナスボタン７２、あるいは認証情報付きリモコンである上記光学式リモコン７４あるいは９６の十字スイッチ７６で選択し、撮影指令ボタン６２により確定する操作で設定する。この設定結果は、モードメモリ１３４又は主制御部１１６内の不揮発性メモリに保存される。
【０１３０】
電源投入時に「禁止モード」となるように設定しておくことにより、認証情報付きリモコンを持っていて該認証情報付きリモコンで指令するか、認証情報付きリモコンで他の認証モードに切り替えない限り、カメラ本体１２単独では使用できない、即ちカメラ本体１２に鍵が掛かった状態にできる。これに対して、電源投入時に「モードメモリ記憶モード」となるように設定しておけば、カメラ本体１２はモードメモリ１３４に記憶されているモードとなり、許可モードであればカメラ本体１２を自由に使用でき、制限モードであれば設定された使用可能機能に従った使用ができる。禁止モード及び設定モードであれば、認証情報付きリモコンが必要である。許可モード及び制限モードになった場合は、禁止タイマ１４６がスタートし、設定された時間が過ぎると禁止モードになる。
【０１３１】
図２１は、制限モードでの使用可能な機能を説明する図である。認証情報付きリモコンの設定スイッチ（光学式リモコン５６では認証設定スイッチ６４及びワイドボタン６８、光学式リモコン７４では認証設定スイッチ６４及びプリントボタン８２、光学式リモコン９６では設定ボタン１００）を押すと設定モードに切り替わり、図２１に示す機能と制限フラグがモニタ３６に表示され、光学式リモコン５６のプラスボタン７０とマイナスボタン７２、あるいは光学式リモコン７４あるいは９６の十字スイッチ７６で項目を選択し、撮影指令ボタン６２により可又は不可を確定する操作で設定することが出来る。その設定結果は、機能制限表として、モードメモリ１３４又は主制御部１１６内の不揮発性メモリに保存される。
【０１３２】
ここで、「撮影可」で静止画及び動画の撮影ができる。
【０１３３】
「再生可」で内蔵メモリ１１０及び着脱メモリ１１２内の画像の再生が出来る。更に再生状態で使用可能な機能を細かく設定できる。即ち、「消去可」で消去ができ、「転送可」でパソコン等への転送ができ、「印刷可」でプリンタへの印刷ができ、「編集可」で画像の編集が出来る。
【０１３４】
「メニュー可」で撮影条件の変更などができる。
【０１３５】
また、上述したように、カメラ本体１２のスイッチやボタンが押された場合、カメラ本体１２の主制御部１１６のＣＰＵに割り込みやリセットが掛かり、対応した動作が行なわれる。図２２は、その大略を示した図である。各対応動作の詳細については後述するので、ここでは対応の概要を、デジタルカメラ１０の場合を例に説明するものであり、撮像機器の種類により、対応するスイッチやボタンが無いもの、別の名称となっているもの、等もある。
【０１３６】
カメラ本体１２が電源オフの状態で、パワースイッチ２８が押されると電源が入り、主制御部１１６のＣＰＵにリセットが掛かり動作が開始される。また、電源がオンの状態でパワースイッチ２８が押されると、動作を終了し電源がオフとなる。
【０１３７】
セレクトスイッチ３４が切り替わると、現在の状態を終了し、新たな状態に移行する。シャッタスイッチ２６が押されると、シャッタスイッチオンのフラグを立てる。このフラグはプログラムで読み取られ、撮像動作の開始や終了動作を行なう。メニューボタン４２が押されると、モニタ３６にメニューを表示し、十字スイッチ３８やＯＫボタン４０での設定変更ができる。メニュー表示中に再度メニューボタン４２が押されると、メニュー動作は終了する。ズームスイッチ４４がＴ側あるいはＷ側に押されると、ズーム制御部１２０を駆動する。十字スイッチ３８の何れかが押されると、対応するスイッチフラグを立てる。ＯＫボタン４０が押されると、ＯＫボタンフラグを立てる。消去ボタン４６が押されると、モニタ３６に消去の確認メニューを表示し、対応する確認のスイッチが押されると消去を実行する。プリントボタン４８が押されると、モニタ３６にプリントメニューを表示し、以降所定の印刷動作を行なう。
【０１３８】
また、送信ボタン３０が押されると割り込み信号を発生し、主制御部１１６は、その割り込みに応じて識別情報発光部１１４により識別情報を送信する。あるいは、送信ボタン３０が押されると対応するスイッチフラグを立てるものとし、主制御部１１６が詳細は後述するような所定のタイミングで当該スイッチフラグの状態を検出して、当該スイッチフラグが立っていれば識別情報発光部１１４により識別情報を送信するというようにしても良い。
【０１３９】
上記で立てられたフラグは、用途によって読み取られた段階でクリアされる場合と、スイッチやボタンが押し続けられている間（オンの間）は立てておきオフでクリアされる場合がある。
【０１４０】
次に、図２３を参照して、リモコンのスイッチやボタンが押された場合のカメラ本体１２の対応動作の大略を説明する。リモコンの種類により、対応するボタン等が無いものもある。カメラ本体１２は電源オン後、常にリモコンよりの信号を受信し対応する動作ができる状態にある。リモコンよりの信号をキャッチすると割り込みにより処理中のプログラムを中断して、リモコン信号を受信処理して、図１７（Ａ）乃至（Ｆ）及び図１７（Ｇ）乃至（Ｉ）で説明したようなリモコンデータフォーマットの受信データを所定のメモリに格納し、その意味するところの指令に沿った動作を行なう。
【０１４１】
また、認証情報付きリモコンの場合には、当該リモコンがカメラの識別情報を有しているものかどうかを判別するため、カメラ本体１２より送信された識別情報を認証情報に含めて送信する。カメラ本体１２側では、その送信されてきた認証情報に含まれる識別情報を当該カメラ本体１２に記憶されている識別情報と比較して、そのリモコンが予め当該カメラ本体１２より識別情報を送ってある、即ち当該カメラ本体１２のお墨付きを得ているリモコンであるか否かを判断する。
【０１４２】
光学式リモコン９２又は９４のような認証情報のない普通リモコンの場合は、識別情報は使用しないが、許可モード及び制限モードで制限されていない機能のみ使用できる。禁止モードでは使用できない。
【０１４３】
リモコンよりの指令を受けたカメラ本体１２では、主制御部１１６のＣＰＵが、以下のように、そのリモコンよりの受信データを解読した結果に対応してそれぞれの動作を行なう。
【０１４４】
即ち、光学式リモコン５６，７４，９２，９４又は９６の撮影指令ボタン６２が押された場合は、撮影指令フラグを立てる。このフラグは、撮影状態の場合は、プログラムで読み取られ、撮像動作の開始や終了動作を行なう。設定モードにおいては、認証情報付きの光学式リモコン５６，７４又は９６の場合のみ選択項目の確定を行なう。光学式リモコン５６，７４，９２，９４又は９６のテレボタン６６又はワイドボタン６８が押されると、ズーム制御部１２０を駆動する。光学式リモコン５６又は９２のプラスボタン７０又はマイナスボタン７２が押されると、対応するスイッチフラグを立てる。
【０１４５】
光学式リモコン７４，９４又は９６の十字スイッチ７６の何れかが押されると、対応するスイッチフラグを立てる。光学式リモコン７４，９４又は９６のＯＫボタン７８が押されると、ＯＫボタンフラグを立てる。光学式リモコン７４，９４又は９６の情報ボタン８４が押されると、モニタ３６に表示中の画像の情報を表示し、再度押されると、その情報表示を中止する。光学式リモコン７４，９４又は９６のプリントボタン８２が押されると、モニタ３６にプリントメニューを表示し、以降所定の印刷動作を行なう。光学式リモコン７４，９４又は９６のメニューボタン８０が押されると、モニタ３６にメニューを表示し、十字スイッチ７６やＯＫボタン７８により設定、変更ができる。メニュー表示中に再度メニューボタン８０が押されると、メニュー動作は終了する。光学式リモコン７４，９４又は９６の消去ボタン８６が押されると、モニタ３６に消去の確認メニューを表示し、対応する確認のスイッチが押されると、表示中の画像の消去を実行する。光学式リモコン７４，９４又は９６の保護ボタン９０が押されると、モニタ３６に表示中の画像に保護フラグが付けられる。この保護フラグ付きの画像を上記消去ボタン８６操作により消去しようとすると、誤消去を防ぐための警告がモニタ３６に表示され、消去するには消去の実行を選択して消去する。保護フラグ付きの画像が表示されている状態で保護ボタン９０を押すと、保護フラグが解除される。光学式リモコン７４，９４又は９６の回転ボタン８８が押されると、モニタ３６に表示されている画像が右９０度回転し、再度押されると左９０度回転画像になり、もう一度押されると元の画像に戻る。
【０１４６】
なお、独立したボタンとして、制限ボタン９８、設定ボタン１００、禁止ボタン１０２及び許可ボタン１０４を備えた認証情報付きリモコン（認証指令リモコン）である光学式リモコン９６の場合は、制限ボタン９８が押されると制限指令が発信され、撮像機器は制限モードに切り替わる。設定ボタン１００が押されると設定指令が発信され、撮像機器は設定モードに切り替わる。禁止ボタン１０２が押されると禁止指令が発信され、撮像機器は禁止モードに切り替わる。許可ボタン１０４が押されると許可指令が発信され、撮像機器は許可モードに切り替わる。
【０１４７】
図２４は、認証モードの遷移を説明するための図である。電源オフの状態で（ステップＳ１０）、パワースイッチ２８がオン操作されると（ステップＳ１２）、図２０で説明した電源オン時の認証モード設定指定及びモードメモリ記憶モードを読み込み、禁止モードか否かを判断する（ステップＳ１４）。ここで、禁止モードであると判断された場合には、禁止モードＭ１になる。
【０１４８】
これに対して、上記ステップＳ１４で禁止モード以外であると判断された場合には、許可モードか否かを判断する（ステップＳ１６）。ここで、許可モードであると判断された時には、許可モードＭ４になる。
【０１４９】
上記ステップＳ１６において許可モードでもないと判断された時は、制限モードか否かを判断する（ステップＳ１８）。ここで、制限モードであると判断された場合は、制限モードＭ２になる。これに対して、制限モードでもないと判断された場合には、設定モードＭ３になる。
【０１５０】
各モード間の遷移は、認証情報付きリモコンである光学式リモコン５６，７４あるいは９６よりの認証モード切替指令でも切り替えることができ、図中の禁止指令、制限指令、許可指令、設定指令で示すような遷移をする。
【０１５１】
更に、カメラ本体１２単体でも何らかの使用ができる制限モードＭ２及び許可モードＭ４に切り替わった場合は、その時点からカメラ本体１２内の禁止タイマ１４６がカウントを始め（ステップＳ２０）、予め設定された時間が過ぎるとカメラ本体１２は自動的に禁止モードＭ１に切り替わり、以降は認証情報付きリモコンが無いと使用ができない。禁止モードＭ１を解除するためには認証情報付きリモコンが必要である。禁止タイマ１４６は、カメラ本体１２の電源がオフされてもカウントを続け、予め設定された時間が過ぎると自動的に禁止モードＭ１となる。したがって、許可モードＭ４や制限モードＭ２のままカメラ本体１２を紛失しても、予め設定した時間が過ぎるとそのカメラ本体１２は使用できなくなる。設定時間は、使用者がメニューで指定でき、例えば１０分でも、１時間でも、一日でも、一週間でも良い。所有者が使用する場合でも、禁止タイマ１４６を短時間の設定にしておき許可モードＭ４で使用することで、いちいち認証情報付きリモコンで操作しなくてもカメラ本体１２を自由に使えて、かつ万一盗難等にあっても短時間で禁止モードＭ１になるので比較的安全である。
【０１５２】
パワースイッチ２８が再び押されて（ステップＳ２２）、電源がオフされる場合、現在の認証モードをモードメモリ１３４に保存しておく（ステップＳ２４）。そして、電源オフの状態となる（ステップＳ１０）。
【０１５３】
図２５Ａ乃至図２５Ｇは、撮像機器における状態遷移とプロセスを説明する一連のフローチャートを示している。なお、ここでは撮像機器がデジタルカメラ１０の場合を例に説明するが、デジタルムービカメラ５２の場合も、スイッチ操作等が異なること以外は同様である。
【０１５４】
まず、撮影状態を中心に説明する。図２５Ａに示すように、電源オフの状態において（ステップＳ１０）、パワースイッチ２８が押されると（ステップＳ１２）、カメラ本体１２の電源がオンとなり、モニタ３６に初期画面が表示される（ステップＳ１００）。この初期画面には、電池残量を示すマーク等が表示される。そしてその後、図２４で説明したように、電源オン時の認証モード設定指定及びモードメモリ１３４の記憶モードを読み取り、モードにしたがって分岐する（ステップＳ１０２）。
【０１５５】
ここで、許可モードＭ４又は制限モードＭ２であると判断された場合には、セレクトスイッチ３４の状態を読み取り、静止画撮影状態Ｊ１か、動画撮影状態Ｊ２か、再生状態Ｊ３かにより分岐する（ステップＳ１０４）。
【０１５６】
セレクトスイッチ３４により静止画撮影状態Ｊ１が選択されている場合で制限モードの場合、モードメモリ１３４又は主制御部１１６内の不揮発性メモリに保存されている機能制限表を読んで、撮影が許可されているか否かを判断する（ステップＳ１０６）。ここで、撮影が許可されていないと判断した場合は、モニタ３６に警告を表示し（ステップＳ１０８）、予め設定された時間を待って、上記ステップＳ１０２に戻る。この場合、認証情報付きリモコンである光学式リモコン５６，７４又は９６によって設定モードに切り替えて制限表を書き換えない限り、上記ステップＳ１０２→ステップＳ１０４→ステップＳ１０６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１５７】
これに対して、制限モードで機能制限表により撮影が許可されていると判断した場合及び許可モードの場合には、モニタ３６にライブ画像を表示し、また、現在の撮影画素数や撮影可能枚数なども表示する（ステップＳ１１０）。そして、シャッタスイッチ２６の一段目がオンになったか否かを判別する（ステップＳ１１２）。ここで、それがオンになっていない場合には、送信ボタン３０が押されたか否かをスイッチフラグにより判断し（ステップＳ１１４）、送信ボタン３０も押されていなければ、上記ステップＳ１１２に戻る。これに対して、送信ボタン３０が押された場合には、識別情報発光部１１４により識別情報を送信して（ステップＳ１１６）、上記ステップＳ１１２に戻る。なお、ここでは、送信ボタン３０が押されたかどうかをフラグセンスによって検出し、その結果に応じて識別情報を送信するか否かを決定するものとして説明したが、前述したように、そのようなフラグセンスに従った識別情報送信は行わずに、割り込みによって行うようにしても良いことは勿論である（以下のステップＳ１４２，Ｓ１４４及びステップＳ２１２，Ｓ２１４についても同様）。また、特に図示はしていないが、上記ステップＳ１１２及びステップＳ１１４のループ実行中に、ズームスイッチ４４等、他のスイッチやボタンの操作がなされれば、その操作に応じた割り込みが発生して対応する動作が行われることについては言うまでもない。
【０１５８】
上記ステップＳ１１２において、シャッタスイッチ２６の一段目がオンになったと判断したならば、フォーカス合わせを行って（ステップＳ１１８）、シャッタスイッチ２６の２段目がオンになるのを待つ（ステップＳ１２０）。而して、シャッタスイッチ２６の２段目がオンになったならば、静止画を撮影する（ステップＳ１２２）。その後、連写モードに設定されているか否かを確認する（ステップＳ１２４）。ここで、連写モードに設定されていない場合には、短時間、撮影した画像をモニタ３６に表示した後（ステップＳ１２６）、上記ステップＳ１０２に戻る。
【０１５９】
これに対して、連写モードに設定されていた場合には、内蔵メモリ１１０及び／又は着脱メモリ１１２のメモリ残量が所定量以上有るか否か確認し（ステップＳ１２８）、メモリ残量が無い場合は、モニタ３６にメモリフルの警告を表示して（ステップＳ１３０）、上記ステップＳ１０２に戻る。また、メモリ残量が有る場合には、シャッタスイッチ２６がオンのままか否かを確認し（ステップＳ１３２）、オフされていれば上記ステップＳ１０２に戻る。また、シャッタスイッチ２６がオンされている場合には、上記ステップＳ１２２に戻り、次の静止画を撮影する。
【０１６０】
一方、上記ステップＳ１０４において、セレクトスイッチ３４により動画撮影状態Ｊ２が選択されている場合で制限モード場合には、図２５Ｂに示すように、モードメモリ１３４又は主制御部１１６内の不揮発性メモリに保存されている機能制限表を読んで、撮影が許可されているか否かを判断する（ステップＳ１３４）。ここで、撮影が許可されていないと判断した場合は、モニタ３６に警告を表示し（ステップＳ１３６）、予め設定された時間を待って、上記ステップＳ１０２に戻る。この場合、認証情報付きリモコンである光学式リモコン５６，７４又は９６によって設定モードに切り替えて制限表を書き換えない限り、上記ステップＳ１０２→ステップＳ１０４→ステップＳ１３４→ステップＳ１３６→ステップＳ１０２→…の処理ループを回ることになる。よって、そのような場合には、上記ステップＳ１３６の警告表示は、最初の一回だけ、或いは所定回数毎に一回というように、制御するようにしても良い。
【０１６１】
これに対して、制限モードで機能制限表により撮影が許可されていると判断した場合及び許可モードの場合には、モニタ３６にライブ画像を表示し、また、現在の撮影画素数での撮影可能時間なども表示する（ステップＳ１３８）。そして、シャッタスイッチ２６が押されるとオンするシャッタスイッチフラグによりシャッタスイッチ２６がオンされたか否かを判別する（ステップＳ１４０）。ここで、シャッタスイッチフラグがオンになっていないと判別した場合には、送信ボタン３０が押されたか否かを判断し（ステップＳ１４２）、送信ボタン３０も押されていなければ、上記ステップＳ１４０に戻って、ライブ画像の表示を続ける。これに対して、送信ボタン３０が押された場合には、識別情報発光部１１４により識別情報を送信して（ステップＳ１４４）、上記ステップＳ１４０に戻る。なお、特に図示はしていないが、上記ステップＳ１４０及びステップＳ１４２のループ実行中に、ズームスイッチ４４等、他のスイッチやボタンの操作がなされれば、その操作に応じた動作を行うことは勿論である。
【０１６２】
而して、シャッタスイッチフラグがオンになったならば、そのシャッタスイッチフラグをクリアした後、フォーカス合わせを行い、動画の撮影を開始する（ステップＳ１４６）。この動画撮影中は、内蔵メモリ１１０及び／又は着脱メモリ１１２のメモリ残量をチェックし（ステップＳ１４８）、メモリ残量が無い場合はモニタ３６にメモリフルの警告を表示した上で（ステップＳ１５０）、動画撮影を終了して（ステップＳ１５２）、上記ステップＳ１０２に戻る。これに対して、まだメモリ残量が有る場合には、シャッタスイッチフラグがオンとなったかどうかを確認し（ステップＳ１５４）、それがオフのままである場合は上記ステップＳ１４６に戻って、動画の撮影を続ける。そして、上記シャッタスイッチフラグがオンになった場合は、上記ステップＳ１５２に進んで動画撮影を終了して、上記ステップＳ１０２に戻る。このように、シャッタスイッチ２６が押されてから再度押されるまでの間、動画が撮影される。
【０１６３】
また、図２５Ａに示すように、上記ステップＳ１０４において、セレクトスイッチ３４により再生状態Ｊ３が選択されている場合で制限モードの場合には、モードメモリ１３４又は主制御部１１６内の不揮発性メモリに保存されている機能制限表を読んで、再生が許可されているか否かを判断する（ステップＳ１５６）。ここで、再生が許可されていないと判断した場合には、上記ステップＳ１０８に進んでモニタ３６に警告を表示し、予め設定された時間を待って、上記ステップＳ１０２に戻る。この場合、認証情報付きリモコンである光学式リモコン５６，７４又は９６によって設定モードに切り替えて制限表を書き換えない限り、上記ステップＳ１０２→ステップＳ１０４→ステップＳ１５６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１６４】
これに対して、制限モードで再生が許可されている場合及び許可モードの場合には、図２５Ｄに示すような再生状態に移行する。即ち、先ず内蔵メモリ１１０及び着脱メモリ１１２の内、最後に記録した最終画像をモニタ３６に表示する（ステップＳ１５８）。次に、スイッチやボタン類が押されたかどうかをチェックし、押された場合で制限モードＭ２の場合は機能制限表により制限機能か否かをチェックする（ステップＳ１６０）。そして、制限機能であると判断した場合には（ステップＳ１６２）、そのスイッチやボタン類の押下は無視して上記ステップＳ１５８に戻る。
【０１６５】
これに対して、当該スイッチ又はボタンが制限機能で無い場合或いは許可モードである場合には、以下のように該当する動作を行なう。
【０１６６】
即ち、カメラ本体１２の十字スイッチ３８が押された場合（ステップＳ１６４）、その内の下スイッチ（アルバム）であれば（ステップＳ１６６）、アルバムに記録されている画像のモニタ３６への表示を行う（ステップＳ１６８）。そして、その表示中にメニューボタン４２が押されると（ステップＳ１７０）、アルバム表示機能を終了して、上記ステップＳ１６０に戻る。なお、アルバムとは、あるイベントに関する画像群を纏めて取り扱えるように、画像群とは別にインデックス情報を持って、そこに画像へのアクセスポインタを書いておき、アルバム名を指定すると一連の画像が一括して表示等できる機能のことである。
【０１６７】
また、十字スイッチ３８の内の上スイッチ（カレンダ）が押された場合には（ステップＳ１７２）、当月一か月分の記録画像をカレンダ形式でモニタ３６に表示する（ステップＳ１７４）。更に十字スイッチ３８で、前月以前の表示を行なったり、日にちを選択してその日の撮影画像を表示することなどもできる。表示中にメニューボタン４２が押されると（ステップＳ１７６）、カレンダ表示機能を終了して、上記ステップＳ１６０に戻る。
【０１６８】
また、十字スイッチ３８の内の右スイッチ（＋）が押された場合には（ステップＳ１７８）、次の画像を表示した後（ステップＳ１８０）、上記ステップＳ１６０に戻る。なお、現在の画像が最終画像の場合は、最初の画像を表示する。また、十字スイッチ３８の内の左スイッチ（−）が押された場合には（ステップＳ１８２）、前の画像を表示した後（ステップＳ１８４）、上記ステップＳ１６０に戻る。なお、現在の画像が最初画像の場合は、最後の画像を表示する。
【０１６９】
ＯＫボタン４０が押された場合には（ステップＳ１８６）、現在の画像が動画であるか否かを確認し（ステップＳ１８８）、動画でない場合には、そのＯＫボタン４０の押下は無視して、上記ステップＳ１６０に戻る。これに対して、現在の画像が動画である場合には、動画を表示して（ステップＳ１９０）、上記ステップＳ１６０に戻る。
【０１７０】
ズームスイッチ４４が押された場合には（ステップＳ１９２）、Ｔボタンであれば（ステップＳ１９４）、表示されている画像を拡大表示して（ステップＳ１９６）、上記ステップＳ１６０に戻る。拡大表示中にＷボタンを押すと、画像の一駒表示に戻る。また、Ｗボタンの場合には（ステップＳ１９８）、表示画像を縮小してインデックス表示をして（ステップＳ２００）、上記ステップＳ１６０に戻る。Ｗボタンを押すたびに、４駒、９駒、１６駒、２５駒に順次一覧表示ができる。縮小一覧表示中にＴボタンを押すと、押すたびに２５駒、１６駒、９駒、４駒、１駒の表示に戻る。
【０１７１】
消去ボタン４６が押された場合には（ステップＳ２０２）、モニタ３６に本当に消去するかの確認表示を行い（ステップＳ２０４）、消去中止が選択された場合は消去せずに、上記ステップＳ１６０に戻る。これに対して、消去実行が選択された場合には、その駒を消去して、一つ前の画像を表示して（ステップＳ２０６）、上記ステップＳ１６０に戻る。なお、消去対象の画像が保護されている場合は、保護画像であることをモニタ３６に警告表示して、消去の実行は無視される。
【０１７２】
プリントボタン４８が押された場合には（ステップＳ２０８）、プリンタへの画像送信等の必要な印刷動作を行なって（ステップＳ２１０）、上記ステップＳ１６０に戻る。
【０１７３】
また、送信ボタン３０が押された場合には（ステップＳ２１２）、識別情報発光部１１４により識別情報を送信して（ステップＳ２１４）、上記ステップＳ１６０に戻る。
【０１７４】
一方、図２５Ａに示すように、上記ステップＳ１０２において、禁止モードＭ１であると判断された場合、及び、設定モードＭ３であると判断された場合には、認証情報付きリモコンである光学式リモコン５６，７４又は９６からの認証指令によってのみ動作する。従って、禁止モードＭ１又は設定モードＭ３であると判断された場合には、このステップＳ１０２の判断処理を繰り返すだけとなる。
【０１７５】
認証情報付きリモコンである光学式リモコン５６，７４又は９６、あるいは認証情報無しの普通リモコンである光学式リモコン９２又は９４からの指令を受信すると、図２５Ｅに示すように、主制御部１１６のＣＰＵに割り込みがかかり（ステップＳ２１６）、まず、そのリモコンより受信したのが認証指令であるのか一般指令であるのかを判別する（ステップＳ２１８）。
【０１７６】
ここで、認証情報付きリモコンである光学式リモコン５６，７４又は９６からの認証指令を受信したと判断した場合には、その認証指令の内容を判断する（ステップＳ２２０）。認証モード切替指令を受信したと判断した場合には（ステップＳ２２２）、図２５Ｃに示すように、その指令内容によって動作を選択実行する。なお、この認証モード切替指令に応じた動作は、禁止モードに限らず全ての認証モードにおいて実行されるものである。
【０１７７】
即ち、認証モード切替指令が禁止指令の場合には（ステップＳ２２４）、モニタ３６へ禁止モード設定の確認表示を行い、これに応じて認証情報付きリモコンである光学式リモコン５６，７４又は９６より認証指令又は一般指令として撮影実行指令が送られてきたならば確定と判断して（ステップＳ２２６）、モードメモリ１３４の記憶モードを禁止モードＭ１に設定して（ステップＳ２２８）、上記ステップＳ１０２に戻る。こうして禁止モードＭ１に設定されることで、上記ステップＳ１０２に戻った際には、該ステップＳ１０２の判断処理を繰り返すだけで、カメラ本体１２のスイッチやボタンの操作が受け付けられることはなく、認証情報付きリモコンである光学式リモコン５６，７４又は９６の操作のみ受け付けるようになる。なお、上記ステップＳ２２６の確認画面は、リモコンボタンへのミスタッチの防止や認証モードの切り替えという重要な機能なので確認のために入れてあるが、省略しても良い。
【０１７８】
また、認証モード切替指令が制限指令の場合には（ステップＳ２３０）、モニタ３６へ制限モード設定の確認表示を行い、これに応じて認証情報付きリモコンである光学式リモコン５６，７４又は９６より認証指令又は一般指令として撮影実行指令が送られてきたならば確定と判断して（ステップＳ２３２）、モードメモリ１３４の記憶モードを制限モードＭ２に設定して（ステップＳ２３４）、上記ステップＳ１０２に戻る。こうして制限モードＭ２に設定されることで、上記ステップＳ１０２に戻った際には、制限表で許可されている動作のみ、カメラ本体１２のスイッチやボタン操作、あるいは光学式リモコン５６，７４，９２，９４又は９６からの認証指令又は一般指令に応じて行うことが可能となる。なお、上記ステップＳ２３２の確認画面は、リモコンボタンへのミスタッチの防止や認証モードの切り替えという重要な機能なので確認のために入れてあるが、省略しても良い。
【０１７９】
また、認証モード切替指令が設定指令の場合には（ステップＳ２３６）、モニタ３６へ設定モード設定の確認表示を行い、認証情報付きリモコンである光学式リモコン５６，７４又は９６より認証指令として撮影実行指令が送られてきたならば確定と判断して（ステップＳ２３８）、モードメモリ１３４の記憶モードを設定モードＭ３に設定し、上記制限表のモニタ３６への表示や変更処理を行なう（ステップＳ２４０）。なお、上記ステップＳ２３８の確認画面は、リモコンボタンへのミスタッチの防止や認証モードの切り替えという重要な機能なので確認のために入れてあるが、省略しても良い。また、上記ステップＳ２４０の制限表の表示・変更処理では、図２１の機能制限表の機能と制限フラグの状態をモニタ３６に表示して、リモコンのプラス、マイナスボタン７０、７２と、テレ、ワイドボタン６６、６８、あるいは十字スイッチ７６とＯＫボタン７８等を使って、制限機能の巡回選択とフラグのオン、オフの設定及び変更を行なう。而して、設定変更が終わったならば撮影指令ボタン６２が押されるので、認証指令として撮影実行指令が送られてきたならば、その内容を確定してモードメモリ１３４又は主制御部１１６内の不揮発性メモリに保存し（ステップＳ２４２）、上記ステップＳ１０２に戻る。こうして設定モードＭ３に設定されることで、上記ステップＳ１０２に戻った際には、該ステップＳ１０２の判断処理を繰り返すだけで、カメラ本体１２のスイッチやボタンの操作が受け付けられることはなく、認証情報付きリモコンである光学式リモコン５６，７４又は９６の操作のみ受け付けるようになる。
【０１８０】
また、認証モード切替指令が許可指令の場合には（ステップＳ２４４）、モニタ３６へ許可モード設定の確認表示を行い、認証情報付きリモコンである光学式リモコン５６，７４又は９６より認証指令又は一般指令として撮影実行指令が送られてきたならば確定と判断して（ステップＳ２４６）、モードメモリ１３４の記憶モードを許可モードＭ４を設定して（ステップＳ２４８）、上記ステップＳ１０２に戻る。こうして許可モードＭ４に設定されることで、上記ステップＳ１０２に戻った際には、カメラ本体１２のスイッチやボタン操作又は光学式リモコン５６，７４，９２，９４又は９６からの認証指令又は一般指令に応じた全ての動作を行うことが可能となる。なお、上記ステップＳ２４６の確認画面は、リモコンボタンへのミスタッチの防止や認証モードの切り替えという重要な機能なので確認のために入れてあるが、省略しても良い。
【０１８１】
また、図２５Ｅに示すように、上記ステップＳ２２０において認証指令の内容が撮影指令であると判断した場合には（ステップＳ２５０）、モードメモリ１３４の記憶モードを読み取り、モードにしたがって分岐する（ステップＳ２５２）。
【０１８２】
ここで、許可モードＭ４又は制限モードＭ２であると判断された場合には、カメラ本体１２のセレクトスイッチ３４の状態を読み取り、静止画撮影状態Ｊ１か、動画撮影状態Ｊ２か、再生状態Ｊ３かにより分岐する（ステップＳ２５４）。
【０１８３】
セレクトスイッチ３４により静止画撮影状態Ｊ１が選択されている場合で制限モードの場合、モードメモリ１３４又は主制御部１１６内の不揮発性メモリに保存されている機能制限表を読んで、撮影が許可されているか否かを判断する（ステップＳ２５６）。ここで、撮影が許可されていないと判断した場合は、モニタ３６に警告を表示し（ステップＳ２５８）、予め設定された時間を待って、上記ステップＳ１０２に戻る。この場合、認証情報付きリモコンである光学式リモコン５６，７４又は９６によって設定モードに切り替えて制限表を書き換えない限り、上記ステップＳ１０２→ステップＳ１０４→ステップＳ１０６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１８４】
これに対して、制限モードで機能制限表により撮影が許可されていると判断した場合及び許可モードの場合には、図２５Ｆに示すようなリモコン操作による静止画像の撮像動作に移行する。
【０１８５】
一方、上記ステップＳ２５４において、セレクトスイッチ３４により動画撮影状態Ｊ２が選択されている場合で制限モード場合には、モードメモリ１３４又は主制御部１１６内の不揮発性メモリに保存されている機能制限表を読んで、撮影が許可されているか否かを判断する（ステップＳ２６０）。ここで、撮影が許可されていないと判断した場合は、上記ステップＳ２５８に進んでモニタ３６に警告を表示し、予め設定された時間を待って、上記ステップＳ１０２に戻る。この場合、認証情報付きリモコンである光学式リモコン５６，７４又は９６によって設定モードに切り替えて制限表を書き換えない限り、上記ステップＳ１０２→ステップＳ１０４→ステップＳ１３４→ステップＳ１３６→ステップＳ１０２→…の処理ループを回ることになる。よって、そのような場合には、上記ステップＳ１３６の警告表示は、最初の一回だけ、或いは所定回数毎に一回というように、制御するようにしても良い。
【０１８６】
これに対して、制限モードで機能制限表により撮影が許可されていると判断した場合及び許可モードの場合には、図２５Ｆに示すようなリモコン操作による動画像の撮像動作に移行する。
【０１８７】
また、上記ステップＳ２５４において、セレクトスイッチ３４により再生状態Ｊ３が選択されている場合で制限モードの場合には、モードメモリ１３４又は主制御部１１６内の不揮発性メモリに保存されている機能制限表を読んで、再生が許可されているか否かを判断する（ステップＳ２６２）。ここで、再生が許可されていないと判断した場合には、モニタ３６に警告を表示し（ステップＳ２６４）、予め設定された時間を待って、上記ステップＳ１０２に戻る。この場合、認証情報付きリモコンである光学式リモコン５６，７４又は９６によって設定モードに切り替えて制限表を書き換えない限り、上記ステップＳ１０２→ステップＳ１０４→ステップＳ１５６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１８８】
これに対して、制限モードで再生が許可されている場合及び許可モードの場合には、図２５Ｇに示すようなリモコン操作による再生動作に移行する。
【０１８９】
また、上記ステップＳ２１８において、認証情報付きリモコンの内の認証モード切替リモコンである光学式リモコン５６又は７４もしくは認証機能を持たない普通リモコンである光学式リモコン９２又は９４から一般指令を受信したと判断した場合には、モードメモリ１３４の記憶モードを読み取り、モードにしたがって分岐する（ステップＳ２６６）。
【０１９０】
ここで、許可モードＭ４又は制限モードＭ２であると判断された場合には、上記ステップＳ２５４に進む。
【０１９１】
また、禁止モードＭ１又は設定モードＭ３であると判断された場合には、該認証モード切替リモコンである光学式リモコン５６又は７４もしくは普通リモコンである光学式リモコン９２又は９４からの一般指令ではカメラ本体１２を操作することができないので、上記ステップＳ２６４に進んで、モニタ３６に予め設定された時間警告を表示した後、上記ステップＳ１０２に戻る。そして、上記ステップＳ１０２に戻った際には、該ステップＳ１０２の判断処理を繰り返すだけで、カメラ本体１２のスイッチやボタンの操作が受け付けられることはない。このようにして、禁止モードＭ１又は設定モードＭ３の場合には、カメラ本体１２や普通リモコンである光学式リモコン９２又は９４の操作、及び認証モード切替リモコンである光学式リモコン５６又は７４の認証モード切替指令送出のための操作以外の操作は受け付けられず、撮影や再生等の操作は認証情報付きリモコンの内の認証指令リモコンである光学式リモコン９６でしか行えないようにすることができる。
【０１９２】
許可モードＭ４又は制限モードＭ２でのリモコン操作による静止画像の撮影動作においては、図２５Ｆに示すように、モニタ３６にライブ画像を表示し（ステップＳ２６８）、上記ステップＳ２１６で受けた認証情報付きリモコンである光学式リモコン５６，７４又は９６よりの認証指令或いは認証機能を持たない普通リモコンである光学式リモコン９２又は９４よりの一般指令が、撮影実行指令か否かを判断する（ステップＳ２７０）。ここで、認証指令又は一般指令が撮影実行指令であると判断した場合には、フォーカス合わせを行って（ステップＳ２７２）、静止画を撮影する（ステップＳ２７４）。その後、連写モードに設定されているか否かを判断する（ステップＳ２７６）。ここで、連写モードに設定されていない場合には、短時間、撮影済み画像をモニタ３６に表示した後（ステップＳ２７８）、上記ステップＳ１０２に戻る。この場合、上記ステップＳ１０２→ステップＳ１０４→ステップＳ１０６→ステップＳ１１０→…と進み、カメラ本体１２のシャッタスイッチ２６による次の静止画像の撮影が可能となる。また、認証情報付きリモコンである光学式リモコン５６，７４又は９６あるいは普通リモコンである光学式リモコン９２又は９４からの指令受信による割り込みによっても、次の静止画像の撮影等の動作が可能である。
【０１９３】
これに対して、上記ステップＳ２７６で連写モードに設定されていると判断した場合には、内蔵メモリ１１０及び／又は着脱メモリ１１２のメモリ残量が所定量以上有るか否か確認する（ステップＳ２８０）。そして、メモリ残量が無い場合は、モニタ３６にメモリフルの警告を表示して（ステップＳ２８２）、上記ステップＳ１０２に戻る。この場合、上記ステップＳ１０２→ステップＳ１０４→ステップＳ１０６→ステップＳ１１０→…と進み、連写はメモリ残量が無いので行えないが、カメラ本体１２のシャッタスイッチ２６による次の静止画像の撮影が可能となる。また、認証情報付きリモコンである光学式リモコン５６，７４又は９６あるいは普通リモコンである光学式リモコン９２又は９４からの指令受信による割り込みによっても、次の静止画像の撮影等の動作が可能である。
【０１９４】
また、上記ステップＳ２８０においてメモリ残量が有ると判断した場合には、認証情報付きリモコンである光学式リモコン５６，７４又は９６あるいは普通リモコンである光学式リモコン９２又は９４から撮影実行指令が来ているかを確認し（ステップＳ２８４）、撮影実行指令が来ている場合には、上記ステップＳ２７４に戻り、次の画像を撮影する。即ち、認証情報付きリモコンである光学式リモコン５６，７４又は９６あるいは普通リモコンである光学式リモコン９２又は９４の撮影指令ボタン６２が押されている間、連写が行われる。これに対して、撮影実行指令が来ていない場合には、上記ステップＳ１０２に戻る。この場合、上記ステップＳ１０２→ステップＳ１０４→ステップＳ１０６→ステップＳ１１０→…と進み、カメラ本体１２のシャッタスイッチ２６による次の静止画像の撮影が可能となる。また、認証情報付きリモコンである光学式リモコン５６，７４又は９６あるいは普通リモコンである光学式リモコン９２又は９４からの指令受信による割り込みによっても、次の静止画像の撮影等の動作が可能である。
【０１９５】
また、上記ステップＳ２７０において、受信した認証指令又は一般指令が撮影実行指令ではないと判断した場合には、認証指令又は一般指令が、認証情報付きリモコンである光学式リモコン５６，７４又は９６あるいは普通リモコンである光学式リモコン９２又は９４のテレボタン６６が押されたことによるＴボタン指令であるか否かを判断する（ステップＳ２８６）。ここで、Ｔボタン指令であると判断した場合には、そのＴボタン指令が来ている間、レンズ部１４を望遠側に駆動し（ステップＳ２８８）、Ｔボタン指令が途切れたならば、その駆動を中止して、上記ステップＳ１０２に戻る。この場合、上記ステップＳ１０２→ステップＳ１０４→ステップＳ１０６→ステップＳ１１０→…と進み、カメラ本体１２のシャッタスイッチ２６による次の静止画像の撮影が可能となる。また、認証情報付きリモコンである光学式リモコン５６，７４又は９６あるいは普通リモコンである光学式リモコン９２又は９４からの指令受信による割り込みによっても、次の静止画像の撮影等の動作が可能である。
【０１９６】
また、上記ステップＳ２８６で、Ｔボタン指令を受けたのではないと判断した場合には、認証指令又は一般指令が、認証情報付きリモコンである光学式リモコン５６，７４又は９６あるいは普通リモコンである光学式リモコン９２又は９４のワイドボタン６８が押されたことによるＷボタン指令であるか否かを判断する（ステップＳ２９０）。ここで、Ｗボタン指令であると判断した場合には、そのＷボタン指令が来ている間、レンズ部１４を広角側に駆動し（ステップＳ２９２）、Ｗボタン指令が途切れたならば、その駆動を中止して、上記ステップＳ１０２に戻る。また、上記ステップＳ２９０で、Ｗボタン指令でもないと判断した場合には、上記ステップＳ１０２に戻る。これらの場合、上記ステップＳ１０２→ステップＳ１０４→ステップＳ１０６→ステップＳ１１０→…と進み、カメラ本体１２のシャッタスイッチ２６による次の静止画像の撮影が可能となる。また、認証情報付きリモコンである光学式リモコン５６，７４又は９６あるいは普通リモコンである光学式リモコン９２又は９４からの指令受信による割り込みによっても、次の静止画像の撮影等の動作が可能である。
【０１９７】
一方、許可モードＭ４又は制限モードＭ２でのリモコン操作による動画像の撮影動作においては、図２５Ｆに示すように、モニタ３６にライブ画像を表示し（ステップＳ２９４）、認証情報付きリモコンである光学式リモコン５６，７４又は９６あるいは普通リモコンである光学式リモコン９２又は９４の撮影指令ボタン６２が押されたことによる撮影実行指令の受信に応じてオンする撮影実行指令フラグがオンか否かを判断する（ステップＳ２９６）。そして、その撮影実行指令フラグがオンしていると判断した場合には、動画撮影中か否かを判断すると共に、撮影実行指令フラグをクリアする（ステップＳ２９８）。ここで、動画撮影中でないと判断した場合には、フォーカスを合わせて、動画撮影を開始する（ステップＳ３００）。そして、内蔵メモリ１１０及び／又は着脱メモリ１１２のメモリ残量を確認し（ステップＳ３０２）、メモリ残量が無い場合は、モニタ３６にメモリフルの警告を表示した上で（ステップＳ３０４）、動画撮影を終了して（ステップＳ３０６）、上記ステップＳ１０２に戻る。この場合、上記ステップＳ１０２→ステップＳ１０４→ステップＳ１３４→ステップＳ１３８→ステップＳ１４０と進み、該ステップＳ１３８とステップＳ１４０のループを繰り返す。この際、使用者は、上記ステップＳ３０４の警告表示により、もはや動画を撮影できないことは判っているので、カメラ本体１２のセレクトスイッチ３４を切り替えることとなる。
【０１９８】
これに対して、上記ステップＳ３０２においてメモリ残量が有ると判断した場合には、上記ステップＳ３００に戻って、引き続き動画撮影を行う。
【０１９９】
また、上記ステップＳ２９８で、動画撮影中であると判断した場合には、上記ステップＳ３０６に進んで撮影を終了し、上記ステップＳ１０２に戻る。即ち、リモコンからの指令による動画の撮影は、認証情報付きリモコンである光学式リモコン５６，７４又は９６あるいは普通リモコンである光学式リモコン９２又は９４の撮影指令ボタン６２が押されたことによる撮影実行指令の受信から、次の撮影指令ボタン６２が押されたことによる撮影実行指令の受信までの間、行われる。つまり、ステップＳ３００→ステップＳ３０２→ステップＳ３００のループ中に、撮影実行指令を受信したときに、割り込みによって上記ステップＳ２１６からの動作が実行されて、該ステップＳ２９８で動画撮影中であると判断されて撮影を終了することになる。こうして動画の撮影が終了されて上記ステップＳ１０２に戻った場合、上記ステップＳ１０２→ステップＳ１０４→ステップＳ１３４→ステップＳ１３８→ステップＳ１４０と進み、該ステップＳ１３８とステップＳ１４０のループを繰り返す。これにより、カメラ本体１２のシャッタスイッチ２６による次の動画の撮影が可能となる。また、認証情報付きリモコンである光学式リモコン５６，７４又は９６あるいは普通リモコンである光学式リモコン９２又は９４からの指令受信による割り込みによっても、次の動画の撮影等の動作が可能である。
【０２００】
また、上記ステップＳ２９６で、撮影実行指令フラグがオンしていないと判断した場合には、上記ステップＳ２８６に進んでＴボタン指令か否かを判断する。そして、上述したように、Ｔボタン指令の場合は、そのＴボタン指令が来ている間、レンズ部１４を望遠側に駆動し（ステップＳ２８８）、Ｔボタン指令が途切れたら駆動を中止して、上記ステップＳ１０２に戻る。このＴボタン指令を、上記ステップＳ３００とステップＳ３０２の動画撮影ループ中に受信した場合には、割り込みにより該レンズ部１４の駆動が行われ、ズームアップ撮影が可能となる。そして、上記ステップＳ１０２に戻ったならば、上記ステップＳ１０２→ステップＳ１０４→ステップＳ１３４→ステップＳ１３８→ステップＳ１４０と進み、該ステップＳ１３８とステップＳ１４０のループを繰り返す。このとき、上記ステップＳ３００とステップＳ３０２の動画撮影ループは継続して実行されており、上記認証情報付きリモコンである光学式リモコン５６，７４又は９６あるいは普通リモコンである光学式リモコン９２又は９４の撮影指令ボタン６２が押されたことによる撮影実行指令の受信による割り込みで上記ステップＳ３０６に進むまで、動画が撮影される。
【０２０１】
また、上記ステップＳ２８６でＴボタン指令でないと判断した場合には、Ｗボタン指令か否かを判断して（ステップＳ２９０）、Ｗボタン指令の場合は、そのＷボタン指令が来ている間、レンズ部１４を広角側に駆動し（ステップＳ２９２）、Ｗボタン指令が途切れたら駆動を中止して、上記ステップＳ１０２に戻る。この場合も、上記Ｔボタン指令の場合と同様に、動画撮影中であればズームダウン撮影が行われ、次の撮影実行指令の受信による割り込みが行われるまで、動画の撮影が継続される。
【０２０２】
また、上記ステップＳ２９０においてＷボタン指令でもないと判断した場合には、何もせずに上記ステップＳ１０２に戻る。
【０２０３】
このように、動画撮影中は、認証情報付きリモコンである光学式リモコン５６，７４又は９６あるいは普通リモコンである光学式リモコン９２又は９４からの撮影実行指令やＴ、Ｗボタン指令の受信による割り込みで、動画撮影を終了したり、ズーム動作を行ったりすることができる。
【０２０４】
また、動画については、例えば１５秒というように、予め記録時間を限定しておき、その秒数に対応するメモリ量により上記ステップＳ３０２のメモリ残量の判別を行うことで、自動的に動画撮影を終了させることもできる。
【０２０５】
一方、許可モードＭ４又は制限モードＭ２でのリモコン操作による再生動作においては、内蔵メモリ１１０又は着脱メモリ１１２に記録されている最終画像をモニタ３６に表示し、認証情報付きリモコンである光学式リモコン５６，７４又は９６あるいは普通リモコンである光学式リモコン９２又は９４のスイッチやボタン類に対応する動作を行なう。
【０２０６】
即ち、図２５Ｇに示すように、上記ステップＳ２１６で受けたリモコンよりの認証指令又は一般指令が、認証情報付きリモコンである光学式リモコン７４又は９６あるいは普通リモコンである光学式リモコン９４の十字スイッチ７６の操作指令であった場合（ステップＳ３０８）、それが十字スイッチ７６の下方向スイッチ操作による下操作指令（アルバム）であったならば（ステップＳ３１０）、モニタ３６へのアルバムに記録されている画像の表示を行う（ステップＳ３１２）。そして、この表示中に認証情報付きリモコンである光学式リモコン７４又は９６あるいは普通リモコンである光学式リモコン９４のメニューボタン８０が押されると（ステップＳ３１４）、アルバム表示機能を終了し、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２０７】
また、十字スイッチ７６の上方向スイッチ操作による上操作指令（カレンダ）であった場合には（ステップＳ３１６）、当月一か月分の記録画像をカレンダ形式でモニタ３６に表示する（ステップＳ３１８）。更に十字スイッチ７６で前月以前の表示を行なったり、日にちを選択してその日の撮影画像を表示したりすることなどもできる。そして、この表示中にメニューボタン８０が押されると（ステップＳ３２０）、カレンダ表示機能を終了し、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２０８】
また、十字スイッチ７６の右方向スイッチ操作による右操作指令であった場合には（ステップＳ３２２）、モニタ３６に次の画像を表示して（ステップＳ３２４）、上記ステップＳ１０２に戻る。なお、現在の画像が最終画像の場合にこの右方向スイッチが操作されたときには、最初の画像を表示する。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３２４で更新された画像の表示が維持される。
【０２０９】
また、十字スイッチ７６の左方向スイッチ操作による左操作指令であった場合には（ステップＳ３２６）、前の画像をモニタ３６に表示して（ステップＳ３２８）、上記ステップＳ１０２に戻る。なお、現在の画像が最初の画像の場合にこの左方向スイッチが操作されたときには、最後の画像を表示する。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３２４で更新された画像の表示が維持される。
【０２１０】
また、上記ステップＳ２１６で受けたリモコンよりの認証指令又は一般指令が、認証情報付きリモコンである光学式リモコン７４又は９６あるいは普通リモコンである光学式リモコン９４のＯＫボタン７８の操作によるＯＫ指令であった場合には（ステップＳ３３０）、現在の画像が動画であるか否かを確認して（ステップＳ３３２）、動画でない場合には無視して、上記ステップＳ１０２に戻る。これに対して、動画であった場合には、その動画を表示して（ステップＳ３３４）、上記ステップＳ１０２に戻る。これらの場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３３４で表示された動画の表示が継続される。
【０２１１】
また、上記ステップＳ２１６で受けたリモコンよりの認証指令又は一般指令が、認証情報付きリモコンである光学式リモコン５６，７４又は９６あるいは普通リモコンである光学式リモコン９２又は９４のテレボタン６６の操作によるＴボタン指令であった場合には（ステップＳ３３６）、モニタ３６に表示されている画像を拡大表示して（ステップＳ３３８）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３３８で拡大された画像の表示が維持される。
【０２１２】
また、上記ステップＳ２１６で受けたリモコンよりの認証指令又は一般指令が、認証情報付きリモコンである光学式リモコン５６，７４又は９６あるいは普通リモコンである光学式リモコン９２又は９４のワイドボタン６８の操作によるＷボタン指令であった場合には（ステップＳ３４０）、モニタ３６の表示画像を縮小してインデックス形式の表示をして（ステップＳ３４２）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３４２での縮小一覧表示が維持される。
【０２１３】
なお、上記ステップＳ３４２の縮小一覧表示は、ワイドボタン６８を押すたびに、４駒、９駒、１６駒、２５駒に順次一覧表できる。また、縮小一覧表示中にテレボタン６６を押すと、押すたびに、上記ステップＳ３３８において、２５駒、１６駒、９駒、４駒、１駒の表示に戻す動作を行う。
【０２１４】
逆に、通常画像表示中のテレボタン６６の押下に応じた上記ステップＳ３３８での拡大表示がなされている場合に、ワイドボタン６８を押すと、上記ステップＳ３４２においてその拡大表示を元の大きさに戻す動作が行われる。
【０２１５】
また、上記ステップＳ２１６で受けたリモコンよりの認証指令又は一般指令が、認証情報付きリモコンである光学式リモコン７４又は９６あるいは普通リモコンである光学式リモコン９４の消去ボタン８６の操作による消去指令であった場合には（ステップＳ３４４）、本当に消去するかの確認表示をモニタ３６に行い（ステップＳ３４６）、消去中止が選択された場合は消去せずに上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２１６】
これに対して、上記ステップＳ３４６において消去実行が選択されたと判断した場合には、その駒を消去して、一つ前の画像を表示して（ステップＳ３４８）、上記ステップＳ１０２に戻る。なお、消去対象の画像が保護されている場合は、保護画像であることをモニタ３６に警告表示して、消去の実行は無視される。上記ステップＳ１０２に戻った後は、ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２１７】
また、上記ステップＳ２１６で受けたリモコンよりの認証指令又は一般指令が、認証情報付きリモコンである光学式リモコン７４又は９６あるいは普通リモコンである光学式リモコン９４のプリントボタン８２の操作による印刷指令であった場合には（ステップＳ３５０）、プリンタへの画像送信等の必要な印刷動作を行なって（ステップＳ３５２）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２１８】
また、上記ステップＳ２１６で受けたリモコンよりの認証指令又は一般指令が、認証情報付きリモコンである光学式リモコン７４又は９６あるいは普通リモコンである光学式リモコン９４の情報ボタン８４の操作による情報表示指令であった場合には（ステップＳ３５４）、モニタ３６に表示されている画像の情報を表示して（ステップＳ３５６）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３５６での画像の情報表示が維持される。
【０２１９】
また、上記ステップＳ２１６で受けたリモコンよりの認証指令又は一般指令が、認証情報付きリモコンである光学式リモコン７４又は９６あるいは普通リモコンである光学式リモコン９４の保護ボタン９０の操作による保護指令であった場合には（ステップＳ３５８）、モニタ３６に表示されている画像に保護フラグを付けて（ステップＳ３６０）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２２０】
また、上記ステップＳ２１６で受けたリモコンよりの認証指令又は一般指令が、認証情報付きリモコンである光学式リモコン７４又は９６あるいは普通リモコンである光学式リモコン９４の回転ボタン８８の操作による回転指令であった場合には（ステップＳ３６２）、モニタ３６に表示されている画像を右９０度回転させて（ステップＳ３６４）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。但し、このステップＳ１０２に戻ってからのステップＳ１５８における表示は、上記ステップＳ３６４で回転された画像の表示が維持される。なお、再度、回転ボタン８８が押されると、ステップＳ３６４では元の画像の左９０度回転画像の表示を行い、もう一度押されると、元の画像に戻す。
【０２２１】
また、上記ステップＳ２１６で受けたリモコンよりの認証指令又は一般指令が、認証情報付きリモコンである光学式リモコン７４又は９６あるいは普通リモコンである光学式リモコン９４のメニューボタン８０の操作によるメニュー指令であった場合には（ステップＳ３６６）、メニューの表示と設定ができる。メニュー機能は多数ある。メニュー設定はトップメニューから階層的に細部の設定が出来る様になっている。トップメニューは、セレクトスイッチ３４の位置によって表示内容が異なるので、セレクトスイッチ３４の位置を読み取り、対応するメニューをモニタ３６に表示する（ステップＳ３６８）。
【０２２２】
静止画撮影状態Ｊ１の場合、ＶＯＩＣＥ録音、マクロ、シーン選択、モードメニューを表示する。動画撮影状態Ｊ２の場合、ＶＯＩＣＥ録音、マクロ、手振れ補正、モードメニューを表示する。再生状態Ｊ３の場合は、再生内容により表示されるメニューが異なる。即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。
【０２２３】
即ち、モードメニューは更にセレクトスイッチ３４の位置により表示内容が異なる。静止画撮影状態Ｊ１の場合、画質モード切り替え、連写設定、露出補正、デジタルズーム設定、ホワイトバランス設定、画像等を記録するメモリの選択の設定等ができる。動画撮影状態Ｊ２の場合、画質モード切り替え、露出補正、デジタルズーム設定、ホワイトバランス設定、フルタイムオートフォーカスの設定、画像等を記録するメモリの選択の設定等ができる。再生状態Ｊ３の場合は、回転表示、録音、画像編集、画像補正、画像合成ができる。
【０２２４】
メニュー操作を終了するには、メニューボタン８０を再度押すことで（ステップＳ３７０）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、認証情報付きリモコンである光学式リモコン５６，７４又は９６あるいは普通リモコンである光学式リモコン９２又は９４からの指令受信による割り込みによっても、再生動作等の他の動作が可能である。
【０２２５】
一方、図２５Ｅに示すように、上記ステップＳ２５２において、設定モードＭ３であると判断された場合には、設定モードに移行する。即ち、設定モードでは、図２１の機能制限表の機能と制限フラグの状態をモニタ３６に表示して、認証情報付きリモコンである光学式リモコン５６のプラス、マイナスボタン７０、７２とテレ、ワイドボタン６６、６８、あるいは認証情報付きリモコンである光学式リモコン７４又は９６の十字スイッチ７６とＯＫボタン７８等を使って、制限機能の巡回選択とフラグのオン、オフの設定及び変更を行なう（ステップＳ３７２）。そして、設定変更が終わったならば、認証情報付きリモコンである光学式リモコン５６，７４又は９６の撮影指令ボタン６２が押されるので、その撮影実行指令を受けたならば内容を確定して（ステップＳ３７４）、上記ステップＳ１０２に戻る。このステップＳ１０２に戻った際には、設定モードＭ３に設定されているので、該ステップＳ１０２の判断処理を繰り返すだけで、カメラ本体１２のスイッチやボタンの操作が受け付けられることはなく、認証情報付きリモコンである光学式リモコン５６，７４又は９６の操作のみ受け付ける。
【０２２６】
また、上記ステップＳ２５２において、禁止モードＭ１であると判断された場合には、禁止モードに移行する。即ち、禁止モードでは、カメラ本体１２のセレクトスイッチ３４の状態を読み取り（ステップＳ３７６）、認証情報付きリモコンの内の認証指令リモコンである光学式リモコン９６から認証指令として与えられる撮影指令に対応する動作を行なう。
【０２２７】
即ち、セレクトスイッチ３４により静止画撮影状態Ｊ１となっている場合の禁止モードＭ１でのリモコン操作による静止画像の撮影動作においては、図２５Ｆに示すように、モニタ３６にライブ画像を表示し（ステップＳ２６８）、上記ステップＳ２１６で受けた認証指令が、認証指令リモコンである光学式リモコン９６よりの撮影実行指令か否かを判断する（ステップＳ２７０）。ここで、認証指令が撮影実行指令であると判断した場合には、フォーカス合わせを行って（ステップＳ２７２）、静止画を撮影する（ステップＳ２７４）。その後、連写モードに設定されているか否かを判断する（ステップＳ２７６）。ここで、連写モードに設定されていない場合には、短時間、撮影済み画像をモニタ３６に表示した後（ステップＳ２７８）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、次の静止画像の撮影等の動作は、認証情報付きリモコンの内の認証指令リモコンである光学式リモコン９６によってのみ可能である。
【０２２８】
また、上記ステップＳ２７６で連写モードに設定されていると判断した場合には、内蔵メモリ１１０及び／又は着脱メモリ１１２のメモリ残量が所定量以上有るか否か確認する（ステップＳ２８０）。そして、メモリ残量が無い場合は、モニタ３６にメモリフルの警告を表示して（ステップＳ２８２）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、次の静止画像の撮影等の動作は、認証情報付きリモコンの内の認証指令リモコンである光学式リモコン９６によってのみ可能である。
【０２２９】
また、上記ステップＳ２８０においてメモリ残量が有ると判断した場合には、認証指令リモコンである光学式リモコン９６から撮影実行指令が来ているかを確認し（ステップＳ２８４）、撮影実行指令が来ている場合には、上記ステップＳ２７４に戻り、次の画像を撮影する。即ち、認証指令リモコンである光学式リモコン９６の撮影指令ボタン６２が押されている間、連写が行われる。これに対して、撮影実行指令が来ていない場合には、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、次の静止画像の撮影等の動作は、認証情報付きリモコンの内の認証指令リモコンである光学式リモコン９６によってのみ可能である。
【０２３０】
また、上記ステップＳ２７０において、受信した認証指令が撮影実行指令ではないと判断した場合には、認証指令が、認証指令リモコンである光学式リモコン９６のテレボタン６６が押されたことによるＴボタン指令であるか否かを判断する（ステップＳ２８６）。ここで、Ｔボタン指令であると判断した場合には、そのＴボタン指令が来ている間、レンズ部１４を望遠側に駆動し（ステップＳ２８８）、Ｔボタン指令が途切れたならば、その駆動を中止して、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、次の静止画像の撮影等の動作は、認証情報付きリモコンの内の認証指令リモコンである光学式リモコン９６によってのみ可能である。
【０２３１】
また、上記ステップＳ２８６で、Ｔボタン指令を受けたのではないと判断した場合には、認証指令が、認証指令リモコンである光学式リモコン９６のワイドボタン６８が押されたことによるＷボタン指令であるか否かを判断する（ステップＳ２９０）。ここで、Ｗボタン指令であると判断した場合には、そのＷボタン指令が来ている間、レンズ部１４を広角側に駆動し（ステップＳ２９２）、Ｗボタン指令が途切れたならば、その駆動を中止して、上記ステップＳ１０２に戻る。また、上記ステップＳ２９０で、Ｗボタン指令でもないと判断した場合には、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、次の静止画像の撮影等の動作は、認証情報付きリモコンの内の認証指令リモコンである光学式リモコン９６によってのみ可能である。
【０２３２】
一方、上記ステップＳ３７６においてセレクトスイッチ３４により動画撮影状態Ｊ２となっている場合の禁止モードＭ１でのリモコン操作による動画像の撮影動作においては、図２５Ｆに示すように、モニタ３６にライブ画像を表示し（ステップＳ２９４）、認証指令リモコンである光学式リモコン９６の撮影指令ボタン６２が押されたことによる撮影実行指令の受信に応じてオンする撮影実行指令フラグがオンか否かを判断する（ステップＳ２９６）。そして、その撮影実行指令フラグがオンしていると判断した場合には、動画撮影中か否かを判断すると共に、撮影実行指令フラグをクリアする（ステップＳ２９８）。ここで、動画撮影中でないと判断した場合には、フォーカスを合わせて、動画撮影を開始する（ステップＳ３００）。そして、内蔵メモリ１１０及び／又は着脱メモリ１１２のメモリ残量を確認し（ステップＳ３０２）、メモリ残量が無い場合は、モニタ３６にメモリフルの警告を表示した上で（ステップＳ３０４）、動画撮影を終了して（ステップＳ３０６）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。なお、この際、使用者は、上記ステップＳ３０４の警告表示により、もはや動画を撮影できないことは判っているので、カメラ本体１２のセレクトスイッチ３４を切り替えることとなる。そして、認証情報付きリモコンである光学式リモコン５６，７４又は９６の操作のみ受け付けて、その指令受信による割り込みによってのみ認証モードの切り替えが可能であり、次の静止画像の撮影等の動作は、認証情報付きリモコンの内の認証指令リモコンである光学式リモコン９６によってのみ可能である。  これに対して、上記ステップＳ３０２においてメモリ残量が有ると判断した場合には、上記ステップＳ３００に戻って、引き続き動画撮影を行う。
【０２３３】
また、上記ステップＳ２９８で、動画撮影中であると判断した場合には、上記ステップＳ３０６に進んで撮影を終了し、上記ステップＳ１０２に戻る。即ち、リモコンからの指令による動画の撮影は、認証指令リモコンである光学式リモコン９６の撮影指令ボタン６２が押されたことによる撮影実行指令の受信から、次の撮影指令ボタン６２が押されたことによる撮影実行指令の受信までの間、行われる。つまり、ステップＳ３００→ステップＳ３０２→ステップＳ３００のループ中に、撮影実行指令を受信したときに、割り込みによって上記ステップＳ２１６からの動作が実行されて、該ステップＳ２９８で動画撮影中であると判断されて撮影を終了することになる。こうして動画の撮影が終了されて上記ステップＳ１０２に戻った場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、次の動画の撮影等の動作は、認証情報付きリモコンの内の認証指令リモコンである光学式リモコン９６によってのみ可能である。
【０２３４】
また、上記ステップＳ２９６で、撮影実行指令フラグがオンしていないと判断した場合には、上記ステップＳ２８６に進んでＴボタン指令か否かを判断する。そして、上述したように、Ｔボタン指令の場合は、そのＴボタン指令が来ている間、レンズ部１４を望遠側に駆動し（ステップＳ２８８）、Ｔボタン指令が途切れたら駆動を中止して、上記ステップＳ１０２に戻る。このＴボタン指令を、上記ステップＳ３００とステップＳ３０２の動画撮影ループ中に受信した場合には、割り込みにより該レンズ部１４の駆動が行われ、ズームアップ撮影が可能となる。そして、上記ステップＳ１０２に戻ったならば、禁止モードＭ１に設定されているので、該ステップＳ１０２の判断処理を繰り返すだけで、カメラ本体１２のスイッチやボタンの操作が受け付けられることはない。このとき、上記ステップＳ３００とステップＳ３０２の動画撮影ループは継続して実行されており、認証指令リモコンである光学式リモコン９６の撮影指令ボタン６２が押されたことによる撮影実行指令の受信による割り込みで上記ステップＳ３０６に進むまで、動画が撮影される。
【０２３５】
また、上記ステップＳ２８６でＴボタン指令でないと判断した場合には、Ｗボタン指令か否かを判断して（ステップＳ２９０）、Ｗボタン指令の場合は、そのＷボタン指令が来ている間、レンズ部１４を広角側に駆動し（ステップＳ２９２）、Ｗボタン指令が途切れたら駆動を中止して、上記ステップＳ１０２に戻る。この場合も、上記Ｔボタン指令の場合と同様に、動画撮影中であればズームダウン撮影が行われ、次の撮影実行指令の受信による割り込みが行われるまで、動画の撮影が継続される。
【０２３６】
また、上記ステップＳ２９０においてＷボタン指令でもないと判断した場合には、何もせずに上記ステップＳ１０２に戻る。
【０２３７】
このように、禁止モードＭ１で動画撮影中は、認証指令リモコンである光学式リモコン９６からの撮影実行指令やＴ、Ｗボタン指令の受信による割り込みで、動画撮影を終了したり、ズーム動作を行ったりすることができる。
【０２３８】
また、動画については、例えば１５秒というように、予め記録時間を限定しておき、その秒数に対応するメモリ量により上記ステップＳ３０２のメモリ残量の判別を行うことで、自動的に動画撮影を終了させることもできる。
【０２３９】
一方、セレクトスイッチ３４により再生状態Ｊ３となっている場合の禁止モードＭ１でのリモコン操作による再生動作においては、内蔵メモリ１１０又は着脱メモリ１１２に記録されている最終画像をモニタ３６に表示し、認証指令リモコンである光学式リモコン９６のスイッチやボタン類に対応する動作を行なう。
【０２４０】
即ち、図２５Ｇに示すように、上記ステップＳ２１６で受けたリモコンよりの認証指令が、認証指令リモコンである光学式リモコン９６の十字スイッチ７６の操作指令であった場合（ステップＳ３０８）、それが十字スイッチ７６の下方向スイッチ操作による下操作指令（アルバム）であったならば（ステップＳ３１０）、モニタ３６へのアルバムに記録されている画像の表示を行う（ステップＳ３１２）。そして、この表示中に認証指令リモコンである光学式リモコン９６のメニューボタン８０が押されると（ステップＳ３１４）、アルバム表示機能を終了し、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４１】
また、十字スイッチ７６の上方向スイッチ操作による上操作指令（カレンダ）であった場合には（ステップＳ３１６）、当月一か月分の記録画像をカレンダ形式でモニタ３６に表示する（ステップＳ３１８）。更に十字スイッチ７６で前月以前の表示を行なったり、日にちを選択してその日の撮影画像を表示したりすることなどもできる。そして、この表示中にメニューボタン８０が押されると（ステップＳ３２０）、カレンダ表示機能を終了し、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４２】
また、十字スイッチ７６の右方向スイッチ操作による右操作指令であった場合には（ステップＳ３２２）、モニタ３６に次の画像を表示して（ステップＳ３２４）、上記ステップＳ１０２に戻る。なお、現在の画像が最終画像の場合にこの右方向スイッチが操作されたときには、最初の画像を表示する。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４３】
また、十字スイッチ７６の左方向スイッチ操作による左操作指令であった場合には（ステップＳ３２６）、前の画像をモニタ３６に表示して（ステップＳ３２８）、上記ステップＳ１０２に戻る。なお、現在の画像が最初の画像の場合にこの左方向スイッチが操作されたときには、最後の画像を表示する。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４４】
また、上記ステップＳ２１６で受けたリモコンよりの認証指令が、認証指令リモコンである光学式リモコン９６のＯＫボタン７８の操作によるＯＫ指令であった場合には（ステップＳ３３０）、現在の画像が動画であるか否かを確認して（ステップＳ３３２）、動画でない場合には無視して、上記ステップＳ１０２に戻る。これに対して、動画であった場合には、その動画を表示して（ステップＳ３３４）、上記ステップＳ１０２に戻る。これらの場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４５】
また、上記ステップＳ２１６で受けたリモコンよりの認証指令が、認証指令リモコンである光学式リモコン９６のテレボタン６６の操作によるＴボタン指令であった場合には（ステップＳ３３６）、モニタ３６に表示されている画像を拡大表示して（ステップＳ３３８）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４６】
また、上記ステップＳ２１６で受けたリモコンよりの認証指令が、認証指令リモコンである光学式リモコン９６のワイドボタン６８の操作によるＷボタン指令であった場合には（ステップＳ３４０）、モニタ３６の表示画像を縮小してインデックス形式の表示をして（ステップＳ３４２）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２４７】
なお、上記ステップＳ３４２の縮小一覧表示は、ワイドボタン６８を押すたびに、４駒、９駒、１６駒、２５駒に順次一覧表できる。また、縮小一覧表示中にテレボタン６６を押すと、押すたびに、上記ステップＳ３３８において、２５駒、１６駒、９駒、４駒、１駒の表示に戻す動作を行う。
【０２４８】
逆に、通常画像表示中のテレボタン６６の押下に応じた上記ステップＳ３３８での拡大表示がなされている場合に、ワイドボタン６８を押すと、上記ステップＳ３４２においてその拡大表示を元の大きさに戻す動作が行われる。
【０２４９】
また、上記ステップＳ２１６で受けたリモコンよりの認証指令が、認証指令リモコンである光学式リモコン９６の消去ボタン８６の操作による消去指令であった場合には（ステップＳ３４４）、本当に消去するかの確認表示をモニタ３６に行い（ステップＳ３４６）、消去中止が選択された場合は消去せずに上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２５０】
これに対して、上記ステップＳ３４６において消去実行が選択されたと判断した場合には、その駒を消去して、一つ前の画像を表示して（ステップＳ３４８）、上記ステップＳ１０２に戻る。なお、消去対象の画像が保護されている場合は、保護画像であることをモニタ３６に警告表示して、消去の実行は無視される。上記ステップＳ１０２に戻った後は、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２５１】
また、上記ステップＳ２１６で受けたリモコンよりの認証指令が、認証指令リモコンである光学式リモコン９６のプリントボタン８２の操作による印刷指令であった場合には（ステップＳ３５０）、プリンタへの画像送信等の必要な印刷動作を行なって（ステップＳ３５２）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２５２】
また、上記ステップＳ２１６で受けたリモコンよりの認証指令が、認証指令リモコンである光学式リモコン９６の情報ボタン８４の操作による情報表示指令であった場合には（ステップＳ３５４）、モニタ３６に表示されている画像の情報を表示して（ステップＳ３５６）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２５３】
また、上記ステップＳ２１６で受けたリモコンよりの認証指令が、認証指令リモコンである光学式リモコン９６の保護ボタン９０の操作による保護指令であった場合には（ステップＳ３５８）、モニタ３６に表示されている画像に保護フラグを付けて（ステップＳ３６０）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２５４】
また、上記ステップＳ２１６で受けたリモコンよりの認証指令が、認証指令リモコンである光学式リモコン９６の回転ボタン８８の操作による回転指令であった場合には（ステップＳ３６２）、モニタ３６に表示されている画像を右９０度回転させて（ステップＳ３６４）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。なお、再度、回転ボタン８８が押されると、ステップＳ３６４では元の画像の左９０度回転画像の表示を行い、もう一度押されると、元の画像に戻す。
【０２５５】
また、上記ステップＳ２１６で受けたリモコンよりの認証指令が、認証指令リモコンである光学式リモコン９６のメニューボタン８０の操作によるメニュー指令であった場合には（ステップＳ３６６）、メニューの表示と設定ができる。メニュー機能は多数ある。メニュー設定はトップメニューから階層的に細部の設定が出来る様になっている。トップメニューは、セレクトスイッチ３４の位置によって表示内容が異なるので、セレクトスイッチ３４の位置を読み取り、対応するメニューをモニタ３６に表示する（ステップＳ３６８）。
【０２５６】
静止画撮影状態Ｊ１の場合、ＶＯＩＣＥ録音、マクロ、シーン選択、モードメニューを表示する。動画撮影状態Ｊ２の場合、ＶＯＩＣＥ録音、マクロ、手振れ補正、モードメニューを表示する。再生状態Ｊ３の場合は、再生内容により表示されるメニューが異なる。即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。
【０２５７】
即ち、モードメニューは更にセレクトスイッチ３４の位置により表示内容が異なる。静止画撮影状態Ｊ１の場合、画質モード切り替え、連写設定、露出補正、デジタルズーム設定、ホワイトバランス設定、画像等を記録するメモリの選択の設定等ができる。動画撮影状態Ｊ２の場合、画質モード切り替え、露出補正、デジタルズーム設定、ホワイトバランス設定、フルタイムオートフォーカスの設定、画像等を記録するメモリの選択の設定等ができる。再生状態Ｊ３の場合は、回転表示、録音、画像編集、画像補正、画像合成ができる。
【０２５８】
メニュー操作を終了するには、認証指令リモコンである光学式リモコン９６のメニューボタン８０を再度押すことで（ステップＳ３７０）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証情報付きリモコンである光学式リモコン５６，７４又は９６の操作のみ受け付けて、その指令受信による割り込みによってのみ認証モードの切り替えが可能であり、再生動作等の他の動作は、認証情報付きリモコンの内の認証指令リモコンである光学式リモコン９６によってのみ可能である。
【０２５９】
以上のように、本発明の第１実施形態によれば、カメラ本体１２とは別の認証情報付きリモコンである光学式リモコン５６，７４又は９６より認証指令を発信し、カメラ本体１２が受信した認証指令を判断することにより機能制限が可能で、万一カメラ本体１２を紛失した場合でも、そのカメラ本体１２の利用を制限したり、撮影済みの画像の閲覧やコピーあるいは転送を防止してプライバシ保護やセキュリティの確保が可能になる。
【０２６０】
また、小型の認証情報付きリモコンである光学式リモコン５６又は７４を撮像や再生等の撮影指令送信用と認証モード切替指令送信用に利用することで、携行に負担が少なく操作も容易なセキュリティシステムを実現できる。
【０２６１】
更に、撮像機器であるカメラ本体１２と指令機器（認証情報付きリモコンである光学式リモコン５６，７４又は９６）の対応を確実に行い、且つ、万一その光学式リモコン５６，７４又は９６からカメラ本体１２に送信された指令が盗聴されて複製されてしまった場合であっても、カメラ本体１２の識別情報を適時変更して光学式リモコン５６，７４又は９６に送信して、その識別情報を当該光学式リモコン５６，７４又は９６からの指令に付加して送り、カメラ本体１２側で確認することにより、正当なリモコンからの指令であることの確認の信頼性を向上することができる。
【０２６２】
以上により、操作が容易で、コストも低く、安全性が高い、撮像機器の使用制限機能を提供することができる。
【０２６３】
また、認証設定スイッチ６４により認証情報付きリモコンである光学式リモコン５６，７２のスイッチやボタンの機能を切り替えることができ、スイッチやボタンの数を減らして、小型化することができる。
【０２６４】
また、カメラ本体１２では、受信した認証指令の内容を判別して、動作を行うことができる。受信した認証指令が認証モード切替指令であれば、それに応じて認証モードを切り替え設定することができる。
【０２６５】
なお、カメラ本体１２は、認証指令を送信する認証情報付きリモコンである光学式リモコン５６，７４又は９６と認証情報無しの普通リモコンである光学式リモコン９２又は９４とを利用可能である。従って、再生等プライバシにかかわる機能の実行には認証情報付きの光学式リモコン５６，７４又は９６のように認証指令を送信できるリモコンであることが必要であるが、撮影行為自体にはプライバシ保護は必要がないので、認証情報を含まない一般指令を送信する認証情報無しの光学式リモコン９２又は９４を用いて撮影を行うことができる。よって、旅行等にはその認証情報無しの光学式リモコン９２又は９４を携行し、認証情報付きの光学式リモコン５６，７４又は９６は自宅に置いてくれば、撮影は自由に行え、そして、たとえ旅行先でカメラ本体１２とリモコン９２又は９４を紛失したり盗難にあっても、認証情報付きの光学式リモコン５６，７４又は９６は自宅に有り、当該カメラ本体１２を入手した第三者はそれを有していないので、撮影した画像のセキュリティを守ることができる。
【０２６６】
［第２実施形態］
次に、本発明の第２実施形態を説明する。
【０２６７】
本実施形態は、指令の送受信を光ではなくて電波で行うようにした例である。
【０２６８】
図２６（Ａ）は、本実施形態における指令機器の一例としての電波式リモコン１８２の外観構成を示す斜視図である。即ち、この電波式リモコン１８２は、指令電波を発信するアンテナ１８４を内蔵しており、一般指令や認証指令を撮像機器に発信する。また、その上面には、上記光学式リモコン９６と同様に、撮影指令ボタン６２、テレボタン６６、ワイドボタン６８、プラスボタン７０、マイナスボタン７２、制限ボタン９８、設定ボタン１００、禁止ボタン１０２、許可ボタン１０４、等が配されている。但し、この電波式リモコン１８２では、認証設定スイッチは無く、設定ボタン１００、許可ボタン１０４、制限ボタン９８及び禁止ボタン１０２の４つのボタンの操作に応じてその設定モードを記憶しておき、その記憶している現在の設定モードに基づいて一般指令と認証指令を切り替える。勿論、上記光学式リモコン５６又は７４と同様に、認証設定スイッチ６４を設けても良い。
【０２６９】
なお、認証モードの切り替えは重要なので、ミスタッチなどによる誤操作を防止するために、制限ボタン９８、設定ボタン１００、禁止ボタン１０２、許可ボタン１０４の何れかと撮影指令ボタン６２とを同時に押した時にのみ、認証モード切替指令を発信するようにしても良い。
【０２７０】
さらに、この電波式リモコン１８２の端面には、識別情報受信用の受光部６０が構成されており、該受光部６０で撮像機器であるデジタルカメラ１０やデジタルムービカメラ５２よりの識別情報を受信する。
【０２７１】
図２６（Ｂ）は、この電波式リモコン１８２の電気的な構成を示すブロック図である。制御部１４８は、ボタン６２、６６〜７２、９８〜１０４の何れかがオンになった時、そのボタンの機能に対応した信号を発生する。また、この制御部１４８には、撮像機器であるデジタルカメラ１０、デジタルムービカメラ５２が認証情報付きリモコンの認証を行なうために、リモコンより送信する認証情報を発生する認証情報生成部１４８Ａを有している。認証情報としては、後で説明するように、撮像機器から送信された撮像機器の識別情報あるいはその由来の情報、撮像機器の固有情報がある。また、この制御部１４８には、リモコンと対応する撮像機器を認証するための電波式リモコン１８２の固有の情報を記憶しておく、固有情報記憶部１４８Ｂがあり、認証情報の一部として撮像機器に送信される。これらの認証情報は不揮発性メモリに記録しておき、固有の識別情報の記録は当該電波式リモコン１８２の工場出荷前あるいは販売前に行なっておくことが望ましい。更に、この識別情報は、不正利用を防止する観点から、暗号化されていることが望ましい。
【０２７２】
また、制御部１４８には、受光処理部１４８Ｃがあり、受光部６０の受光素子６０Ａで受信した撮像機器からの識別情報を図１１で説明したように処理する。
【０２７３】
制御部１４８は、ボタンが押し続けられている間は、予め設定された時間、信号を発生する。変調部１５０は、制御部１４８よりの信号で、発振部１５２が発生し供給される搬送波を変調して、電力増幅部１８６で増幅してアンテナ１８４より電波を輻射する。
【０２７４】
指令は、日本の場合、電波法での微弱電波の許容電界強度が大きい（３ｍの距離で５００μＶ／ｍ以下）周波数３２２ＭＨｚ以下を用いて、撮像機器からの距離がある程度離れていても指令電波が届くような周波数を用いる。なお、使用する周波数の選択は、国別の電波法による規制値の違いや、周波数利用の違いがあるので、上記の周波数に限るものではなく、例えば１５７．５ＭＨｚ、４５０ＭＨｚ、９００ＭＨｚでも良いが、電波法の規制値内であることが必要である。
【０２７５】
図２７（Ａ）は、上記のような電波式リモコン１８２対応の撮像機器の一例としてのデジタルカメラ１８８の外観構成を示す斜視図である。このデジタルカメラ１８８は、図１（Ａ）に示したデジタルカメラ１０と同様の構成であるが、アンテナ１９０を内蔵している。また、受光素子１８は無くても良い。
【０２７６】
図２７（Ｂ）は、上記撮像機器の一例としてのデジタルカメラ１８８のブロック構成図の一部を示す図である。図７のブロック図の受光素子１８がアンテナ１９０に、受光部１１８が受信部１９２に置き換わったものであり、他の部分は図７と同様である。受光部１１８と受光素子１８をそのまま残して受信部１９２とアンテナ１９０を追加した形でも良い。
【０２７７】
図２７（Ｃ）は、上記受信部１９２の構成を示すブロック図である。アンテナ１９０からデコーダ部１９２Ｆの処理系統は、電波式リモコン１８２よりの指令電波の周波数に合った構成とする。指令電波をアンテナ１９０で電流に変換し、増幅部１９２Ａで増幅し、フィルタ部１９２Ｂで搬送波周波数に合せた帯域を通過させたのち、検波部１９２Ｃで検波し、積分部１９２Ｄで搬送波周波数成分を除去して信号成分を再生し、波形整形部１９２Ｅで整形し、デコーダ部１９２Ｆで指令に変換する。
【０２７８】
図２８（Ａ）は、電波式リモコン１８２の発生する信号を示す図である。制御部１４８から変調部１５０に供給されるデータ信号は、図１４（Ａ）乃至（Ｃ）と同様である。指令電波の搬送周波数として３１５ＭＨｚを用いる場合は、発振部１５２より３１５ＭＨｚを変調部１５０に供給し、データ信号で変調する。３１５ＭＨｚの搬送波の場合は、図２８（Ａ）のような信号波形が得られる。データ信号１Ｔ＝５００μＳに３１５ＭＨｚの搬送波の周期３．１７μＳの搬送波がおおよそ１５７サイクル含まれる。電力増幅部１８６で所定の出力を得てアンテナ１８４より輻射される。また、搬送波として例えば６１５ＭＨｚを用いる場合は、データ信号１Ｔ＝５００μＳに６３０ＭＨｚの搬送波の周期１．５９μＳの搬送波がおおよそ３１５サイクル含まれる。
【０２７９】
図２８（Ｂ）は、搬送波拡大波形を示す図であり、３１５ＭＨｚの場合は一周期約３．１７μＳ、６３０ＭＨｚの場合は一周期約１．５９μＳ、９４５ＭＨｚの場合は一周期約１．０６μＳで１Ｔ＝５００μＳに約４７３サイクル含まれ、２．４５ＧＨｚの場合は一周期約０．４１μＳで１Ｔ＝５００μＳに約１２２５サイクル含まれ、１５７．５ＭＨｚの場合は一周期約６．３５μＳで１Ｔ＝５００μＳに約７９サイクル含まれる。
【０２８０】
以上の構成を実施することにより、指令機器よりの指令を電波により送信することが出来る撮像システムが構成できる。電波によるリモコン指令は光に比べて指向性が少なく後半からの指令電波を撮像機器に到達させることが出来る。
【０２８１】
［第３実施形態］
次に、本発明の第３実施形態を説明する。
【０２８２】
撮影した画像を標準化されたフォーマットで着脱メモリ１１２に記録した場合に、たとえカメラ本体１２が禁止モードＭ１になっていてカメラ本体１２が使えなくても、着脱メモリ１１２をカメラ本体１２から抜いて他の機器で再生すると、情報は漏れてしまう。そこで、本実施形態は、禁止モードＭ１で撮影した画像は、内蔵メモリ１１０にのみ記録することにより、カメラ本体１２が禁止モードＭ１である限り、認証情報付きリモコンが無いと画像の再生等はできなくするものである。
【０２８３】
具体的には、上記第１実施形態における上記ステップＳ２７４における静止画撮影での画像記録及び上記ステップＳ２８０におけるメモリ残有のチェックは、内蔵メモリ１１０に対してのみ行なう。また、上記ステップＳ３００における動画撮影及び上記ステップＳ３０２におけるメモリ残有のチェックは、内蔵メモリ１１０にのみ行なう。また、内蔵メモリ１１０に記録されている画像を着脱メモリ１１２にメニュー機能（上記ステップＳ３６８）を使ってコピー又は移動する場合は、暗号化・復号化回路１２８あるいは主制御部１１６とプログラムで暗号化しておく。暗号化されて着脱メモリ１１２に記録された画像を内蔵メモリ１１０に戻す場合や、カメラ本体１２で再生する場合には、暗号化・復号化回路１２８あるいは主制御部１１６とプログラムで復号化する。
【０２８４】
また、制限モードＭ２あるいは許可モードＭ４で撮影した画像であっても、秘匿しておきたい画像もある。あるいはカメラ本体１２の所有者が禁止タイマ１４６の時間を短く設定しておき、制限モードＭ２あるいは許可モードＭ４で撮影し、禁止モードＭ１になった後は認証情報付きリモコンが無いと画像再生ができないように、取り外せる着脱メモリ１１２ではなく、内蔵メモリ１１０にのみ撮影画像を記録しておくことで、着脱メモリ１１２の取り外しによる画像の流失を防ぐことができる。
【０２８５】
具体的には、メニューの設定項目の一つとして、画像の記録先の指定メニューを設け、内蔵メモリ１１０のみ、着脱メモリ１１２のみ、内蔵メモリ１１０と着脱メモリ１１２の双方に記録が可能でどちらを優先させるか指定し、片方が一杯になった時は他方に記録する、などを指定する。
【０２８６】
なお、より安全な記録を行なうために、この記録選択のメニューは禁止モードＭ１での再生状態のメニュー（上記ステップＳ３６８）でのみ、設定できるようにしても良い。
【０２８７】
以上のように、本発明の第３実施形態によれば、カメラ本体１２が禁止モードＭ１の場合に撮影した画像は、内蔵メモリ１１０に記憶されるので、他の機器で読み出すことができず、また、カメラ本体１２が禁止モードＭ１である限り、認証情報付きリモコンである光学式リモコン５６，７４又は９６あるいは電波式リモコン１８２が無いと画像の再生、コピー、移動、印刷などはできなくすることができる。更に、内蔵メモリ１１０の画像を着脱メモリ１１２に移動する場合は、暗号化して記憶することで、着脱メモリ１１２の画像に対してもセキュリティを持たせることが可能になる。また、ユーザが、撮影画像を内蔵メモリ１１０に記録するか、着脱メモリ１１２に記録するか選択することができる。
【０２８８】
［第４実施形態］
次に、本発明の第４実施形態を説明する。
【０２８９】
本実施形態は、識別情報として、可変識別情報を用いるものである。
【０２９０】
図２９（Ａ）に示すように、本実施形態においては、カメラ本体１２の主制御部１１６の識別情報生成部１１６Ａに、乱数発生部１１６Ａ１あるいはデータ表１１６Ａ２を備える。
【０２９１】
ここで、乱数発生部１１６Ａ１は、主制御部１１６のＣＰＵで混合合同法あるいは線形合同法などの乱数発生プログラムによって乱数を発生するものであっても良いし、シフトレジスタとエクシクルーシブオア回路の組合わせなどのロジック回路で疑似乱数を発生させても良い。
【０２９２】
図２９（Ｂ）は、データ表１１６Ａ２の例を示す図であり、１００個の２桁数値の乱数表である。
【０２９３】
この様に、識別情報として送信ごとに、乱数発生部１１６Ａ１で乱数を発生させて、あるいはデータ表１１６Ａ２の数値を順次選択して、可変の識別情報として用いることにより、過去に送信した識別情報の盗聴等による複製に対する安全性を高めることができる。
【０２９４】
この識別情報は、固有情報記憶部１１６Ｂの情報と併せて用いても良いし、単独で用いても良い。
【０２９５】
識別情報の送信フォーマットは、図１６（Ａ）乃至（Ｆ）並びに図１７（Ａ）乃至（Ｉ）での説明と同様である。
【０２９６】
以上のように、本発明の第４実施形態によれば、乱数発生部１１６Ａ１で発生した乱数又はデータ表１１６Ａ２から選んだ値を用いて可変の識別情報を生成することで、過去に指令機器へ送信した識別情報の盗聴等による指令の複製に対する安全性を高めることができる。
【０２９７】
［第５実施形態］
次に、本発明の第５実施形態を説明する。
【０２９８】
本実施形態においては、図３０（Ａ）に示すように、カメラ本体１２の主制御部１１６の識別情報生成部１１６Ａに計数部１１６Ａ３を備える。また、図３０（Ｂ）に示すように、認証情報付きリモコンである光学式リモコン５６，７４又は９６あるいは電波式リモコン１８２の制御部１４８には、計数部１４８Ｄを備える。本実施形態は、これら計数部１１６Ａ３、１４８Ｄを用いて、識別情報をカメラ本体１２とリモコン５６，７４，９６又は１８２との間で同期的に変化させることにより、信頼性を向上させるものである。
【０２９９】
図３１はその手順を示す図である。即ち、カメラ本体１２の送信ボタン３０が押された場合、カメラ側の計数部１１６Ａ３の計数値は初期化され（ステップＳ４００）、識別情報に該計数部１１６Ａ３の初期化された計数値を組合わせて送信すると共に、該計数部１１６Ａ３の計数を開始する（ステップＳ４０２）。
【０３００】
一方、認証情報付きリモコンである光学式リモコン５６，７４又は９６あるいは電波式リモコン１８２側では、カメラ本体１２からの識別情報を受信したならば、制御部１４８内の計数部１４８Ｄの計数値を、その受信した識別情報に組合わされた計数値の初期値に書き替えた後（ステップＳ４０４）、計数部１４８Ｄの計数を開始する（ステップＳ４０６）。
【０３０１】
以降、認証情報付きリモコンである光学式リモコン５６，７４又は９６あるいは電波式リモコン１８２において何れかのボタンが押されたならば（ステップＳ４０８）、計数部１４８Ｄの計数値を読み取り（ステップＳ４１０）、その読み取った計数値を組合わせた認証情報付き指令を発信する（ステップＳ４１２）。
【０３０２】
カメラ本体１２側では、その計数値を組合わせた認証情報付き指令を受信したならば（ステップＳ４１４）、カメラ本体１２内の計数部１１６Ａ３の計数値を読み取る（ステップＳ４１６）。そして、その読み取った計数値を上記リモコン５６，７４，９６又は１８２よりの計数値と比較して、同一あるいは双方の計数誤差を勘案した許容範囲内であれば（ステップＳ４１８）、その指令に沿った動作を実行する（ステップＳ４２０）。
【０３０３】
このように、カメラ本体１２側の識別情報送信を起点として、認証情報付きリモコンである光学式リモコン５６，７４又は９６あるいは電波式リモコン１８２とカメラ本体１２でそれぞれ計数を開始して一致を取ることにより、計数値の合致する５６，７４，９６又は１８２よりの指令のみを受け付けることができる。
【０３０４】
なお、計数の方法は、識別情報を発する毎に、１、２、３、とカウントし、受信毎に１、２、３とカウントして一致を取る方法や、タイマを使って時間を計数する方法でも良い。したがって、同種のリモコンが複数あっても、識別情報が変化し、計数が一致しない限り他のリモコンよりの指令は受け付けないので、固定の識別情報のみにより判別する場合に比べて、簡単な機構でよりいっそう安全性を高めることができる。
【０３０５】
以上のように、本発明の第５実施形態によれば、識別情報送信を起点として、認証情報付きリモコンである光学式リモコン５６，７４又は９６あるいは電波式リモコン１８２とカメラ本体１２でそれぞれ計数を開始して一致を取ることにより、カメラ本体１２では、計数値の合致するリモコンよりの指令のみを受け付けることができる。
【０３０６】
なお、計数値を識別情報に組合わせるのではなく、計数値自体を識別情報として用いても良いことは勿論である。
【０３０７】
［第６実施形態］
次に、本発明の第６実施形態を説明する。
【０３０８】
撮影済み画像の秘匿性を高めるために、本実施形態においては、撮影状態Ｊ１，Ｊ２では、認証情報付きでない撮影実行指令やズーム機能のテレボタン６６とワイドボタン６８の指令でも動作を行い、再生状態Ｊ３では、認証指令リモコンである光学式リモコン９６からの認証指令のみで動作を行なう。
【０３０９】
そのため、上記ステップＳ１０４においてセレクトスイッチ３４を読み取って再生状態Ｊ３に分岐した場合、上記第１実施形態では、上記ステップＳ１５６として再生が許可されているか否かを判断する分岐に入るが、本実施形態では、図３２（Ａ）に示すように、上記ステップＳ１０８に進んで、モニタ３６に認証指令リモコンでしか操作できない旨の警告を表示する。
【０３１０】
また、上記ステップＳ２６６において、一般指令を受信した際に許可モードＭ４又は制限モードＭ２であると判断された場合に、上記第１実施形態では、上記ステップＳ２５４での分岐を経て、上記ステップＳ２６２として再生が許可されているか否かを判断する分岐に入るが、本実施形態では、図３２（Ｂ）に示すように、カメラ本体１２のセレクトスイッチ３４の状態を読み取り、静止画撮影状態Ｊ１か、動画撮影状態Ｊ２か、再生状態Ｊ３かにより分岐する（ステップＳ３７８）。そして、再生状態Ｊ３となっていると判断した場合には、上記ステップＳ２６４に進んで、モニタ３６に認証指令リモコンでしか操作できない旨の警告を表示する。なお、上記ステップＳ３７８において、静止画撮影状態Ｊ１となっていると判断した場合には上記ステップＳ２５６へ進み、動画撮影状態Ｊ２となっていると判断した場合には上記ステップＳ２６０へ進む。
【０３１１】
図３３（Ａ）乃至（Ｃ）は、認証情報付きリモコンである光学式リモコン５６，７４又は９６あるいは電波式リモコン１８２からの機能範囲指定情報１９４を含む指令の送信データフォーマットを示す図であり、図３３（Ｄ）は、機能範囲指定情報１９４及び前述の第５実施形態で説明したような計数部１４８Ｄでの計数値１９６を含む指令のデータフォーマットを示す図であり、図３３（Ｅ）は、機能範囲指定情報１９４及びＩＤ情報１９８を含む指令のデータフォーマットを示す図である。ここでは、機能範囲指定情報１９４、計数値１９６及びＩＤ情報１９８は、認証情報付きリモコンである光学式リモコン５６，７４又は９６あるいは電波式リモコン１８２からの送信データフォーマットに追加する形で説明するが、データ部１７４のｎバイトの中に指令と共に含ませることもできる。また、識別情報１５８は、図３３（Ａ）ではデータ部１７４に、図３３（Ｂ）及び（Ｃ）ではヘッダ１７６あるいはデータ部１７４に、図３３（Ｄ）ではヘッダ１７６あるいは計数値１９６又はデータ部１７４に、図３３（Ｅ）ではヘッダ１７６あるいはＩＤ情報１９８又はデータ部１７４に、含めて送信することができる。
【０３１２】
図３３（Ａ）は、使用できる機能の範囲を指定する機能範囲指定情報１９４を指令、例えば認証モード切替指令に含める場合を示す図である。この機能範囲指定情報１９４としては、図２１の機能制限表の制限フラグをビット単位あるいはバイト単位で対応させれば良い。図３３（Ｂ）は、ヘッダ１７６と機能範囲指定情報１９４を、図３３（Ｃ）は、ヘッダ１７６と機能範囲指定情報１９４とＥＣＣ１７８を、図３３（Ｄ）は、ヘッダ１７６と計数値１９６と機能範囲指定情報１９４とＥＣＣ１７８を、図３３（Ｅ）は、ヘッダ１７６と製造番号等の機器固有のＩＤ情報１９８と機能範囲指定情報１９４とＥＣＣ１７８を、それぞれ含めた場合の例である。図３３（Ｅ）のＩＤ情報１９８は、認証情報付きリモコンである光学式リモコン５６，７４又は９６あるいは電波式リモコン１８２とカメラ本体１２との双方の製造番号や、シリアル番号あるいは製造日付や場所、機種名、ランダムな文字列など、機器の認識が出来るものであれば良い。なお、図３３（Ｅ）のフォーマットでＩＤ情報１９８としては、撮像機器から受信した撮像機器固有の情報を用いることが出来るが、指令機器固有の情報も用いることが出来る。また、識別情報として撮像機器より受信した可変の識別情報を用いることが出来る。このように指令機器の指令は各種の組み合わせが可能である。
【０３１３】
以上のように、本発明の第６実施形態によれば、撮像は何時でも誰でも行うことができるようにして操作性を高め、それ以外の再生やコピー等の機能についてはセキュリティを確保することができる。
【０３１４】
また、指令、特に認証指令に機能範囲指定情報１９４を含めることで、使用できる機能の範囲をユーザが任意に指定できるようになる。
【０３１５】
また、認証情報がカメラ本体１２に固有のＩＤ情報を含むので、同一構成のカメラ本体１２が複数有っても、誤動作するおそれがない。
【０３１６】
なお、指令に上記のような種々の認証情報を含ませているので、当該撮像機器に対する個々の指令を確実に判別して実行できる。
【０３１７】
［第７実施形態］
次に、本発明の第７実施形態を説明する。
【０３１８】
識別情報の予測可能性を低めて識別情報の安全性を向上させるために、本実施形態では、カメラ本体１２の主制御部１１６の識別情報生成部１１６Ａで生成する識別情報として、内蔵メモリ１１０あるいは着脱メモリ１１２に記憶されている画像情報を基礎として算出した画像情報由来の情報を用いる。この画像情報由来の情報の算出方法は、識別情報生成部１１６Ａによる、単純な画像圧縮例えば２次元サンプリングによるデータ圧縮、画像の特定ビットプレーンのデータ使用、あるいはその組み合わせなどが利用できる。更には、画像処理回路１２６による部分画像圧縮や、暗号化・復号化回路１２８で画像の一部を暗号化するなども利用できる。
【０３１９】
図３４（Ａ）乃至（Ｃ）は、その処理を説明する図である。図３４（Ａ）に示す元画像２００は、内蔵メモリ１１０あるいは着脱メモリ１１２に記憶されている画像の一つである。画像のサイズは種々あるが、図３４（Ａ）では横６４０画素、縦４８０画素である。画像データ全てを識別情報として利用するのは記憶容量や送受信時間の観点から効率が悪いので、画像の一部を利用する、あるいは何らかのデータ圧縮を施して、あるいはその両方を組合わせて、画像情報由来の情報を生成して識別情報とする。
【０３２０】
図３４（Ｂ）は、その画像情報由来の情報の一例として画像由来データ２０２を示す図で、図３４（Ａ）の元画像２００を横８分割、縦６分割して、一つの分割された小領域（横８０画素）に左上より右下に１番から４８番として、各小領域の画素の平均値を求め４８データを生成する、あるいは各小領域の特定の位置の画素データを代表値として４８データを生成する、などで作成する。あるいは、図３４（Ｃ）に示すように、各小領域の特定位置の画素の最下位ビットの値（１又は０）を、小領域１をビット１として、以下小領域４８までをビット４８に割り当てた４８ビットの画像由来データ２０２とする、などでも良い。以上の元画像のサイズ、画像情報由来の情報のサイズは一例である。また、画像メモリである内蔵メモリ１１０あるいは着脱メモリ１１２にまだ画像情報が記録されていない場合は、主制御部１１６内の図示しないメモリに画像のサンプルがある場合はそれを利用する、あるいはデフォルト値を持っておくなどでも良い。
【０３２１】
図３５は、画像情報由来の情報の利用方法を説明するためのフローチャートを示す図である。新たな識別情報の送信を行なう場合、カメラ本体１２の主制御部１１６の識別情報生成部１１６Ａで元画像を選択し（ステップＳＴ２６）、主制御部１１６のＣＰＵや画像処理回路１２６を必要に応じて使用しながら画像圧縮などの方法で画像由来の情報を抽出して、不揮発性のメモリ例えばモードメモリ１３４に保存し（ステップＳＴ２８）、識別情報あるいは識別情報の一部として指令機器に送信する（ステップＳＴ３０）。
【０３２２】
認証情報付きリモコンである光学式リモコン５６，７４又は９６あるいは電波式リモコン１８２では、カメラ本体１２より送信された画像情報由来の情報を含む識別情報を受信すると、制御部１４８のＣＰＵに割り込みがかかり、制御部１４８は、その受信した識別情報を認証情報生成部１４８Ａの不揮発性メモリに記憶する、あるいは既に以前受信したデータがある場合は上書きする（ステップＳＴ３２）。そして、認証情報付きの指令（認証指令）を送信する時には、制御部１４８は、上記受信し記憶してある識別情報を含めて送信する（ステップＳＴ３４）。
【０３２３】
カメラ本体１２は、その認証指令を受信すると、主制御部１１６のＣＰＵに割り込みがかかり、主制御部１１６は、その受信した認証指令に含まれた識別情報を抽出し（ステップＳＴ３６）、その抽出した識別情報を保存してある画像由来の識別情報と比較する（ステップＳＴ３８）。両者が一致していれば、その指令を実行し（ステップＳＴ４０）、不一致であれば、無視して割り込み前の状態に戻る（ステップＳＴ４２）。なお、そのような割り込み前の状態に戻る前に、音あるいは光で警報を発生させても良い。上記ステップＳＴ３６及びＳＴ３８は、図２５ＥのステップＳ２１６及びＳ２１８に相当する。
【０３２４】
以上のように、本発明の第７実施形態によれば、識別情報の予測可能性を低く抑えることで、より安全な指令の授受ができる。
【０３２５】
［第８実施形態］
次に、本発明の第８実施形態を説明する。
【０３２６】
本実施形態は、指令機器が識別情報をカメラ本体１２より受信する際に、確かに目的のカメラからの識別情報であるかを確認できる手段を設けたものである。
【０３２７】
カメラ本体１２の主制御部１１６の固有情報記憶部１１６Ｂに記憶してある固有情報と同じ情報を、指令機器の制御部１４８の固定情報記憶部１３８Ｂに記憶しておき、カメラ本体１２より認証情報付きリモコンである光学式リモコン５６，７４又は９６に、図１５、図１６（Ａ）乃至（Ｆ）、図１７（Ａ）乃至（Ｉ）で説明したように、識別情報を送信する際に、カメラ本体１２の主制御部１１６の固有情報記憶部１１６Ｂの情報を含めて送信し、リモコン側では受信したカメラ本体１２の固有情報と、当該リモコンに記憶されている対応するカメラ本体１２の固有情報とを比較して、一致している場合のみ、その識別情報が意図したカメラ本体１２からの情報であると見なして有効とする。
【０３２８】
以上のように、本発明の第８実施形態によれば、識別情報が意図した撮像機器から送信されたものか否かを判別できるので、より安全な識別情報の授受ができる。
【０３２９】
［第９実施形態］
次に、本発明の第９実施形態を説明する。
【０３３０】
本実施形態では、認証情報付きリモコンである光学式リモコン５６，７４又は９６あるいは電波式リモコン１８２の制御部１４８の認証情報生成部１４８Ａで生成する識別情報として、カメラ本体１２から送られてきた識別情報を基礎として算出した識別情報由来の情報を用いる。
【０３３１】
図３６は、本実施形態における識別情報由来の情報の利用方法を説明するためのフローチャートを示す図である。カメラ本体１２より認証情報付きリモコンである光学式リモコン５６，７４又は９６あるいは電波式リモコン１８２に識別情報を送信する（ステップＳＴ１２）。
【０３３２】
認証情報付きのリモコン５６，７４，９６又は１８２がその識別情報を受信すると、制御部１４８のＣＰＵに割り込みがかかり、制御部１４８は、その受信した識別情報を認証情報生成部１４８Ａに保存する（ステップＳＴ４４）。そして、認証情報生成部１４８Ａでは、その識別情報より所定のルール、例えば暗号化、ビットシフト、あるいはハッシュ関数による演算などで識別情報由来の情報を生成し、保存する（ステップＳＴ４６）。認証指令を送信する際には、認証指令にその保存した識別情報由来の情報を含めてカメラ本体１２に送信する（ステップＳＴ４８）。
【０３３３】
カメラ本体１２は、その認証指令を受信すると、主制御部１１６のＣＰＵに割り込みがかかり、主制御部１１６は、その受信した認証指令に含まれた識別情報由来の情報を抽出し（ステップＳＴ５０）、上記リモコン５６，７４，９６又は１８２側での演算に対応した復号化、あるいはビットシフト、あるいは上記ステップＳＴ１２で送信した識別情報のハッシュ関数による演算を施して、結果が一致するかを調べる（ステップＳＴ５２）。そして、両者が一致したならば指令の実行に移り（ステップＳＴ４０）、不一致であれば、無視して割り込み前の状態に戻る（ステップＳＴ４２）。なお、そのような割り込み前の状態に戻る前に、音あるいは光で警報を発生させても良い。上記ステップＳＴ５０及びＳＴ５２は、図２５ＥのステップＳ２１６及びＳ２１８に相当する。
【０３３４】
以上のように、本発明の第９実施形態によれば、識別情報を所定のルールで変換して利用することにより、認証指令に含まれる識別情報由来の情報の予測可能性を低く抑えることができ、より安全な指令の授受ができる。
【０３３５】
［第１０実施形態］
次に、本発明の第１０実施形態を説明する。
【０３３６】
本実施形態においては、指令機器よりカメラ本体１２に送信する指令に、識別情報に加えて、指令機器の制御部１４８の固有情報記憶部１４８Ｂに記憶されている指令機器固有の情報を付加して送信し、カメラの固有情報記憶部１１６Ｂにも指令機器の固有情報を記憶させておき、指令受信の際に一致を取る。
【０３３７】
これにより、カメラ本体１２側で、当該カメラ本体１２に対応する指令機器からの指令であるか否かを確認することがより確実に出来る。また、この方法は、認証機能のない普通リモコンである光学式リモコン９２又は９４の場合でも、リモコンとカメラ本体１２の双方に固有情報記憶部を設けるのみでリモコンの判別が出来る。
【０３３８】
リモコンの固有情報の送信は、図１７（Ａ）乃至（Ｉ）の指令データフォーマットのデータ部１７４あるいは図３３（Ａ）乃至（Ｅ）のデータ部１７４のｎバイトに含めて、あるいはヘッダ１７６に含めて送信できる。
【０３３９】
以上のように、本発明の第１０実施形態によれば、リモコンの固有情報の送受信によりカメラ本体１２に対応するリモコンの識別がより確実に行なわれ、より安全な指令の授受ができる。
【０３４０】
［第１１実施形態］
次に、本発明の第１１実施形態を説明する。
【０３４１】
本実施形態、指令機器から撮像機器に送信した識別情報送信指令、あるいは禁止モード指令に対応して、撮像機器が指令機器に識別情報を送信する場合の説明である。図１５の原因Ｂあるいは原因Ｃに相当する。
【０３４２】
図３７は、識別情報送信指令を送信できる光学式リモコン２０４の外観構成を示す斜視図である。この光学式リモコン２０４は、図６（Ｃ）に示した認証指令リモコンの一例としてのカメラ用の光学式リモコン９６に、識別情報送信指令ボタン２０６が追加された形である。この他に、後述する第１３実施形態で使用するようなランプ２０８及びスピーカ２１０も追加されている。
【０３４３】
このような光学式リモコン２０４では、識別情報送信指令ボタン２０６が押されると、発光部５８より識別情報送信指令が送信される。送信データの形式は、認証指令として図１７（Ｄ）乃至（Ｆ）のデータ部１７４、あるいは図１７（Ｇ）乃至（Ｉ）の認証モード切替指令データ１８０の代わりに、あるいは図３３（Ａ）乃至（Ｅ）のデータ部１７４のｎバイトの部分に、“ZZSHIKIBETSUJYOHOSOSHINN”のような電文を入れたものである。なお、この電文は平文でもよいが、暗号化するとなお良い。
【０３４４】
図３８は、上記光学式リモコン２０４の電気的な構成の一例を示すブロック図である。識別情報送信指令ボタン２０６が押されると、発光部５８より識別情報送信指令が送信される。また、後で説明するように、ランプ２０８が電流制限用の抵抗２１２を介して電源に接続されており、制御部１４８の制御で点灯される。また制御部１４８よりの信号により、駆動部２１４を介してスピーカ２１０より音を発生する。その他の機能は、図１３の説明と同様である。
【０３４５】
図３９は、図１５の原因Ｂの、識別情報送信指令の受信に応じた識別情報の送信について説明するためのフローチャートを示す図である。即ち、上記認証リモコンである光学式リモコン２０４の識別情報送信指令ボタン２０６が押されると、該光学式リモコン２０４より識別情報送信指令が発信される（ステップＳＴ１６Ａ）。
【０３４６】
カメラ本体１２は、その識別情報送信を受信すると、主制御部１１６のＣＰＵに割り込みがかかり（ステップＳＴ１０Ｂ）、識別情報を送信する（ステップＳＴ１２）。
【０３４７】
光学式リモコン２０４が識別情報を受信すると、制御部１４８のＣＰＵに割り込みがかかり、制御部１４８は、その受信した識別情報を認証情報生成部１４８Ａに保存する（ステップＳＴ４４）。そして、以降、認証指令を送信する際には、その保存した識別情報を含めて送信する（ステップＳＴ５４）。
【０３４８】
なお、識別情報送信指令ボタン２０６を他の認証情報付きリモコン（光学式リモコン５６，７４又は９６あるいは電波式リモコン１８２）に追加しても、同様の動作が行えることは勿論である。
【０３４９】
図４０は、図１５の原因Ｃの、禁止モード指令の受信に応じた識別情報の送信について説明するためのフローチャートを示す図である。即ち、上記認証情報付きリモコンである光学式リモコン５６，７４，９６又は２０４あるいは電波式リモコン１８２より禁止モード指令が送信されて（ステップＳＴ１８Ａ）、カメラ本体１２がその禁止モード指令を受信すると、主制御部１１６のＣＰＵに割り込みがかかり（ステップＳＴ１０Ｃ１）、禁止モードを設定して（ステップＳＴ１０Ｃ２）、識別情報をリモコンに送信する（ステップＳＴ１２）。
【０３５０】
リモコン５６，７４，９６，１８２又は２０４は、識別情報を受信すると、制御部１４８のＣＰＵに割り込みがかかり、制御部１４８は、その受信した識別情報を認証情報生成部１４８Ａに保存する（ステップＳＴ４４）。そして、以降、認証指令を送信する際には、その保存した識別情報を含めて送信する（ステップＳＴ５４）。
【０３５１】
以上のように、本発明の第１１実施形態によれば、リモコンよりの識別情報送信指令を随時カメラに送り、リモコン側が新たな識別情報を受け取って使用することで、過去の識別情報の盗聴等による不正使用の脅威を減らして、より安全な指令の授受ができる。
【０３５２】
また、リモコンよりの禁止モード指令即ちカメラに鍵を掛けた際に、カメラ本体１２から新たな識別情報を受け取ることで、上記の効果が得られる。
【０３５３】
［第１２実施形態］
次に、本発明の第１２実施形態を説明する。
【０３５４】
図４１は、図１５の原因Ｄの、電源オンに応じた識別情報の送信についての説明するためのフローチャートを示す図である。即ち、パワースイッチ２８がオンされると（ステップＳＴ１０Ｄ）、電源オンと初期画面表示を行うと共に、識別情報を送信する（ステップＳＴ１２Ａ）。
【０３５５】
認証情報付きリモコンである光学式リモコン５６，７４，９６又は２０４あるいは電波式リモコン１８２は識別情報を受信すると、制御部１４８のＣＰＵに割り込みがかかり、制御部１４８は、その受信した識別情報を認証情報生成部１４８Ａに保存する（ステップＳＴ４４）。そして、以降、認証指令を送信する際には、その保存した識別情報を含めて送信する（ステップＳＴ５４）。
【０３５６】
上記ステップＳＴ１０Ｄは図２５ＡのステップＳ１２に、上記ステップＳＴ１２Ａは図２５ＡのステップＳ１００の一部に該当する。なお、初期画面表示状態で、モニタ３６に識別情報送信中などのように表示しても良い。更には、表示中は次のステップには進まず、後述する第１３実施形態例のようなリモコン表示と組み合わせて、リモコンの受信が確認されたところでＯＫボタン４０を押して、次のステップに進むようにしても良い。
【０３５７】
以上のように、本発明の第１２実施形態によれば、カメラ本体１２の電源オンの度にリモコン側で識別情報を受け取り使用することで、過去の識別情報の盗聴等による不正使用の脅威を減らして、より安全な指令の授受ができる。
【０３５８】
［第１３実施形態］
次に、本発明の第１３実施形態を説明する。
【０３５９】
図４２は、カメラ本体１２よりの識別情報をリモコンが受信したことを告知する機能について説明するためのフローチャートを示す図である。
【０３６０】
本実施形態は、図３７並びに図３８に示したようなランプ２０８並びにスピーカ２１０を使用する。即ち、カメラ本体１２より識別情報を送信し（ステップＳＴ１２）、認証情報付きリモコンである光学式リモコン２０４が識別情報を受信すると、制御部１４８のＣＰＵに割り込みがかかり、制御部１４８は、その受信した識別情報を認証情報生成部１４８Ａに保存する（ステップＳＴ４４）。そして、以降、認証指令を送信する際には、その保存した識別情報を含めて送信する（ステップＳＴ５４）。そして、ランプ２０８を点灯及び／又はスピーカ２１０を駆動して、確かに識別情報を受信して保存したことを告知する（ステップＳＴ２４）。
【０３６１】
以上のように、本発明の第１３実施形態によれば、認証情報付きリモコンがカメラ本体１２からの識別情報を確実に受信したことが確認でき、万一送受信が正常に行なわれなかった場合は再送信などの対応が容易であるので、より安全な指令の授受ができる。
【０３６２】
なお、ランプ２０８並びにスピーカ２１０を、他の認証情報付きリモコン（光学式リモコン５６，７４又は９６あるいは電波式リモコン１８２）に追加しても、同様の動作が行えることは勿論である。
【０３６３】
［第１４実施形態］
次に、本発明の第１４実施形態を説明する。
【０３６４】
本実施形態は、カメラ本体１２からリモコンに送信した識別情報を再びカメラ本体１２に返信して一致を取ることで、より識別情報の信頼性を向上させるようにしたものである。
【０３６５】
図４３は、そのような一致確認機能について説明するためのフローチャートを示す図である。カメラ本体１２には、識別情報の送信機能とリモコンよりの指令受信機能がある。リモコンにも、指令送信機能と識別情報受信機能がある。これらの機能を使用して、カメラ本体１２より識別情報を送信し（ステップＳＴ１２）、認証情報付きリモコンである光学式リモコン５６，７４，９６又は２０４あるいは電波式リモコン１８２が識別情報を受信すると、制御部１４８のＣＰＵに割り込みがかかり、制御部１４８は、その受信した識別情報を認証情報生成部１４８Ａに保存する（ステップＳＴ４４）。そして、その受信し保存した識別情報をカメラ本体１２に送信する（ステップＳＴ５６）。
【０３６６】
カメラ本体１２はその識別情報を受信すると、主制御部１１６のＣＰＵに割り込みがかかり（ステップＳＴ５８）、その受信した識別情報と送信した識別情報とを比較し（ステップＳＴ６０）、一致していれば発光素子２０、スピーカ５０、あるいはモニタ３６を使用して、正常に送受信が出来たことを告知する（ステップＳＴ６２）。一致しなかった場合は、発光素子２０、スピーカ５０、あるいはモニタ３６を使用して、エラーの告知を正常時とは異なるパターンで行なう（ステップＳＴ６４）。
【０３６７】
以上のように、本発明の第１４実施形態によれば、識別情報を送信し返信させて一致を取ることにより、識別情報の送受信が確実に行なわれ、より安全な指令の授受ができる。
【０３６８】
以上実施形態に基づいて本発明を説明したが、本発明は上述した実施形態に限定されるものではなく、本発明の要旨の範囲内で種々の変形や応用が可能なことは勿論である。
【０３６９】
（付記）
前記の具体的実施形態から、以下のような構成の発明を抽出することができる。
【０３７０】
（１）  撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器と、を含む撮像システムにおいて、
上記撮像機器は、上記指令機器に対して当該撮像機器が当該指令機器の識別を行なうための識別情報を送信する識別情報送信手段を具備し、
上記指令機器は、
上記撮像機器より送信された上記識別情報を受信する識別情報受信手段と、
上記撮像機器を制御するための指令を、上記識別情報受信手段で受信した上記識別情報あるいは上記識別情報由来の情報を含む、上記撮像機器が当該指令機器の認証を行なうための認証情報を含む認証情報付き指令である認証指令として送信する指令送信手段と、
を具備することを特徴とする撮像システム。
【０３７１】
（対応する実施形態）
この（１）に記載の撮像システムに関する実施形態は、第１乃至第１４実施形態が対応する。それらの実施形態において、レンズ部１４、撮像素子１０６、撮像処理回路１０８等が上記撮像手段に、デジタルカメラ１０及びデジタルムービカメラ５２が上記撮像機器に、カメラ本体１２が上記撮像機器の本体に、光学式リモコン５６，７４，９６，２０４、電波式リモコン１８２が上記指令機器に、発光素子２２、識別情報発光部１１４、主制御部１１６が上記識別情報送信手段に、受光部６０、制御部１４８が上記識別情報受信手段に、発光部５８、制御部１４８、変調部１５０、発振部１５２、トランジスタ１５４、抵抗１５６、電力増幅部１８６、アンテナ１８４が上記指令送信手段に、それぞれ対応する。
【０３７２】
（作用効果）
この（１）に記載の撮像システムによれば、撮像機器本体の識別情報を指令機器に送信し、指令機器より送信する指令に上記識別情報を含めて送信することで、撮像機器と指令機器の対応を確実に行うことができる。万一、指令機器から撮像機器に送信された指令が盗聴されて複製されてしまった場合であっても、撮像機器の識別情報を適時変更して指令機器に送信してその識別情報を指令機器からの指令に付加して送り撮像機器で確認することにより正当な指令機器からの指令であることの確認の信頼性を向上することができる。
【０３７３】
従って、操作が容易で、コストも低く、安全性が高い撮像機器の使用制限機能を実現することが可能な撮像システムを提供することができる。
【０３７４】
（２）  上記撮像機器は、
上記指令機器の上記指令送信手段から送信された指令を受信する指令受信手段と、
上記指令受信手段で受信された上記認証指令に含まれる、上記識別情報あるいは上記識別情報由来の情報を含む認証情報を認識する認証情報認識手段と、
上記認証情報認識手段で認識された上記認証情報に基づいて当該撮像機器の所定の機能の制限を行なう機能制限手段と、
を具備することを特徴とする（１）に記載の撮像システム。
【０３７５】
（対応する実施形態）
この（２）に記載の撮像システムに関する実施形態は、第１乃至第１４実施形態が対応する。それらの実施形態において、受光素子１８、受光部１１８、アンテナ１９０、受信部１９２が上記指令受信手段に、主制御部１１６が上記認証情報認識手段に、主制御部１１６が上記機能制限手段に、それぞれ対応する。
【０３７６】
（作用効果）
この（２）に記載の撮像システムによれば、撮像機器本体とは別の指令機器に認証情報を持ち、撮像機器に認証情報を設定することにより、万一撮像機器を紛失した場合でも、指令機器からの認証情報を含む認証指令が来なければ、撮影済みの画像の再生等の所定の機能が制限され、セキュリティを確保することが可能である。
【０３７７】
（３）  上記撮像機器は、上記撮像手段で撮像された画像を出力する画像出力手段を更に具備し、
上記撮像機器の上記機能制限手段は、上記画像出力手段に係る機能を制限することを特徴とする（２）に記載の撮像システム。
【０３７８】
（対応する実施形態）
この（３）に記載の撮像システムに関する実施形態は、第１乃至第１４実施形態が対応する。それらの実施形態において、モニタ３６、主制御部１１６、表示制御部１３８が上記画像出力手段に対応する。
【０３７９】
（作用効果）
この（３）に記載の撮像システムによれば、撮影済みの画像の出力が制限されるので、万一撮像機器単体を紛失してしまい、その撮像機器を第三者が入手したとしても、その第三者に撮像機器内の撮影済み画像を見られるおそれを無くすことができる。
【０３８０】
（４）  上記撮像機器の上記識別情報送信手段が送信する上記識別情報は、変化することを特徴とする（１）に記載の撮像システム。
【０３８１】
（対応する実施形態）
この（４）に記載の撮像システムに関する実施形態は、第４実施形態が対応する。
【０３８２】
（作用効果）
この（４）に記載の撮像システムによれば、識別情報が変化することで、過去に送信した識別情報の盗聴等による複製に対する安全性を高めることができる。
【０３８３】
（５）  上記撮像機器の上記識別情報送信手段が送信する上記識別情報は、暗号化されていることを特徴とする（１）に記載の撮像システム。
【０３８４】
（対応する実施形態）
この（５）に記載の撮像システムに関する実施形態は、第１乃至第１４実施形態が対応する。
【０３８５】
（作用効果）
この（５）に記載の撮像システムによれば、識別情報を暗号化することで不正利用を防止できる。
【０３８６】
（６）  上記撮像機器の上記識別情報送信手段が送信する上記識別情報は、上記撮像機器で撮影した画像または該画像由来の情報であることを特徴とする（１）に記載の撮像システム。
【０３８７】
（対応する実施形態）
この（６）に記載の撮像システムに関する実施形態は、第７実施形態が対応する。
【０３８８】
（作用効果）
この（６）に記載の撮像システムによれば、識別情報として上記撮像機器で撮影した画像または該画像由来の情報を用いることで、識別情報の予測可能性を低く抑えることができ、より安全な指令の授受ができる。
【０３８９】
（７）  上記撮像機器の上記識別情報送信手段が送信する上記識別情報は、各撮像機器に固有の撮像機器固有情報を含むことを特徴とする（１）に記載の撮像システム。
【０３９０】
（対応する実施形態）
この（７）に記載の撮像システムに関する実施形態は、第１実施形態が対応する。
【０３９１】
（作用効果）
この（７）に記載の撮像システムによれば、認証情報が撮像機器に固有の情報を含むので、同一構成の撮像機器が複数有っても、誤動作するおそれがない。
【０３９２】
（８）  上記指令機器は、
上記撮像機器の上記撮像機器固有情報と同じ情報を記憶する記憶手段と、
上記識別情報受信手段で受信した上記識別情報が含む上記撮像機器固有情報と上記記憶手段に記憶してある情報とを比較する比較手段と、
を更に具備することを特徴とする（７）に記載の撮像システム。
【０３９３】
（対応する実施形態）
この（８）に記載の撮像システムに関する実施形態は、第８実施形態が対応する。その実施形態において、固有情報記憶部１４８Ｂが上記記憶手段に、制御部１４８が上記比較手段に、それぞれ対応する。
【０３９４】
（作用効果）
この（８）に記載の撮像システムによれば、当該指令機器に記憶されている対応する撮像機器の固有情報と比較することで、送信されてきた識別情報が意図した撮像機器から送信されたものか否かを判別できるので、より安全な識別情報の授受ができる。
【０３９５】
（９）  上記指令機器の上記指令送信手段が送信する上記認証指令が含む認証情報に含まれる上記識別情報由来の情報は、上記識別情報受信手段で受信した上記識別情報を所定のルールで変換したものであることを特徴とする（１）に記載の撮像システム。
【０３９６】
（対応する実施形態）
この（９）に記載の撮像システムに関する実施形態は、第９実施形態が対応する。
【０３９７】
（作用効果）
この（９）に記載の撮像システムによれば、識別情報を所定のルールで変換して利用することにより、認証指令に含まれる識別情報由来の情報の予測可能性を低く抑えることができ、より安全な指令の授受ができる。
【０３９８】
（１０）  上記指令機器の上記指令送信手段は、当該指令機器に固有の指令機器固有情報を上記認証指令に含めて送信し、
上記撮像機器は、
上記指令機器の上記指令機器固有情報と同じ情報を記憶する記憶手段と、
上記指令機器の上記指令送信手段から送信された上記認証指令を受信する指令受信手段と、
上記指令受信手段で受信した上記認証指令に含まれる上記指令機器固有情報と上記記憶手段に記憶してある情報とを比較する比較手段と、
を更に具備有することを特徴とする（１）に記載の撮像システム。
【０３９９】
（対応する実施形態）
この（１０）に記載の撮像システムに関する実施形態は、第１０実施形態が対応する。その実施形態において、固有情報記憶部１１６Ｂが上記記憶手段に、受光素子１８、受光部１１８、アンテナ１９０、受信部１９２が上記指令受信手段に、主制御部１１６が上記比較手段に、それぞれ対応する。
【０４００】
（作用効果）
この（１０）に記載の撮像システムによれば、指令機器の固有情報の送受信により撮像機器に対応する指令機器の識別がより確実に行なわれ、より安全な指令の授受ができる。
【０４０１】
（１１）  上記撮像機器の上記識別情報送信手段が送信する上記識別情報は、上記撮像機器に固有の撮像機器固有情報と可変情報とを含むことを特徴とする（１）に記載の撮像システム。
【０４０２】
（対応する実施形態）
この（１１）に記載の撮像システムに関する実施形態は、第４実施形態が対応する。
【０４０３】
（作用効果）
この（１１）に記載の撮像システムによれば、撮像機器に固有の情報と可変の情報とを組合わせて用いることにより、過去に送信した識別情報の盗聴等による複製に対する安全性を高めることができる。
【０４０４】
（１２）  上記指令機器の上記指令送信手段は、上記識別情報受信手段で受信した上記識別情報に含まれる上記可変情報と、当該指令機器に固有の指令機器固有情報とを、上記認証情報が含む上記識別情報由来の情報とすることを特徴とする（１１）に記載の撮像システム。
【０４０５】
（対応する実施形態）
この（１２）に記載の撮像システムに関する実施形態は、第６実施形態が対応する。
【０４０６】
（作用効果）
この（１２）に記載の撮像システムによれば、撮像機器から送信した可変の情報と指令機器に固有の情報とを認証情報に含めることで、過去に送信した識別情報の盗聴等による複製に対する安全性を高めることができる。
【０４０７】
（１３）  上記撮像機器は、
乱数を生成する乱数生成手段と、
上記識別情報送信手段が送信する上記識別情報として、上記乱数発生手段により生成した乱数を含む識別情報を生成する識別情報生成手段と、
を更に具備することを特徴とする（１）または（４）に記載の撮像システム。
【０４０８】
（対応する実施形態）
この（１３）に記載の撮像システムに関する実施形態は、第４実施形態が対応する。その実施形態において、乱数発生部１１６Ａ１が上記乱数発生手段に、識別情報生成部１１６Ａが上記識別情報生成手段に、それぞれ対応する。
【０４０９】
（作用効果）
この（１３）に記載の撮像システムによれば、乱数発生手段で発生した乱数を用いて可変の識別情報を生成することで、過去に指令機器へ送信した識別情報の盗聴等による指令の複製に対する安全性を高めることができる。
【０４１０】
（１４）  上記撮像機器は、上記指令機器に送信する上記識別情報として、予め記憶した表の中から選んだデータを含む識別情報を生成する識別情報生成手段を更に具備することを特徴とする（１）または（４）に記載の撮像システム。
【０４１１】
（対応する実施形態）
この（１４）に記載の撮像システムに関する実施形態は、第４実施形態が対応する。その実施形態において、データ表１１６Ａ２が上記予め記憶した表に、識別情報生成部１１６Ａが上記識別情報生成手段に、それぞれ対応する。
【０４１２】
（作用効果）
この（１３）に記載の撮像システムによれば、予め記憶した表の中から選んだデータを用いて可変の識別情報を生成することで、過去に指令機器へ送信した識別情報の盗聴等による指令の複製に対する安全性を高めることができる。
【０４１３】
（１５）  上記指令機器は、上記識別情報受信手段での上記識別情報受信時から計数を開始する指令機器側計数手段を更に具備し、
上記指令機器の上記指令送信手段は、上記識別情報受信後に上記認証指令を送信する際には、上記指令機器側計数手段の計数値を上記認証指令に含めて送信し、
上記撮像機器は、
上記識別情報送信手段による上記識別情報の送信時を起点として計数を開始する撮像機器側計数手段と、
上記指令受信手段で上記認証指令を受信した際には、その受信した認証指令に含まれる上記指令機器側計数手段の計数値を、上記撮像機器側計数手段の計数値と比較する比較手段と、
を更に具備し、
上記撮像機器の上記機能制限手段は、上記比較手段の比較結果に基づいて上記機能の制限を設定することを特徴とする（２）に記載の撮像システム。
【０４１４】
（対応する実施形態）
この（１５）に記載の撮像システムに関する実施形態は、第５実施形態が対応する。その実施形態において、計数部１４８Ｄが上記指令機器側計数手段に、計数部１１６Ａ３が上記撮像機器側計数手段に、主制御部１１６が上記比較手段に、それぞれ対応する。
【０４１５】
（作用効果）
この（１５）に記載の撮像システムによれば、識別情報送信を起点として、指令機器と撮像機器でそれぞれ計数を開始して一致を取ることにより、撮像機器では、計数値の合致する指令機器よりの指令のみを受け付けることができる。
【０４１６】
（１６）  上記撮像機器は、上記識別情報の送信指示を行う識別情報送信指示手段を更に具備し、
上記撮像機器の上記識別情報送信手段は、上記識別情報送信指示手段の送信指示により上記識別情報を送信することを特徴とする（１）に記載の撮像システム。
【０４１７】
（対応する実施形態）
この（１６）に記載の撮像システムに関する実施形態は、第１乃至第１４実施形態が対応する。それらの実施形態において、送信ボタン３０、メニューボタン４２等が上記識別情報送信指示手段に対応する。
【０４１８】
（作用効果）
この（１６）に記載の撮像システムによれば、任意のタイミングで識別情報を送信できる。
【０４１９】
（１７）  上記指令機器の上記指令送信手段は、上記識別情報の送信を上記撮像機器に指示する識別情報送信指令を送信する識別情報送信指令送信手段を更に具備し、
上記撮像機器の上記識別情報送信手段は、上記指令機器の上記識別情報送信指令送信手段から送信された上記識別情報送信指令の受信に応じて、上記識別情報を送信することを特徴とする（１）に記載の撮像システム。
【０４２０】
（対応する実施形態）
この（１７）に記載の撮像システムに関する実施形態は、第１１実施形態が対応する。その実施形態において、発光部５８、制御部１４８、変調部１５０、発振部１５２、トランジスタ１５４、抵抗１５６、電力増幅部１８６、アンテナ１８４、識別情報送信指令ボタン２０６が上記識別情報送信指令送信手段に対応する。
【０４２１】
（作用効果）
この（１７）に記載の撮像システムによれば、指令機器よりの識別情報送信指令を随時撮像機器に送り、指令機器側が新たな識別情報を受け取って使用することで、過去の識別情報の盗聴等による不正使用の脅威を減らして、より安全な指令の授受ができる。
【０４２２】
（１８）  上記撮像機器は、上記指令機器以外での当該撮像機器の機能の実行を不可とする禁止モードを含む複数のモードで動作し、
上記撮像機器の識別情報送信手段は、上記指令機器の上記指令送信手段からの上記禁止モードに切り替えるための禁止モード切替指令に応じて上記禁止モードに切り替える時に、上記識別情報を送信することを特徴とする（１）に記載の撮像システム。
【０４２３】
（対応する実施形態）
この（１８）に記載の撮像システムに関する実施形態は、第１１実施形態が対応する。
【０４２４】
（作用効果）
この（１８）に記載の撮像システムによれば、指令機器よりの禁止モード切替指令即ち撮像機器に鍵を掛けた際に、撮像機器から新たな識別情報を受け取ることで、過去の識別情報の盗聴等による不正使用の脅威を減らして、より安全な指令の授受ができる。
【０４２５】
（１９）  上記撮像機器の識別情報送信手段は、当該撮像機器の電源オン時に上記識別情報を送信することを特徴とする（１）に記載の撮像システム。
【０４２６】
（対応する実施形態）
この（１９）に記載の撮像システムに関する実施形態は、第１２実施形態が対応する。
【０４２７】
（作用効果）
この（１９）に記載の撮像システムによれば、撮像機器の電源オンの度に指令機器側で識別情報を受け取り使用することで、過去の識別情報の盗聴等による不正使用の脅威を減らして、より安全な指令の授受ができる。
【０４２８】
（２０）  上記指令機器は、上記識別情報受信手段で上記撮像機器よりの上記識別情報を受信した際に、そのことを告知する確認手段を更に具備することを特徴とする（１）に記載の撮像システム。
【０４２９】
（対応する実施形態）
この（２０）に記載の撮像システムに関する実施形態は、第１３実施形態が対応する。その実施形態において、ランプ２０８、スピーカ２１０、抵抗２１２、駆動部２１４が上記確認手段に対応する。
【０４３０】
（作用効果）
この（２０）に記載の撮像システムによれば、指令機器が撮像機器からの識別情報を確実に受信したことが確認でき、万一送受信が正常に行なわれなかった場合は再送信などの対応が容易であるので、より安全な指令の授受ができる。
【０４３１】
（２１）  上記指令機器は、上記識別情報受信手段で上記撮像機器よりの上記識別情報を受信した際に、その受信した識別情報を上記撮像機器に返信する識別情報返信手段を更に具備し、
上記撮像機器は、上記指令機器の上記識別情報返信手段によって返信されてきた識別情報と上記識別情報送信手段で送信した識別情報とを比較し、比較結果を出力する確認手段を更に具備することを特徴とする（１）に記載の撮像システム。
【０４３２】
（対応する実施形態）
この（２１）に記載の撮像システムに関する実施形態は、第１４実施形態が対応する。その実施形態において、発光部５８、制御部１４８、変調部１５０、発振部１５２、トランジスタ１５４、抵抗１５６、電力増幅部１８６、アンテナ１８４が上記識別情報返信手段に、発光素子２０、モニタ３６、スピーカ５０、主制御部１１６が上記確認手段に、それぞれ対応する。
【０４３３】
（作用効果）
この（２１）に記載の撮像システムによれば、識別情報を送信し返信させて一致を取ることにより、識別情報の送受信が確実に行なわれ、より安全な指令の授受ができる。
【０４３４】
（２２）  上記指令機器の上記指令送信手段は、上記撮像機器に対して、上記撮像機器を制御するための指令を、上記認証指令として又は上記認証情報を含まない認証情報無し指令である一般指令として送信することを特徴とする（２）に記載の撮像システム。
【０４３５】
（対応する実施形態）
この（２２）に記載の撮像システムに関する実施形態は、第１乃至第１４実施形態が対応する。
【０４３６】
（作用効果）
この（２２）に記載の撮像システムによれば、一つの指令機器を一般指令送信用と認証指令送信用に兼用できる。
【０４３７】
（２３）  上記指令機器は、上記撮像機器の上記機能制限手段による上記機能の制限に関わる認証モード切替指令及び上記撮像機器の撮像動作に関わる撮影指令を、上記認証指令として送信することを特徴とする（２）に記載の撮像システム。
【０４３８】
（対応する実施形態）
この（２３）に記載の撮像システムに関する実施形態は、第１乃至第１４実施形態が対応する。
【０４３９】
（作用効果）
この（２３）に記載の撮像システムによれば、指令機器は、撮影指令を認証指令として送信することができるので、再生等プライバシにかかわる機能を実行することができる。また、認証モード切替指令を認証指令として送信するので、該指令機器を用いないと認証モードを切り替えられないようにすることができる。
【０４４０】
（２４）  上記指令機器は、上記一般指令と上記認証指令との何れを上記指令送信手段によって送信するかを切り替える切り替え手段を更に具備することを特徴とする（２２）に記載の撮像システム。
【０４４１】
（対応する実施形態）
この（２４）に記載の撮像システムに関する実施形態は、第１乃至第１４実施形態が対応する。それらの実施形態において、認証設定スイッチ６４が上記切り替え手段に対応する。
【０４４２】
（作用効果）
この（２４）に記載の撮像システムによれば、一般指令と認証指令の何れを送信するかを簡単に切り替えることができる。
【０４４３】
（２５）  上記指令機器の上記指令送信手段は、上記撮像機器の撮像動作に関わる撮影指令を上記一般指令として送信し、上記撮像機器の上記機能制限手段による上記機能の制限に関わる認証モード切替指令を上記認証指令として送信することを特徴とする（２２）に記載の撮像システム。
【０４４４】
（対応する実施形態）
この（２５）に記載の撮像システムに関する実施形態は、第１乃至第１４実施形態が対応する。
【０４４５】
（作用効果）
この（２５）に記載の撮像システムによれば、撮像機器の機能の制限に関わる認証モード切替指令は認証指令として送信することでセキュリティを確保することかできる。
【０４４６】
（２６）  上記指令機器は、上記一般指令と上記認証モード切替指令との何れを上記指令送信手段によって送信するかを切り替える切替手段を更に具備することを特徴とする（２５）に記載の撮像システム。
【０４４７】
（対応する実施形態）
この（２６）に記載の撮像システムに関する実施形態は、第１乃至第１４実施形態が対応する。それらの実施形態において、認証設定スイッチ６４が上記切り替え手段に対応する。
【０４４８】
（作用効果）
この（２６）に記載の撮像システムによれば、一般指令と認証モード切替指令の何れを送信するかを簡単に切り替えることができる。
【０４４９】
（２７）  上記撮像機器は、上記指令受信手段で受信された上記認証指令の内容を判別する指令判別手段を更に具備することを特徴とする（２）に記載の撮像システム。
【０４５０】
（対応する実施形態）
この（２７）に記載の撮像システムに関する実施形態は、第１乃至第１４実施形態が対応する。それらの実施形態において、主制御部１１６が上記指令判別手段に対応する。
【０４５１】
（作用効果）
この（２７）に記載の撮像システムによれば、撮像機器では、受信した認証指令の内容を判別することができる。
【０４５２】
（２８）  上記撮像機器の上記機能制限手段は、上記指令判別手段で判別した上記認証指令の内容に応じて、当該撮像機器の機能の制限を行なうことを特徴とする（２７）に記載の撮像機器。
【０４５３】
（対応する実施形態）
この（２８）に記載の撮像システムに関する実施形態は、第１乃至第１４実施形態が対応する。
【０４５４】
（作用効果）
この（２８）に記載の撮像システムによれば、撮像機器では、判別した認証指令の内容に応じて、撮影に関わる動作、認証モード切り替え動作を行うことができる。
【０４５５】
（２９）  上記撮像機器は、上記指令判別手段で判別した上記認証指令の内容が当該撮像機器の認証モードの切り替えを指示する認証モード切替指令であったとき、その認証モード切替指令に応じて、当該撮像機器の認証モードを設定するモード設定手段を更に具備し、
上記撮像機器の上記機能制限手段は、上記モード設定手段によって設定された認証モードに応じて当該撮像機器の機能の制限を行なうことを特徴とする（２７）に記載の撮像機器。
【０４５６】
（対応する実施形態）
この（２９）に記載の撮像システムに関する実施形態は、第１乃至第１４実施形態が対応する。それらの実施形態において、主制御部１１６、モードメモリ１３４が上記モード設定手段に対応する。
【０４５７】
（作用効果）
この（２９）に記載の撮像システムによれば、撮像機器では、受信した認証モード切替指令に応じて、認証モードを切り替え設定することができる。
【０４５８】
（３０）  上記撮像機器の上記モード設定手段は、更に、当該撮像機器の電源投入時には、上記認証モードとして、禁止モードを設定し、
上記撮像機器の上記機能制限手段は、上記モード設定手段によって上記禁止モードが設定された場合、上記指令機器以外での当該撮像機器の機能の実行を不可とすることを特徴とする（２９）に記載の撮像システム。
【０４５９】
（対応する実施形態）
この（３０）に記載の撮像システムに関する実施形態は、第１乃至第１４実施形態が対応する。
【０４６０】
（作用効果）
この（３０）に記載の撮像システムによれば、撮像機器は電源投入時に禁止モードに設定されるので、認証指令を発信できる指令機器を持っていて該指令機器で指令するか、認証モード切替指令を発信できる指令機器で他の認証モードに切り替えない限り、撮像機器単独では使用できない、即ち撮像機器に鍵が掛かった状態にすることができる。
【０４６１】
（３１）  上記撮像機器の上記モード設定手段は、当該撮像機器の電源断時に、現在設定されている認証モードを記憶しておくメモリを有することを特徴とする（２９）に記載の撮像システム。
【０４６２】
（対応する実施形態）
この（３１）に記載の撮像システムに関する実施形態は、第１乃至第１４実施形態が対応する。それらの実施形態において、モードメモリ１３４が上記メモリに対応する。
【０４６３】
（作用効果）
この（３１）に記載の撮像システムによれば、電源断時に、その時設定されている認証モードを保存しておくことが可能となる。
【０４６４】
（３２）  上記撮像機器の上記モード設定手段の上記メモリは、電源オフでも記憶内容を保持できる不揮発性メモリであることを特徴とする（３１）に記載の撮像システム。
【０４６５】
（対応する実施形態）
この（３２）に記載の撮像システムに関する実施形態は、第１乃至第１４実施形態が対応する。
【０４６６】
（作用効果）
この（３２）に記載の撮像システムによれば、電源断時に保存した認証モードを保持し続けることができる。
【０４６７】
（３３）  上記撮像機器の上記モード設定手段は、更に、当該撮像機器の電源投入時には、上記メモリに記憶されている認証モードを読み出して、その認証モードに設定することを特徴とする（３１）に記載の撮像システム。
【０４６８】
（対応する実施形態）
この（３３）に記載の撮像システムに関する実施形態は、第１乃至第１４実施形態が対応する。
【０４６９】
（作用効果）
この（３３）に記載の撮像システムによれば、撮像機器の電源投入時に、前回の認証モードで起動することが可能となる。
【０４７０】
（３４）  上記撮像機器の上記モード設定手段は、上記指令機器からの上記認証モード切替指令に応じてのみ、上記認証モードの設定を行うことを特徴とする（２９）に記載の撮像システム。
【０４７１】
（対応する実施形態）
この（３４）に記載の撮像システムに関する実施形態は、第１乃至第１４実施形態が対応する。
【０４７２】
（作用効果）
この（３４）に記載の撮像システムによれば、認証モード切替指令を発信できる指令機器がない限りは認証モードを変更することができないので、そのような指令機器を持たない第三者に認証モードを変更されて、撮影済みの画像の再生等が行われてしまうおそれがない。
【０４７３】
（３５）  上記撮像機器は、時間を計測する時間計測手段を更に具備し、
上記撮像機器の上記モード設定手段は、更に、上記時間計測手段によって計測された時間に基づいて、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする（２９）に記載の撮像システム。
【０４７４】
（対応する実施形態）
この（３５）に記載の撮像システムに関する実施形態は、第１乃至第１４実施形態が対応する。それらの実施形態において、禁止タイマ１４６が上記時間計測手段に対応する。
【０４７５】
（作用効果）
この（３５）に記載の撮像システムによれば、撮像機器が万一盗難等にあっても、所定時間が経過すると自動的に禁止モードとなるので、比較的安全である。
【０４７６】
（３６）  上記撮像機器の上記時間計測手段は、当該撮像機器の電源オフ後でも時間を計測し続け、
上記撮像機器の上記モード設定手段は、上記時間計測手段が所定の時間を計測したときに、上記禁止モードを設定することを特徴とする（３５）に記載の撮像システム。
【０４７７】
（対応する実施形態）
この（３６）に記載の撮像システムに関する実施形態は、第１乃至第１４実施形態が対応する。
【０４７８】
（作用効果）
この（３６）に記載の撮像システムによれば、電源がオフされた後も計時が継続されて、所定時間で禁止モードに設定されるので、ユーザは電源断時にいちいち認証モードを切り替える必要がない。
【０４７９】
（３７）  上記撮像機器の上記モード設定手段は、電池が消耗あるいは取り外された場合、直ちにあるいは予め設定された時間後、あるいは電圧監視の結果により、上記認証モードとして、禁止モードを設定し、
上記撮像機器の上記機能制限手段は、上記モード設定手段によって上記禁止モードが設定された場合、上記指令機器以外での当該撮像機器の機能の実行を不可とすることを特徴とする（２９）又は（３６）に記載の撮像システム。
【０４８０】
（対応する実施形態）
この（３７）に記載の撮像システムに関する実施形態は、第１乃至第１４実施形態が対応する。
【０４８１】
（作用効果）
この（３７）に記載の撮像システムによれば、電池が消耗あるいは取り外された場合に禁止モードに設定されるので、故意あるいは過失により電池が抜き取られたまま、あるいは消耗したまま放置されてバックアップ用の電池あるいはキャパシタの電気も消耗してしまい時間計測手段が計時できなくなって、所定時間が経過しても禁止モードを設定することができなくなってしまい、当該撮像機器が使用できてしまうということを防止できる。
【０４８２】
（３８）  上記認証指令は、光又は電波で送信されることを特徴とする（１）に記載の撮像システム。
【０４８３】
（対応する実施形態）
この（３８）に記載の撮像システムに関する実施形態は、第２乃至第１４実施形態が対応する。
【０４８４】
（作用効果）
この（３８）に記載の撮像システムによれば、光又は電波によって認証指令を送信するので、撮像機器と指令機器とを接続するケーブル等の携帯を不要とすることができる。
【０４８５】
（３９）  上記認証指令を送信する上記指令送信手段を有する指令機器に加えて、上記指令送信手段を有さず、上記認証情報を含まない認証情報無し指令である一般指令を送信する一般指令送信手段を具備する指令機器を含み、
上記撮像機器の上記機能制限手段は、上記一般指令に関して予め許可された範囲にのみ、当該撮像機器の所定の機能の制限を行なうことを特徴とする（２）に記載の撮像システム。
【０４８６】
（対応する実施形態）
この（３９）に記載の撮像システムに関する実施形態は、第１乃至第１４実施形態が対応する。それらの実施形態において、光学式リモコン５６，７４，９６，２０４及び電波式リモコン１８２が上記認証指令の送信手段を有する指令機器に、光学式リモコン９２，９４が上記一般指令を送信可能な指令機器に、それぞれ対応する。
【０４８７】
（作用効果）
この（３９）に記載の撮像システムによれば、再生等プライバシにかかわる機能の実行には認証情報を送信できる指令機器であることが必要であるが、撮影行為自体にはプライバシ保護は必要がないので、認証情報を送信しない撮影に関する機能のみ指令できる別の指令機器を用いて撮影を行うことができる。よって、旅行等にはその撮影機能に絞った指令機器を携行し、認証情報を送信できる指令機器は自宅に置いてくれば、撮影は自由に行え、そして、たとえ旅行先で撮像機器と指令機器を紛失したり盗難にあっても、認証情報を送信できる指令機器は自宅に有り、当該撮像機器を入手した第三者はそれを有していないので、撮影した画像のセキュリティを守ることができる。
【０４８８】
（４０）  上記撮像機器は、内蔵メモリを更に具備し、
上記撮像機器の上記機能制限手段は、上記モード設定手段によって認証モードとして上記指令機器以外での当該撮像機器の機能の実行を不可とする禁止モードが設定されている場合、上記指令判別手段で判別した上記指令機器からの認証指令に基づいて上記撮像手段で撮像を行なった時、その撮像された画像の保存先を上記内蔵メモリのみに制限することを特徴とする（２９）に記載の撮像システム。
【０４８９】
（対応する実施形態）
この（４０）に記載の撮像システムに関する実施形態は、第３実施形態が対応する。その実施形態において、内蔵メモリ１１０が上記内蔵メモリに対応する。
【０４９０】
（作用効果）
この（４０）に記載の撮像システムによれば、撮像機器が禁止モードの場合に撮影した画像は、内蔵メモリに記憶されるので、他の機器で読み出すことができない。
【０４９１】
（４１）  上記撮像機器は、内蔵メモリを更に具備し、
上記撮像機器の上記機能制限手段は、上記内蔵メモリに記憶された画像を読み出して、表示、コピー、移動、及び印刷の何れかを行う場合は、上記認証情報認識手段で認識された上記認証情報により認証された上記指令機器からの上記認証指令によってのみ行なうよう制限することを特徴とする（２９）に記載の撮像システム。
【０４９２】
（対応する実施形態）
この（４１）に記載の撮像システムに関する実施形態は、第３実施形態が対応する。その実施形態において、内蔵メモリ１１０が上記内蔵メモリに対応する。
【０４９３】
（作用効果）
この（４１）に記載の撮像システムによれば、撮像機器が禁止モードである限り、認証情報付きの指令機器が無いと画像の再生、コピー、移動、印刷などはできなくすることができる。
【０４９４】
（４２）  上記撮像機器は、更に、着脱可能なメモリを装着可能に構成され、
上記内蔵メモリに記憶された画像を上記着脱可能なメモリにコピー又は移動する場合は、暗号化して上記着脱可能なメモリに記憶することを特徴とする（４０）又は（４１）に記載の撮像システム。
【０４９５】
（対応する実施形態）
この（４２）に記載の撮像システムに関する実施形態は、第３実施形態が対応する。その実施形態において、着脱メモリ１１２が着脱可能なメモリに対応する。
【０４９６】
（作用効果）
この（４２）に記載の撮像システムによれば、内蔵メモリの画像を着脱可能なメモリに移動する場合は、暗号化して記憶することで、着脱可能なメモリの画像に対してもセキュリティを持たせることが可能になる。
【０４９７】
（４３）  上記指令機器は、上記撮像手段で撮像された画像を上記内蔵メモリに記録するか、上記着脱可能なメモリに記録するかを選択する選択手段を更に具備することを特徴とする（４２）に記載の撮像システム。
【０４９８】
（対応する実施形態）
この（４３）に記載の撮像システムに関する実施形態は、第３実施形態が対応する。その実施形態において、メニューボタン８０等が上記選択手段に対応する。
【０４９９】
（作用効果）
この（４３）に記載の撮像システムによれば、撮影した画像の記憶先をユーザが選択することができる。
【０５００】
（４４）  上記撮像機器の上記機能制限手段は、上記撮像手段での撮像に関する機能については、上記認証情報認識手段での上記認証情報の認識結果にかかわらず制限を行わず、それ以外の機能については、上記指令受信手段で受信し上記認証情報認識手段で認識した上記認証指令に付加された認証情報に基づいて機能の制限を行うことを特徴とする（２７）に記載の撮像システム。
【０５０１】
（対応する実施形態）
この（４４）に記載の撮像システムに関する実施形態は、第６実施形態が対応する。
【０５０２】
（作用効果）
この（４４）に記載の撮像システムによれば、撮像は何時でも誰でも行うことができるようにして操作性を高め、それ以外の機能についてはセキュリティを確保することができる。
【０５０３】
（４５）  上記指令機器の上記指令送信手段は、上記認証指令に更に、上記制限する機能の範囲を指定する機能範囲情報を付加して送信し、
上記撮像機器の上記機能制限手段は、上記指令受信手段で受信した上記認証指令に付加された上記機能範囲情報に従って機能の制限を行なうことを特徴とする（４４）に記載の撮像システム。
【０５０４】
（対応する実施形態）
この（４５）に記載の撮像システムに関する実施形態は、第６実施形態が対応する。
【０５０５】
（作用効果）
この（４５）に記載の撮像システムによれば、使用できる機能の範囲をユーザが任意に指定できるようになる。
【０５０６】
（４６）  撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器との間で行われる上記撮像機器の認証方法であって、
上記撮像機器は、上記指令機器に対して当該撮像機器が当該指令機器の識別を行なうための識別情報を送信し、
上記指令機器は、
上記撮像機器より送信された上記識別情報を受信し、
その受信した上記識別情報あるいは上記識別情報由来の情報を含む、上記撮像機器が当該指令機器の認証を行なうための認証情報を含む認証情報付き指令を送信することを特徴とする撮像機器の認証方法。
【０５０７】
（対応する実施形態）
この（４６）に記載の撮像機器の認証方法に関する実施形態は、第１乃至第１４実施形態が対応する。
【０５０８】
（作用効果）
この（４６）に記載の撮像機器の認証方法によれば、撮像機器本体の識別情報を指令機器に送信し、指令機器より送信する指令に上記識別情報を含めて送信することで、撮像機器と指令機器の対応を確実に行うことができる。万一、指令機器から撮像機器に送信された指令が盗聴されて複製されてしまった場合であっても、撮像機器の識別情報を適時変更して指令機器に送信してその識別情報を指令機器からの指令に付加して送り撮像機器で確認することにより正当な指令機器からの指令であることの確認の信頼性を向上することができる。
【０５０９】
従って、操作が容易で、コストも低く、安全性が高い撮像機器の使用制限機能を実現することが可能な撮像機器の認証方法を提供することができる。
【図面の簡単な説明】
【０５１０】
【図１】図１（Ａ）及び（Ｂ）は、本発明の撮像システムの第１実施形態における撮像機器の一例としてのデジタルカメラの前面及び背面外観構成を示す斜視図である。
【図２】図２は、第１実施形態における撮像機器の別の例としてのデジタルムービカメラの外観構成を示す斜視図である。
【図３】図３は、指令機器としてのリモコンの種類を示す図である。
【図４】図４（Ａ）は、第１実施形態における指令機器の一例としての認証モード切替リモコンである光学式リモコンの外観構成を示す斜視図であり、図４（Ｂ）は（Ａ）のリモコンにおける認証設定スイッチの通常位置時の状態を示す拡大図であり、図４（Ｃ）は認証位置時の認証設定スイッチの拡大図である。
【図５】図５は、第１実施形態における指令機器の他の例としての認証モード切替リモコンである別の光学式リモコンの外観構成を示す斜視図である。
【図６】図６（Ａ）は、第１実施形態における指令機器の他の例としての普通リモコンである更に別の光学式リモコンの外観構成を示す斜視図であり、図６（Ｂ）は、第１実施形態における指令機器の他の例としての普通リモコンである他の光学式リモコンの外観構成を示す斜視図であり、図６（Ｃ）は、第１実施形態における指令機器の他の例としての認証指令リモコンである更に別の光学式リモコンの外観構成を示す斜視図である。
【図７】図７は、デジタルカメラの電気的な構成を示すブロック図である。
【図８】図８は、デジタルカメラにおける受光部の構成を示すブロック図である。
【図９】図９は、デジタルカメラにおける識別情報発光部の構成を示すブロック図である。
【図１０】図１０は、図４（Ａ）の光学式リモコンの電気的な構成の一例を示すブロック図である。
【図１１】図１１は、図４（Ａ）の光学式リモコンにおける受光処理部の構成を示すブロック図である。
【図１２】図１２は、図５の光学式リモコンの電気的な構成の一例を示すブロック図である。
【図１３】図１３は、図６（Ｃ）の光学式リモコンの電気的な構成の一例を示すブロック図である。
【図１４】図１４（Ａ）は、光学式リモコンの発生する送信データ信号の基本を示す図であり、図１４（Ｂ）は、データ信号１ビットの構成を示す図であり、図１４（Ｃ）は、データｎバイトを送る場合を示す図であり、図１４（Ｄ）は、光学式リモコンの変調部の出力波形を示す図である。
【図１５】図１５は、カメラ本体から認証情報付きリモコン（認証モード切替リモコン及び認証指令リモコン）への識別情報送受信手順を説明する図である。
【図１６】図１６（Ａ）乃至（Ｆ）は、それぞれ、識別情報のデータフォーマットの例を示す図である。
【図１７】図１７（Ａ）乃至（Ｉ）は、それぞれ、光学式リモコンの指令のデータフォーマットの例を示す図である。
【図１８】図１８は、認証モード切替指令データとして用いる文字列の例を示す図である。
【図１９】図１９は、カメラ本体の認証モードを示す図である。
【図２０】図２０は、カメラ本体の電源の投入時の認証モード設定指定に関する選択を説明する図である。
【図２１】図２１は、制限モードでの使用可能な機能を説明する図である。
【図２２】図２２は、カメラ本体のスイッチやボタンが押された場合の動作の大略を示した図である。
【図２３】図２３は、リモコンのスイッチやボタンが押された場合のカメラ本体の対応動作の大略を示す図である。
【図２４】図２４は、認証モードの遷移を説明するための図である。
【図２５Ａ】図２５Ａは、撮像機器における状態遷移とプロセスを説明する一連のフローチャートの第１の部分を示す図である。
【図２５Ｂ】図２５Ｂは、撮像機器における状態遷移とプロセスを説明する一連のフローチャートの第２の部分を示す図である。
【図２５Ｃ】図２５Ｃは、撮像機器における状態遷移とプロセスを説明する一連のフローチャートの第３の部分を示す図である。
【図２５Ｄ】図２５Ｄは、撮像機器における状態遷移とプロセスを説明する一連のフローチャートの第４の部分を示す図である。
【図２５Ｅ】図２５Ｅは、撮像機器における状態遷移とプロセスを説明する一連のフローチャートの第５の部分を示す図である。
【図２５Ｆ】図２５Ｆは、撮像機器における状態遷移とプロセスを説明する一連のフローチャートの第６の部分を示す図である。
【図２５Ｇ】図２５Ｇは、撮像機器における状態遷移とプロセスを説明する一連のフローチャートの第７の部分を示す図である。
【図２６】図２６（Ａ）は、本発明の第２実施形態における指令機器の一例としての電波式リモコンの外観構成を示す斜視図であり、図２６（Ｂ）は、（Ａ）の電波式リモコンの電気的な構成を示すブロック図である。
【図２７】図２７（Ａ）は、第２実施形態における撮像機器の一例としてのデジタルカメラの外観構成を示す斜視図であり、図２７（Ｂ）は、（Ａ）のデジタルカメラのブロック構成図の一部を示す図であり、図２７（Ｃ）は、（Ａ）のデジタルカメラにおける受信部の構成を示すブロック図である。
【図２８】図２８（Ａ）は、図２６（Ａ）の電波式リモコンの発生する信号を示す図であり、図２８（Ｂ）は、搬送波拡大波形を示す図である。
【図２９】図２９（Ａ）は、本発明の第３実施形態におけるリモコンの制御部の構成を示す図であり、図２９（Ｂ）は、データ表の例を示す図である。
【図３０】図３０（Ａ）は、本発明の第５実施形態におけるカメラの主制御部の識別情報生成部の構成を示す図であり、図３０（Ｂ）は、第５実施形態におけるリモコンの制御部の構成を示す図である。
【図３１】図３１は、第５実施形態における計数値比較手順を説明するためのフローチャートを示す図である。
【図３２】図３２（Ａ）及び（Ｂ）は、それぞれ、本発明の第６実施形態におけるカメラ本体の動作を説明するためのフローチャートを示す図である。
【図３３】図３３（Ａ）乃至（Ｅ）は、それぞれ、リモコンからの送信データ信号のデータフォーマットを示す図である。
【図３４】図３４（Ａ）は、本発明の第７実施形態における識別情報としての画像情報由来の情報を説明するための元画像を示す図であり、図３４（Ｂ）及び（Ｃ）は、それぞれ、画像情報由来の情報としての画像由来データの例を示す図である。
【図３５】図３５は、画像情報由来の情報の利用方法を説明するためのフローチャートを示す図である。
【図３６】図３６は、本発明の第９実施形態における識別情報由来の情報の利用方法を説明するためのフローチャートを示す図である。
【図３７】図３７は、本発明の第１１実施形態における指令機器の一例としての識別情報送信指令を送信できる光学式リモコンの外観構成を示す斜視図である。
【図３８】図３８は、図３７の光学式リモコンの電気的な構成の一例を示すブロック図である
【図３９】図３９は、図１５の原因Ｂの、識別情報送信指令の受信に応じた識別情報の送信について説明するためのフローチャートを示す図である。
【図４０】図４０は、図１５の原因Ｃの、禁止モード指令の受信に応じた識別情報の送信について説明するためのフローチャートを示す図である。
【図４１】図４１は、本発明の第１２実施形態として、図１５の原因Ｄの、電源オンに応じた識別情報の送信についての説明するためのフローチャートを示す図である。
【図４２】図４２は、本発明の第１３実施形態におけるカメラ本体よりの識別情報をリモコンが受信したことを告知する機能について説明するためのフローチャートを示す図である。
【図４３】図４３は、本発明の第１４実施形態における一致確認機能について説明するためのフローチャートを示す図である。
【符号の説明】
【０５１１】
１０，１８８…デジタルカメラ、  １２…カメラ本体、  １４…レンズ部、  １６…フラッシュ、  １８，６０Ａ…受光素子、  ２０，２２，５８Ａ…発光素子、  ２４…マイクロフォン、  ２６…シャッタスイッチ、  ２８…パワースイッチ、  ３０…送信ボタン、  ３２…パワーランプ、  ３４…セレクトスイッチ、  ３６…モニタ、  ３８，７６…十字スイッチ、  ４０，７８…ＯＫボタン、  ４２，８０…メニューボタン、  ４４…ズームスイッチ、  ４６，８６…消去ボタン、  ４８，８２…プリントボタン、  ５０，２１０…スピーカ、  ５２…デジタルムービカメラ、  ５４…電源モードスイッチ、  ５６，７４，９２，９４，９６，２０４…光学式リモコン、  ５８，１３６…発光部、  ６０，１１８，１３８Ａ…受光部、  ６２…撮影指令ボタン、  ６４…認証設定スイッチ、  ６４Ａ…操作部、  ６４Ｂ…通常位置、  ６４Ｃ…認証位置、  ６６…テレボタン、  ６８…ワイドボタン、  ７０…プラスボタン、  ７２…マイナスボタン、  ８４…情報ボタン、  ８８…回転ボタン、  ９０…保護ボタン、  ９８…制限ボタン、  １００…設定ボタン、  １０２…禁止ボタン、  １０４…許可ボタン、  １０６…撮像素子、  １０８…撮像処理回路、  １１０…内蔵メモリ、  １１２…着脱メモリ、  １１４…識別情報発光部、  １１４Ａ，１５０…変調部、  １１４Ｂ，１５２…発振部、  １１４Ｃ，１５４…トランジスタ、  １１４Ｄ，１５６，２１２…抵抗、  １１６…主制御部、  １１６Ａ…識別情報生成部、  １１６Ａ１…乱数発生部、  １１６Ａ２…データ表、  １１６Ａ３，１４８Ｄ…計数部、  １１６Ｂ，１４８Ｂ…固有情報記憶部、  １１８Ａ，１４８Ｃ１，１９２Ａ…増幅部、  １１８Ｂ，１４８Ｃ２，１９２Ｂ…フィルタ部、  １１８Ｃ，１４８Ｃ３，１９２Ｃ…検波部、  １１８Ｄ，１４８Ｃ４，１９２Ｄ…積分部、  １１８Ｅ，１４８Ｃ５，１９２Ｅ…波形整形部、  １１８Ｆ，１４８Ｃ６，１９２Ｆ…デコーダ部、  １２０…ズーム制御部、  １２２…露光制御部、  １２４…測距制御部、  １２６…画像処理回路、  １２８…暗号化・復号化回路、  １３０…外部インターフェイス、  １３２…バス、  １３４…モードメモリ、  １３８…表示制御部、  １３８Ｂ…固定情報記憶部、  １４０…音声処理部、  １４２…電源回路、  １４４…電池、  １４６…禁止タイマ、  １４８…制御部、  １４８Ａ…認証情報生成部、  １４８Ｃ…受光処理部、  １５８…識別情報、  １６０，１７０…リーダコード、  １６２，１７２…ストップコード、  １６４，１７６…ヘッダ、  １６６，１７８…ＥＣＣ、  １６８…撮像機器固有の情報、  １７４…データ部、  １８０…認証モード切替指令データ、  １８２…電波式リモコン、  １８４，１９０…アンテナ、  １８６…電力増幅部、  １９２…受信部、  １９４…機能範囲指定情報、  １９６…計数値、  １９８…ＩＤ情報、  ２００…元画像、  ２０２…画像由来データ、  ２０６…識別情報送信指令ボタン、  ２０８…ランプ、  ２１４…駆動部。
【図１】
2008219168.tif 000003
【図２】
2008219168.tif 000004
【図３】
2008219168.tif 000005
【図４】
2008219168.tif 000006
【図５】
2008219168.tif 000007
【図６】
2008219168.tif 000008
【図７】
2008219168.tif 000009
【図８】
2008219168.tif 000010
【図９】
2008219168.tif 000011
【図１０】
2008219168.tif 000012
【図１１】
2008219168.tif 000013
【図１２】
2008219168.tif 000014
【図１３】
2008219168.tif 000015
【図１４】
2008219168.tif 000016
【図１５】
2008219168.tif 000017
【図１６】
2008219168.tif 000018
【図１７】
2008219168.tif 000019
【図１８】
2008219168.tif 000020
【図１９】
2008219168.tif 000021
【図２０】
2008219168.tif 000022
【図２１】
2008219168.tif 000023
【図２２】
2008219168.tif 000024
【図２３】
2008219168.tif 000025
【図２４】
2008219168.tif 000026
【図２５Ａ】
2008219168.tif 000027
【図２５Ｂ】
2008219168.tif 000028
【図２５Ｃ】
2008219168.tif 000029
【図２５Ｄ】
2008219168.tif 000030
【図２５Ｅ】
2008219168.tif 000031
【図２５Ｆ】
2008219168.tif 000032
【図２５Ｇ】
2008219168.tif 000033
【図２６】
2008219168.tif 000034
【図２７】
2008219168.tif 000035
【図２８】
2008219168.tif 000036
【図２９】
2008219168.tif 000037
【図３０】
2008219168.tif 000038
【図３１】
2008219168.tif 000039
【図３２】
2008219168.tif 000040
【図３３】
2008219168.tif 000041
【図３４】
2008219168.tif 000042
【図３５】
2008219168.tif 000043
【図３６】
2008219168.tif 000044
【図３７】
2008219168.tif 000045
【図３８】
2008219168.tif 000046
【図３９】
2008219168.tif 000047
【図４０】
2008219168.tif 000048
【図４１】
2008219168.tif 000049
【図４２】
2008219168.tif 000050
【図４３】
2008219168.tif 000051